(57)【要約】【課題】表面レセプター及び表面異種タンパク質を同時発現するファージミドを提供する。【解決手段】アルカリ性ホスファターゼダイマーの第一及び第二ポリペプチドサブユニットを発現するベクターであって、ａ）サプレッサーｔＲＮＡ遺伝子と、ｂ）第一及び第二ポリペプチドサブユニットの発現カセットとをコードするヌクレオチド配列を含み、発現カセットが　ｉ）第一及び第二ポリペプチドサブユニットをコードするメッセンジャーＲＮＡ転写産物を生産するための転写プロモーター及び転写ターミネーター；ｉｉ）可溶性アルカリ性ホスファターゼをコードする第一読み取り枠；及び　ｉｉｉ）その下流に結合された第二読み取り枠を含み、第二読み取り枠が、繊維状ファージ外殻タンパク質膜アンカーをコードし、サプレッサーｔＲＮＡ分子によるナンセンス鎖終止コドンの抑制後に、第一及び第二読み取り枠が一つのポリペプチドとして翻訳される。【特許請求の範囲】
【請求項１】
アルカリ性ホスファターゼダイマー（そのダイマーは、発現後に、繊維状ファージ粒子の表面で集合できる）の第一ポリペプチドサブユニット及び第二ポリペプチドサブユニットを発現するためのベクターであって、　前記ベクターが、　ａ）サプレッサーｔＲＮＡ分子を発現できるサプレッサーｔＲＮＡ遺伝子と、ｂ）前記の第一ポリペプチドサブユニット及び第二ポリペプチドサブユニットを発現するための発現カセットとをコードするヌクレオチド配列を含み、前記発現カセットが　ｉ）前記の第一ポリペプチドサブユニット及び第二ポリペプチドサブユニットをコードするメッセンジャーＲＮＡ転写産物を生産するための転写プロモーター及び転写ターミネーター；
ｉｉ）翻訳イニシエーターで開始し、アンバー、オーカー及びオパールからなる群から選ばれたナンセンス鎖終止コドンで終了する可溶性アルカリ性ホスファターゼをコードする第一読み取り枠；及び　ｉｉｉ）前記第一読み取り枠の下流に操作により結合された第二読み取り枠を含み、前記第二読み取り枠が、繊維状ファージ外殻タンパク質膜アンカーをコードし、その結果、前記サプレッサーｔＲＮＡ分子によるナンセンス鎖終止コドンの抑制後に、前記の第一読み取り枠及び第二読み取り枠が一つのポリペプチドとして翻訳され、その翻訳ポリペプチドが繊維状ファージ外殻タンパク質膜アンカーと枠中で操作により結合されたアルカリ性ホスファターゼを有する融合タンパク質であることを特徴とするベクター。
【請求項２】
前記繊維状ファージ外殻タンパク質膜アンカーがｃｐＩＩＩ及びｃｐＶＩＩＩからなる群から選ばれる請求項１に記載のベクター。
【請求項３】
前記の第一読み取り枠及び第二読み取り枠が、アルカリ性ホスファターゼを前記繊維状ファージ外殻タンパク質膜アンカーに操作により結合するリンカーポリペプチドをコードするヌクレオチド配列により操作により結合されている請求項１に記載のベクター。
【請求項４】
前記リンカーポリペプチドが配列番号９１のアミノ酸残基配列を有する請求項３に記載のベクター。
【発明の詳細な説明】
【０００１】
技術分野
本発明は、繊維状ファージ粒子の表面でヘテロダイマーレセプター及び第二ダイマー異種指示薬融合ポリペプチドを発現できるＤＮＡ分子のライブラリーを生産するためのクローニングベクター及びその方法に関する。
背景
繊維状バクテリオファージはバクテリアを感染する関連ウイルスの群である。それらはバクテリオファージゲノムを形成するデオキシリボ核酸（ＤＮＡ）を囲う細長いカプセルを含む長くかつ細い粒子であるので、それらは繊維状と称される。Ｆ線毛繊維状バクテリオファージ（Ｆｆファージ）は、Ｆ線毛の先端に特異的に吸着することによりグラム陰性バクテリアのみを感染し、ｆｄ、ｆｌ及びＭ１３を含む。Ｆｆファージの成熟カプセルは５種のファージによりコードされた遺伝子産物：カプセルの本体を形成する遺伝子ＶＩＩＩの主要外殻タンパク質産物であるｃｐＶＩＩＩと、４種の非主要外殻タンパク質、即ち、カプセルの一端にあるｃｐＩＩＩ及びｃｐＩＶ並びにカプセルの他端にあるｃｐＶＩＩ及びｃｐＩＸのコートを含む。カプセルの長さは、特徴的な繊維構造を形成する規則的ならせんアレイのｃｐＶＩＩＩの２５００〜３０００のコピーにより形成される。非主要外殻タンパク質の約５のコピーの夫々がカプセルの端部に存在する。遺伝子ＩＩＩによりコードされたタンパク質（ｃｐＩＩＩ）は典型的にはカプセルの一端で４〜６のコピー中に存在し、そして感染の初期にそのバクテリア宿主へのファージの結合のレセプターとして利用できる。Ｆｆファージ構造の詳細な総説につき、Ｒａｓｃｈｅｄら，Ｍｉｃｒｏｂｉｏｌ．Ｒｅｖ．，５０：４０１−４２７（１９８６）；及びＭｏｄｅｌら，“バクテリオファージ、２巻”，Ｒ．Ｃａｌｅｎｄａｒ編集，Ｐｌｅｎｕｍ　Ｐｒｅｓｓ，３７５−４５６頁（１９８８）を参照のこと。
【０００２】
Ｆｆファージ粒子のアセンブリーは高度に複雑な力学を伴う。ファージ粒子は宿主細胞内で集合されない。むしろ、それらは宿主細胞膜中のウイルスゲノムの排出中に集合される。排出の前に、主要外殻タンパク質ｃｐＶＩＩＩ及び非主要外殻タンパク質ｃｐＩＩＩが合成され、宿主細胞膜に輸送される。ｃｐＶＩＩＩ及びｃｐＩＩＩの両方が成熟粒子へのそれらのとり込みの前に宿主細胞膜につなぎ止められる。加えて、ウイルスゲノムが生産され、ｃｐＶタンパク質で被覆される。排出プロセス中に、ｃｐｖ被覆ゲノムＤＮＡがｃｐＶ外殼を取り去られ、同時に成熟外殼タンパク質で再度被覆される。膜から粒子へのこれらのタンパク質の移動を調節するアセンブリー機構は現在知られていない。
ｃｐＩＩＩタンパク質及びｃｐＶＩＩＩタンパク質の両方が、成熟ファージ粒子のアセンブリーのシグナルを与える二つのドメインを含む。第一ドメインは、新たに合成されたタンパク質を宿主細胞膜に誘導する分泌シグナルである。分泌シグナルはポリペプチドのアミノ末端に配置され、そして少なくとも細胞膜に対してポリペプチドを標的とする。第二ドメインは、宿主細胞膜との会合及びアセンブリー中のファージ粒子との会合のシグナルを与える膜アンカードメインである。ｃｐＶＩＩＩ及びｃｐＩＩＩの両方に関するこの第二シグナルは、膜を横切って伸びるために少なくとも疎水性領域を含む。
【０００３】
ｃｐＶＩＩＩはモデル膜タンパク質として徹底的に研究されていた。何となれば、それは外部に向いた酸性アミノ末端と膜の１００の内部に向いた塩基性カルボキシ末端とによる非対称性配向で細胞膜の如き脂質二層に統合し得るからである。成熟タンパク質は長さが約５０のアミノ酸残基であり、そのうちの１１の残基がカルボキシ末端を与え、１９の残基が疎水性トランスメンブラン領域を与え、また残りの残基がアミノ末端を構成する。かなりの研究がｃｐＶＩＩＩの分泌シグナル領域につきなされて、膜タンパク質合成及び膜へのターゲッティングの研究を進展させた。しかしながら、ファージ粒子のアセンブリーを可能にするｃｐＶＩＩＩ膜アンカー領域の構造において許される変化については殆ど知られていない。
ｃｐＩＩＩの配列の操作は、膜アンカー機能を通常担当する疎水性アミノ酸のＣ末端の２３のアミノ酸残基伸長が種々の方法で変化でき、かつ膜と会合する能力を保持し得ることを示す。しかしながら、これらのアンカー修飾ｃｐＩＩＩタンパク質は遺伝子ＩＩＩ変異体を遺伝的に相補するそれらの能力を失い、これは機能的アセンブリーに関する膜アンカーの要件が解明されていなかったことを示す。
Ｆｆファージ系発現ベクターが記載されており、この場合、全ｃｐＩＩＩアミノ酸残基配列が短いポリペプチド“エピトープ”［Ｐａｒｍｅｌｙら，Ｇｅｎｅ，７３：３０５−３１８（１９８８）；及びＣｗｉｒｌａら，Ｐｒｏｃ．Ｎａｔｌ．Ａｃａｄ．Ｓｃｉ．，ＵＳＡ，８７：６３７８−６３８２（１９９０）］
または一本鎖抗体ドメインを形成するアミノ酸残基ＭｃＣａｆｆｅｒｔｙら，Ｓｃｉｅｎｃｅ，３４８：５５２−５５４（１９９０）の挿入により修飾された。これらのハイブリッドタンパク質が合成され、そして正常なｃｐＩＩＩが通常見られる密度である粒子当たり約５のコピーの量でファージ粒子に集合された。
ｃｐＶＩＩＩ中のモデルポリペプチド［Ｉｌ’ｉｃｈｅｖら，Ｍｏｌｅｋｕｌｙａｒｎａｙａ　Ｂｉｏｌｏｇｉｙａ，２４：５３０−５３５（１９９０）］、及び成熟ｃｐＶＩＩＩに融合された機能性ウシ膵臓トリプシンインヒビター（ＢＰＴＩ）［Ｍａｒｋｌａｎｄら，Ｇｅｎｅ，１０９：１３−１９（１９９１）］を含む、多数のその他の融合ポリペプチドが外殼タンパク質膜アンカーへの融合により繊維状ファージ粒子の表面で発現された。その他に、酵素的機能性アルカリホスファターゼが、ｃｐＩＩＩとの融合タンパク質として繊維状ファージ粒子の表面で発現された（ＭｃＣ−ａｆｆｅｒｔｙら，Ｐｒｏｔｅｉｎ　Ｅｎｇ．，４：９５５−９６１　（１９９１））。また、二官能分子を発現するための遺伝子が構築され、この場合、一本鎖抗原結合タンパク質がバクテリアのアルカリホスファターゼタンパク質に融合され、このタンパク質は標的抗原に付着された場合に結合された一本鎖結合タンパク質の検出を可能にする。Ｗｅｌｓら，Ｂｉｏ／Ｔｅｃ−ｈｎｏｌｏｇｙ，１０：１１２８−１１３２（１９９２）を参照のこと。
【０００４】
最近、表面組み込み技術が、抗体分子の如きヘテロダイマー組換え遺伝子産物を組換え遺伝子を含む繊維状ファージの表面で発現することにつき記載されていた。その技術は繊維状ファージ複製のアセンブリー段階中に遺伝子産物と遺伝子を結合するための手段として繊維状ファージ外殻タンパク質膜アンカードメインを使用し、そして結合性ライブラリーからの抗体のクローニング及び発現に使用されていた（Ｋａｎｇら，Ｐｒｏｃ．Ｎａｔｌ．Ａｃａｄ．Ｓｃｉ．，ＵＳＡ．，８８：４３６３−４３６６（１９９１））。
抗体の結合性ライブラリーは、ｃｐＶＩＩＩ膜アンカー［Ｋａｎｇら，上記文献，（１９９１）］及びｃｐＩＩＩ膜アンカー［Ｂａｒｂａｓら，Ｐｒｏｃ．Ｎａｔｌ．Ａｃａｄ．Ｓｃｉ．，ＵＳＡ．，８８：７９７８−７９８２（１９９１）］の両方を使用して産生された。Ｂ型肝炎ウイルス表面抗原と免疫反応するヒト結合性抗体ライブラリーが、その技術を使用して産生された（Ｚｅｂｅｄｅｅら，Ｐｒｏｃ．Ｎａｔｌ．Ａｃａｄ．Ｓｃｉ．，ＵＳＡ．，８９：３１７５−３１７９（１９９２））。繊維状ファージ系結合性抗体ライブラリーの多様性が、Ｈ鎖遺伝子及びＬ鎖遺伝子のシャッフリング（ｓｈ−ｕｆｆｌｉｎｇ）により［Ｋａｎｇら，Ｐｒｏｃ．Ｎａｔｌ．Ａｃａｄ．Ｓｃｉ．，ＵＳＡ．，８８：１１１２０−１１１２３（１９９１）］、そのライブラリーのクローン化されたＨ鎖遺伝子のＣＤＲ３領域を変更することにより［Ｂａｒｂａｓら，Ｐｒｏｃ．Ｎａｔｌ．Ａｃａｄ．Ｓｃｉ．，ＵＳＡ．，８９：４４５７−４４６１（１９９２）］、またエラー−プローンポリメラーゼ連鎖反応（ＰＣＲ）によりランダム突然変異をそのライブラリーに導入することにより［Ｇｒａｍら，Ｐｒｏｃ．Ｎａｔｌ．Ａｃａｄ．Ｓｃｉ．，ＵＳＡ．，８９：３５７６−３５８０（１９９２）］増大された。その他に、一本鎖Ｆｖフラグメントが、Ｍａｒｋｓら，Ｊ．Ｍｏｌ．Ｂｉｏｌ．，２２２：５８１−５９７（１９９１）により記載されたようにしてファージの表面で露出された。
これらの技術は１０６〜１０９の異なる員を含む大きなライブラリーの操作を伴うので、所望の結合特異性につきライブラリーをスクリーニングするための改良された方法に対する要望が存続している。
典型的なスクリーニング操作は、ファージ粒子の表面露出抗体に対し誘導された二次抗体の使用を伴う。二次抗体の使用は、スクリーニング操作において非特異的人工産物を導入でき、それによりスクリーニング操作の感度を変えて所望の免疫特異性の発現抗体を有するファージ粒子を同定し得る。
【０００５】
発明の簡単な説明
異なる異種ポリペプチドがｃｐＩＩＩまたはｃｐＶＩＩＩ外殻タンパク質膜アンカーのいずれかを使用して単一の繊維状ファージ粒子の表面に操作し得ることが、今発見された。こうして、ヘテロダイマーレセプターが、ファージ粒子の表面で、指示薬ポリペプチドの如き第二の異種ポリペプチドと一緒に、ファージ粒子の表面で発現し得る。
第二の異種ポリペプチドは、本発明の膜アンカーを含む融合ポリペプチドの形態で存在する。好ましい実施態様は、２種の異種ポリペプチドサブユニットを有するダイマーである。異種ポリペプチドの好ましいダイマーは、第一の繊維状ファージ外殻タンパク質膜アンカーに融合された異種ポリペプチドを含むダイマーの第一サブユニットと、可溶性のつなぎ止められていないポリペプチドである第二サブユニットとを有するダイマーである。つなぎ止められた異種ポリペプチドは外殻タンパク質膜アンカーに直接融合される。更に好ましい実施態様は、異種ポリペプチドを外殻タンパク質膜アンカーに融合するリンカーポリペプチドの存在である。
第二指示薬融合ポリペプチドは、ポリペプチドが検出可能なシグナルを与える場合のように、ファージ粒子に指示手段を与えるのに使用し得る。ファージ粒子における指示手段の存在は、二次抗体の使用を必要としないで、ファージライブラリーをスクリーニングする系を与える。
【０００６】
こうして、本発明は、ａ）第一の繊維状ファージ外殻タンパク質膜アンカーに融合された異種ポリペプチドと、ｂ）第一レセプターポリペプチド及び第二レセプターポリペプチドを含むヘテロダイマーレセプター（前記レセプターポリペプチドの一つは第二の繊維状ファージ外殻タンパク質膜アンカーに融合されている）とを含む繊維状ファージを意図している。好ましい実施態様において、ファージは第一の繊維状ファージ外殻タンパク質膜アンカーに融合された異種ポリペプチドを含むダイマーの第一サブユニットと、可溶性であるダイマーの第二サブユニットとを有するダイマーを更に含む。好ましい第一のファージ外殻タンパク質はｃｐＶＩＩＩであり、また第二のファージ外殻タンパク質はｃｐＩＩＩである。好ましい異種ポリペプチドはリンカーポリペプチドにより外殻タンパク質膜アンカーに融合される。好ましいリンカーペプチドは配列番号９１のアミノ酸残基配列を有する。好ましい実施態様において、ダイマーの第一サブユニット及び第二サブユニットは両方とも同じ指示薬ポリペプチド、好ましくはアルカリ性ホスファターゼである。
また、本発明の繊維状ファージ粒子のライブラリー、並びに本発明のファージ粒子の生産方法及び使用方法が記載される。
Ａ．定義
アミノ酸残基：ポリペプチドのペプチド結合におけるポリペプチドの化学消化（加水分解）後に形成されたアミノ酸。本明細書に記載されたアミノ酸残基は“Ｌ”異性体であることが好ましい。しかしながら、“Ｄ”異性体の残基は、所望の機能的性質がポリペプチドにより保持されることを条件として、Ｌ−アミノ酸残基を置換し得る。ＮＨ２はポリペプチドのアミノ末端に存在する遊離アミノ基を表す。ＣＯＯＨはポリペプチドのカルボキシ末端に存在する遊離カルボキシ基を表す。標準のポリペプチド命名法（Ｊ．Ｂｉｏｌ．Ｃｈｅｍ．，２４３：３５５２−５９（１９６９）により記載され、かつ３７　Ｃ．Ｆ．Ｒ．１．８２２（ｂ）（２）で採用された）に従って、アミノ酸残基の略号が下記の対応表に示される。
【０００７】
対応表
　　　記号　　　　　　　　　　　　アミノ酸
１文字　　　３文字
Ｙ　　　　　　　　　Ｔｙｒ　　　　　　　　　　　　　　　　チロシン
Ｇ　　　　　　　　　Ｇｌｙ　　　　　　　　　　　　　　　　グリシン
Ｆ　　　　　　　　　Ｐｈｅ　　　　　　　　　　　　　　　　フェニルアラニン
Ｍ　　　　　　　　　Ｍｅｔ　　　　　　　　　　　　　　　　メチオニン
Ａ　　　　　　　　　Ａｌａ　　　　　　　　　　　　　　　　アラニン
Ｓ　　　　　　　　　Ｓｅｒ　　　　　　　　　　　　　　　　セリン
Ｉ　　　　　　　　　Ｉｌｅ　　　　　　　　　　　　　　　　イソロイシン
Ｌ　　　　　　　　　Ｌｅｕ　　　　　　　　　　　　　　　　ロイシン
Ｔ　　　　　　　　　Ｔｈｒ　　　　　　　　　　　　　　　　スレオニン
Ｖ　　　　　　　　　Ｖａｌ　　　　　　　　　　　　　　　　バリン
Ｐ　　　　　　　　　Ｐｒｏ　　　　　　　　　　　　　　　　プロリン
Ｋ　　　　　　　　　Ｌｙｓ　　　　　　　　　　　　　　　　リシン
Ｈ　　　　　　　　　Ｈｉｓ　　　　　　　　　　　　　　　　ヒスチジン
Ｑ　　　　　　　　　Ｇｌｎ　　　　　　　　　　　　　　　　グルタミン
Ｅ　　　　　　　　　Ｇｌｕ　　　　　　　　　　　　　　　　グルタミン酸
Ｚ　　　　　　　　　Ｇｌｘ　　　　　　　　　　　　　　　　Ｇｌｕ　及び／または　Ｇｌｎ
Ｗ　　　　　　　　　Ｔｒｐ　　　　　　　　　　　　　　　　トリプトファン
Ｒ　　　　　　　　　Ａｒｇ　　　　　　　　　　　　　　　　アルギニン
Ｄ　　　　　　　　　Ａｓｐ　　　　　　　　　　　　　　　　アスパラギン酸
Ｎ　　　　　　　　　Ａｓｎ　　　　　　　　　　　　　　　　アスパラギン
Ｂ　　　　　　　　　Ａｓｘ　　　　　　　　　　　　　　　　Ａｓｎ　及び／または　Ａｓｐ
Ｃ　　　　　　　　　Ｃｙｓ　　　　　　　　　　　　　　　　システインＸ　　　　　　　　　Ｘａａ　　　　　　　　　　　　　　　　未知またはその他
【０００８】
本明細書で式により表される全てのアミノ酸残基配列はアミノ末端からカルボキシ末端への通常の方向の左から右への配向を有することが注目されるべきである。加えて、“アミノ酸残基”という用語は、対応表にリストされたアミノ酸並びに本明細書中に参考として含まれる３７　ＣＦＲ　１．８２２（ｂ）（４）にリストされたような修飾アミノ酸及び格別のアミノ酸を含むものと広く定義される。更に、アミノ酸残基配列の最初または末端にあるダッシュは一つ以上のアミノ酸残基の更に別の配列に結合されたペプチドまたはＮＨ２もしくはアセチルの如きアミノ末端基あるいはＣＯＯＨの如きカルボキシ末端基への共有結合を示すことが注目されるべきである。
組換えＤＮＡ（ｒＤＮＡ）分子：　二つのＤＮＡセグメントを操作により結合することにより生産されたＤＮＡ分子。こうして、組換えＤＮＡ分子は、自然に通常一緒に見られない少なくとも二つのヌクレオチド配列を含むハイブリッドＤＮＡ分子である。共通の生物起源を有しない、即ち、進化的に異なるｒＤＮＡは“異種”と言われる。
ベクター：　細胞中で自律複製できるｒＤＮＡ分子であって、これに、ＤＮＡセグメント、例えば、遺伝子またはポリヌクレオチドが付着セグメントの複製をもたらすように操作により結合し得るｒＤＮＡ分子。一種以上のポリペプチドをコードする遺伝子の発現を誘導し得るベクターは、本明細書中で“発現ベクター”と称される。特に重要なベクターは、逆転写酵素を使用して生産されたｍＲＮＡからのｃＤＮＡ（相補ＤＮＡ）のクローニングを可能にする。
レセプター：　レセプターは、他の分子に特異的（非ランダム）に結合し得る分子、例えば、タンパク質、糖タンパク質、等である。
抗体：　抗体という用語は、その種々の文法上の形態で、本明細書中で免疫グロブリン分子及び免疫グロブリン分子の免疫活性部分、即ち、抗体結合部位またはパラトープを含む分子を表すのに使用される。例示の抗体分子は無傷免疫グロブリン分子、実質的に無傷の免疫グロブリン分子並びにＦａｂ、Ｆａｂ’、Ｆ（ａｂ’）２及びＦ（ｖ）のような当業界で知られている部分を含む免疫グロブリン分子の部分である。
【０００９】
抗体結合部位：　抗体結合部位は、抗原を特異的に結合する（免疫反応する）Ｈ鎖及びＬ鎖の可変部及び超可変部を含む抗体分子の構造部分である。免疫反応という用語は、その種々の形態で、抗原決定基を含む分子と、抗体結合部位、例えば、全抗体分子またはその一部を含む分子の間の特異的結合を意味する。
融合ポリペプチド：　少なくとも二つのポリペプチドと、二つのポリペプチドを一つの連続ポリペプチドに操作により結合する結合配列とを含むポリペプチド。融合ポリペプチド中に結合された二つのポリペプチドは典型的には二つの独立の源に由来し、それ故、融合ポリペプチドは自然に通常結合されて存在しない二つの結合されたポリペプチドを含む。
上流：　ＤＮＡ転写の方向と逆の方向にあり、それ故、非コードストランドでは５’から３’へ進み、またｍＲＮＡでは３’から５’へ進む。
下流：　配列転写または読み取りの方向にＤＮＡ配列に更に沿って、即ち、ＤＮＡの非コードストランドに沿って３’から５’への方向またはＲＮＡ転写に沿って５’から３’の方向に移動する。
シストロン：　アミノ酸残基配列をコードし、かつ上流及び下流のＤＮＡ発現調節要素を含むＤＮＡ分子中のヌクレオチドの配列。
リーダーポリペプチド：　ポリペプチドのアミノ末端にあるアミノ酸配列の短い長さ部分（これはポリペプチドを内部の膜に運び、または誘導し、こうして細胞周辺腔への、そしておそらくそれを越えてのその最終の分泌を確実にする）。リーダー配列ペプチドは、普通、ポリペプチドが活性になる前に除去される。
読み取り枠：　翻訳に使用される連続のヌクレオチドトリプレット（コドン）の特別な配列。読み取り枠は翻訳開始コドンの位置に依存する。
ダイマー：　２分子のモノマーから形成されたポリマー。また、二つの同じサブユニットからなる分子であるが、時々、それは二つの異なるサブユニットからなる分子上の（ｓｕｐｒａｍｏｌｅｃｕｌａｒ）構造からなる。
【００１０】
Ｂ．繊維状ファージ
本発明は、第一ポリペプチドまたは第二ポリペプチドの少なくとも一つに融合されている繊維状ファージ膜アンカードメインを介してマトリックスに表面に組み込まれた第一ポリペプチド及び第二ポリペプチドを含むヘテロダイマーレセプターを含むタンパク質のマトリックスを含む繊維状ファージを意図している。そのマトリックスは、ヘテロダイマーレセプターを形成し得る第一ポリペプチド及び第二ポリペプチドをコードするゲノムを封入していることが好ましい。ヘテロダイマーレセプターはリガンドを結合する能力を有し、それ故、リガンド結合ヘテロダイマーレセプターと称される。
加えて、ファージは繊維状ファージ膜アンカードメイン（これは繊維状ファージと異種のポリペプチド、即ち、異種融合タンパク質である）を介してマトリックスに表面に組み込まれた第二融合タンパク質を更に含む。こうして、一実施態様において、異種ポリペプチドはアンカードメイン外殻タンパク質によりファージ膜に付着される。好ましい実施態様において、異種融合タンパク質は第一ポリペプチドサブユニット及び第二ポリペプチドサブユニットを含むダイマーの構造中に用意され、その結果、第一異種ポリペプチドサブユニットが第一繊維状ファージ外殻タンパク質膜アンカーに融合され、また第二異種ポリペプチドサブユニットが第一サブユニットに付着され、それにより、異種ポリペプチドのダイマーを形成する。その目的のために、第二異種ポリペプチドは、アンカータンパク質との融合タンパク質ではないサブユニットモノマーの形態である。こうして、第二異種ポリペプチドサブユニットは可溶性遊離モノマーである。
換言すれば、本発明の繊維状ファージは、（１）第一繊維状ファージ外殻タンパク質膜アンカーに融合された異種ポリペプチドと、（２）第一レセプターポリペプチド及び第二レセプターポリペプチドを含むヘテロダイマーレセプターとを含み、この場合、レセプターポリペプチドの少なくとも一つは第二繊維状ファージ外殻タンパク質膜アンカーに融合されている。本発明の好ましい繊維状ファージは、（１）融合タンパク質を形成する第一繊維状ファージ外殻タンパク質膜アンカーに融合された第一異種ポリペプチドを有し、かつ第二異種ポリペプチドを有するダイマー（この場合、その融合タンパク質の第一異種ポリペプチド部分は、遊離の可溶性モノマーである第二異種ポリペプチドサブユニットと結合する）と、（２）第一レセプターポリペプチド及び第二レセプターポリペプチドを含むヘテロダイマーレセプター（この場合、そのレセプターポリペプチドの少なくとも一つは第二繊維状ファージ外殻タンパク質膜アンカーに融合されている）とを含む。
【００１１】
好ましい実施態様におけるヘテロダイマーレセプターは、エピトープ結合複合体、即ち、エピトープを結合し得る第一ポリペプチドと第二ポリペプチドの複合体である。第一レセプターポリペプチド及び第二レセプターポリペプチドは抗体Ｈ鎖ポリペプチド及びＬ鎖ポリペプチドであることが好ましい。
第一レセプターポリペプチド及び第二レセプターポリペプチドは、機能性エピトープ結合複合体（ヘテロダイマーレセプター）に自己集合でき、次いでこれはリガンドに接近できる様式でファージの外表面で発現され、即ち、それらはファージに表面で組み込まれる。こうして、エピトープ結合複合体は典型的には本発明のファージの表面に存在する。
また、異種ポリペプチドはファージの表面で発現できる。一実施態様において、異種ポリペプチドはファージ膜外殻タンパク質に付着された融合タンパク質の形態である。好ましい実施態様において、融合タンパク質の第一異種ポリペプチドセグメントは第二異種ポリペプチドとダイマーを形成する。こうして、第一異種ポリペプチド及び第二異種ポリペプチドは、機能性異種ポリペプチド複合体に自己集合して、二つのモノマーからダイマーを形成でき、その複合体は、その後、第一異種ポリペプチドサブユニットに付着されたファージアンカー膜タンパク質により外表面で発現される。こうして、異種ポリペプチド及びそのダイマーは、機能を可能にするために接近できる様式でファージの表面で発現され、即ち、それらはファージに表面で組み込まれる。こうして、異種ポリペプチド及び異種ポリペプチドダイマー複合体は、典型的には本発明のファージの表面に存在する。
本発明のダイマーは２分子のモノマーから形成されたポリマーと定義される。好ましい実施態様において、ダイマーは二つの同じサブユニットからなる分子である。別の実施態様は二つの異なるサブユニットを有する分子である。ダイマーは、ヘテロダイマーレセプターの形成をもたらす第一レセプターポリペプチド及び第二レセプターポリペプチドの発現により生じる。本発明に使用される別々の異なるダイマーは、異種ポリペプチドモノマーの結合から生じる。異種ポリペプチドは、つなぎ止められていない可溶性モノマーの形態及び付着されたモノマーの形態の両方で発現され、後者はファージ膜アンカー外殻タンパク質により媒介される。
【００１２】
可溶性異種ポリペプチドモノマーは、ファージ膜外殻タンパク質につなぎ止められていないモノマーであり、こうしてつなぎ止められていないと称される。こうして、可溶性が意味することは、つなぎ止められておらず、付着されておらず、遊離の、非融合タンパク質、非融合ポリペプチドであり、これらは固定されておらず、またサブユニット間の結合、例えば、二つのシステイン残基間のジスルフィド結合、等を有するダイマーの処理によりつなぎ止められた状態から放出可能である。それ故、可溶性という用語は、別の可溶性モノマーまたはつなぎ止められたモノマーに自由に結合する膜アンカーによらずに本発明のベクターから発現される異種ポリペプチドを特定する。加えて、可溶性という用語はまたモノマーサブユニットの分離を生じる還元剤、例えば、β−メルカプトエタノールへのそのダイマーの露出によりダイマーから放出される異種ポリペプチドを特定する。
ファージによりつなぎ止められたモノマー異種ポリペプチドはまた融合タンパク質と称される。異種ポリペプチドのダイマーは、理論上、二つの可溶性遊離モノマー形態、付着モノマー形態と共に可溶性遊離モノマー形態、または二つの付着モノマー形態から形成し得る。本発明に使用するための例示ダイマーが以下に記載され、また実施例８及び９に記載される。
異種融合タンパク質及びヘテロダイマーレセプターの表面組み込みは、それに融合された第一繊維状ファージ外殻タンパク質膜アンカードメイン及び第二繊維状ファージ外殻タンパク質膜アンカードメインの存在により与えられる。外殻タンパク質はｃｐＩＩＩ及びｃｐＶＩＩＩからなる群から選ばれることが好ましい。本明細書に記載された好ましい実施態様において、第一アンカー及び第二アンカーは同じではない。即ち、異種融合タンパク質はヘテロダイマーレセプターとは異なる外殼タンパク質膜アンカーを含むことが好ましい。この特徴は、ファージ粒子の異なる領域に二つの官能基を離れて配置し、これは幾つかの用途に有利である。特に好ましいフォーマットにおいて、第一膜アンカー（異種融合タンパク質に関する）はｃｐＶＩＩＩであり、また第二膜アンカー（ヘテロダイマーレセプターに関する）はｃｐＩＩＩである。
【００１３】
二つの官能基を有する本発明の繊維状ファージは、本明細書に更に記載されるような種々の使用を提供する。
一つの特に好ましい実施態様において、ファージ粒子はヘテロダイマーレセプターと異種融合ポリペプチドの間の構造リンカーとして使用される。即ち、ファージマトリックスが、（１）異種融合ポリペプチド及び（２）ヘテロダイマーレセプターにより提供される二つの機能の組織化された提示の支持として利用できる。同じ膜アンカーが両方の機能に使用される場合、二つの機能がファージ粒子につき混合される。ｃｐＶＩＩＩが両方に使用される場合、ファージのマトリックスの大半が両方の機能でランダムに覆われる。ｃｐＩＩＩが両方に使用される場合、機能がファージ粒子の一つの末端に局在化される。
しかしながら、異なる膜アンカーが使用されることが更に好ましく、それにより異種ポリペプチド及びヘテロダイマーの露出を分離する。特に、本発明は、ヘテロダイマーレセプターを低コピー数でｃｐＩＩＩへの融合によりファージ粒子の末端に入れ、そして高コピー数で異種ポリペプチドをｃｐＶＩＩＩへの融合によりファージ粒子のマトリックス中に入れることを意図している。
好ましい実施態様において、異種ポリペプチドはリンカーポリペプチドにより膜アンカーで露出される。特に、リンカーポリペプチドは、異種ポリペプチドと膜アンカーの間のスペーサー領域を与えるアミノ酸残基の配列である。更に詳しくは、リンカーは異種ポリペプチドのカルボキシ末端と膜アンカーのアミノ末端を結合する。リンカーは、異種ポリペプチドと膜アンカー外殻タンパク質の間の連結を与えるとともに、異種ポリペプチドがファージの表面で発現された膜アンカー外殻タンパク質から更に離れて配置されることを可能にし、それにより物理的かつ空間上の束縛をそれ程受けない更に接近可能なポリペプチドを与える。異種融合タンパク質中のリンカータンパク質の存在が、本明細書に記載された本発明のダイマーの形成に特に好ましい。リンカーは好ましくは長さが１〜１００のアミノ酸残基、更に好ましくは長さが５〜５０の残基、最も好ましくは長さが２０の残基のアミノ酸残基配列である。
【００１４】
本発明に使用するための例示ポリペプチドリンカーは反復ポリペプチドＧｌｕ−ＧｌｙＧｌｙ−Ｇｌｙ−ＳｅｒまたはＥＧＧＧＳ（配列番号９１、アミノ酸残基位置１〜５から）である。本発明の異種ポリペプチド融合タンパク質中の好ましいリンカーの使用が実施例５〜９に記載される。また、リンカーポリペプチドの保存的アミノ酸置換が意図されている。好ましい機能を与えるオルタナティブアミノ酸残基配列を有するポリペプチドリンカーが同様に本発明における使用に意図されている。
一実施態様において、ヘテロダイマーレセプターは、そのリガンド結合特異性のために、異種ポリペプチドと関連する機能を前もって選択されたリガンドの付近に輸送するターゲッティング機能を与える。特定の機能のターゲッティングは、異種ポリペプチドが本明細書に更に記載されているような指示手段を与える場合、例えば、異種ポリペプチドが指示ポリペプチドである場合の診断セッティングに有益である。
また、機能的活性のターゲッティングは、標的とされるその機能的性質が治療上有益である場合に治療実用性を有し得る。こうして、異種ポリペプチドは、例えば、血液凝固の場合のようなタンパク質を分解するためのプロテアーゼ、スーパーオキサイドラジカルを除去するためのスーパーオキサイドジスムターゼ、等を含む治療関連タンパク質であり得る。この実施態様において、ヘテロダイマーレセプターは、その前もって選択された特異性に基いて適当な組織へのターゲッティングを与えるように選択される。こうして、第二融合異種ポリペプチドは、前もって選択された結合特異性を有するヘテロダイマーレセプターの存在により与えられた結合能とは独立にファージの表面に機能的活性、即ち、二官能性ファージ粒子を与えるのに使用し得る。この実施態様において、二官能性ファージは、その結合特異性に基いて関係するリガンドにターゲッティングされる能力を有し、それにより第二機能性を前もって選択されたリガンドの付近に送出する。
【００１５】
特に示す実施態様において、本発明のファージ粒子は、本明細書に更に充分に記載されるように、結合性抗体ライブラリーを操作するためのスクリーニング手段として有益である。異種ポリペプチド中の検出可能な機能性、例えば、酵素またはその他の生物活性の存在は、ファージ粒子の存在、ひいては特別な結合されたヘテロダイマーの結合特異性の存在を検出するための手段を与える。
こうして、本発明のファージは、第一膜アンカーに融合された異種ポリペプチドとして指示ポリペプチドを有し得る。特に好ましい指示ポリペプチドは、酵素、例えば、アルカリ性ホスファターゼ、ペルオキシダーゼ、グルコースオキシダーゼ、等の免疫学分野で公知であるような迅速かつ感度の良い検出を受け易い酵素である。
一緒に結合された異種ポリペプチドサブユニットを有するダイマーの実施態様において、好ましいアルカリ性ホスファターゼ指示ポリペプチドは、アルカリ性ホスファターゼの別個のモノマーサブユニットからのシステイン残基間のジスルフィド結合により媒介されたダイマーを形成する。こうして、つなぎ止められたコンホーメーションまたは可溶性コンホーメーションの二つのモノマーがジスルフィドブリッジによりダイマーを自然に形成するであろう。好ましいダイマーは、つなぎ止められたアルカリ性ホスファターゼモノマーへの可溶性アルカリ性ホスファターゼモノマーの結合により生じる。特に好ましいダイマーは、二つのアルカリ性ホスファターゼモノマーの間で形成され、この場合、一つのつなぎ止められたサブユニットがリンカーポリペプチドを介して外殼タンパク質に付着される。アルカリ性ホスファターゼ指示薬ポリペプチドのモノマー形態の酵素活性は、それらがダイマーで存在する場合に増強され、それにより本発明に使用するための増進された指示薬検出系を与える。アルカリ性ホスファターゼのダイマー形態の増強された酵素活性が実施例８及び９に記載される。
【００１６】
ファージ表面に付着されているダイマーの可能な多重形態が図１３Ａ−Ｄに図示される。ダイマーは理論的には二つの可溶性モノマーの結合から、また可溶性モノマーとつなぎ止められたモノマーから、また二つのつなぎ止められたモノマーから生じ得る。可溶性異種ポリペプチドモノマー及びつなぎ止められた異種ポリペプチドモノマーの両方の発現を与えるプラスミド系の存在下で生産されたファージは、それ故、それらの表面にヘテロダイマー及びホモダイマーの混合物を有し得る。こうして、たとえ、可溶性モノマー形態の発現が不十分であるとしても、ダイマーは想像できるように二つのつなぎ止められたモノマー間で形成し得る。しかしながら、実施例８に記載されたように、２０のアミノ酸リンカーポリペプチドにより外殻タンパク質８につなぎ止められた二つのアルカリ性ホスファターゼモノマーはファージの表面でダイマーを形成できなかった。
ダイマーを形成し得ないことは、Ｅ．ｃｏｌｉ中のファージ排出プロセスに課せられた立体障害または制限の結果であり得る。実施例８に説明されたように、ファージ膜外殻タンパク質への融合タンパク質アンカーにより発現されるタンパク質が大きい程、ファージで提示される融合タンパク質のコピー数は少ない。こうして、融合タンパク質単独のサイズは立体上の制限を生じ得る。本発明に使用するのに好ましい指示薬ポリペプチドは、大きなタンパク質、即ち、約９０キロダルトンであるアルカリ性ホスファターゼである。また、速度制限が、ファージへのとり込みにつき野生型外殻タンパク質８と融合タンパク質の競合により生じる。Ｍａｒｋｌ−ａｎｄら，Ｇｅｎｅ，１０９：１３−１９（１９９１）は、融合タンパク質の発現に関して野生型外殼タンパク質８の発現を低下すると、ファージの表面で発現される融合タンパク質の合計数の増加をもたらすことを示した。こうして、立体または速度上の基礎に関する排出プロセスは、適当な指示薬ポリペプチド機能を与える充分な数のダイマーの形成を可能にする互いに充分に接近した融合タンパク質の発現を与えないかもしれない。
【００１７】
異種指示薬ポリペプチドの好ましいダイマーの形成に関するその他の制限は、異なるファージにつなぎ止められたサブユニットの間のダイマーの形成である。このプロセスは、不溶性の無用のファージ凝集物の形成をもたらす。加えて、ダイマーは二つのつなぎ止められていない可溶性指示薬ポリペプチドサブユニット間で形成し得る。しかしながら、実施例８に説明されたように、ベクター発現系の結果として生産されたこれらの好ましくないホモダイマー対の形成は、一つのつなぎ止められた融合タンパク質と一つのつなぎ止められていない可溶性ポリペプチドから形成されたヘテロダイマー対の形成と比較してかなり減少される。結果として、つなぎ止められていない可溶性ポリペプチドに結合されたつなぎ止められた異種ポリペプチドを有する好ましいダイマーは、更に支配的かつ機能性の二量化構造である。
ヘテロダイマーレセプターは表面に接近可能な様式でファージに結合されるので、ファージはまた固相アフィニティー吸収剤として有利に使用し得る。好ましい実施態様において、ファージは固体（水不溶性）マトリックス、例えば、アガロース、セルロース、合成樹脂、多糖、等に結合、好ましくは除去可能に結合される。ファージにより発現されたレセプターに結合するリガンドを含む水性組成物は、その後、前もって決められた速度でレセプター結合条件下でカラムに通されて固相のレセプター−リガンド複合体を形成する。次いでそのカラムは洗浄されて未結合物質を除去し、固相ファージに結合されたリガンドを残す。次いでリガンドは、カラムをレセプター−リガンド複合体の解離を促進する緩衝液で洗浄することにより除去され、回収し得る。
また、精製ファージは、アフィニティー精製されるリガンドを含む水溶液と混合し得る。こうして形成されたレセプター／リガンド結合反応混合物は、ファージに結合されたレセプター−リガンド複合体が形成するのに充分な期間にわたって結合条件下に保たれる。次いでファージ結合されたリガンド（リガンドを有するファージ）は未結合物質から、例えば、遠心分離、電気泳動、沈殿、等により分離、回収される。
【００１８】
本発明のファージは、本発明の診断方法に使用される場合、標識し得る。好ましい標識として、ファージゲノムにとり込まれた放射能標識核酸、またはファージ粒子のタンパク質成分にとり込まれた放射能標識アミノ酸が挙げられる。標識ファージの調製は、本明細書に記載されているが、夫々、ファージの核酸またはポリペプチドへのとり込みのための培地中に放射能標識ヌクレオチドまたは放射能標識アミノ酸を含むファージを成長させることによりルーチンで調製し得る。例示標識は３Ｈ−チミジンまたは３５Ｓ−メチオニンである。その他の同位元素標識及びその他のヌクレオチド前駆体またはアミノ酸前駆体が当業者に容易に入手し得る。標識ファージは、本発明のリガンド結合アッセイで検出できるように充分な標識を含むことが好ましく、即ち、ファージは検出可能に標識される。
Ｃ．ファージライブラリー
また、本発明は、本発明の異なる繊維状ファージ粒子の集団の形態の繊維状ファージ粒子のライブラリーを意図している。
こうして、ファージライブラリーは、繊維状ファージ、好ましくはｆｌ、ｆｄまたはＭ１３繊維状ファージの集団であり、この場合、ファージは粒子内に本発明のｒＤＮＡ発現ベクターをパッケージしており、そのｒＤＮＡはファージのマトリックスタンパク質によりファージ粒子中に封入されている。
換言すれば、ファージライブラリーは複数の繊維状ファージ粒子を含み、夫々の異なるファージ粒子がその表面に少なくとも一つのエピトープ結合複合体を含み、更に、本明細書に記載されるように、その表面に異種融合ポリペプチドを含む。
好ましいライブラリーは、本発明の少なくとも１０６、好ましくは１０７、更に好ましくは１０８−９の異なるヘテロダイマーレセプターをコードするＤＮＡ分子を含むファージ粒子を含む。異なるという用語は、異なる融合レセプターポリペプチドがアミノ酸残基配列を異にしていることを意味する。更に高度のライブラリー多様性は、ランダムの組み合わせまたは突然変異誘発の方法がＫａｎｇら，Ｐｒｏｃ．Ｎａｔｌ．Ａｃａｄ．Ｓｃｉ．，ＵＳＡ，８８：１１１２０−１１１２３（１９９１）；　Ｂａｒｂａｓら，Ｐｒｏｃ．Ｎａｔｌ．Ａｃａｄ．Ｓｃｉ．，ＵＳＡ，８９：４４５７−４４６１（１９９２）；及びＧｒａｍら，Ｐｒｏｃ．Ｎａｔｌ．Ａｃａｄ．Ｓｃｉ．，ＵＳＡ，８９：３５７６−３５８０（１９９２）により記載されているようにライブラリー多様性を増大するのに使用される場合に利用可能である。
【００１９】
ファージのヘテロダイマーレセプターは自己集合レセプターの第一ポリペプチド及び第二ポリペプチド、例えば、Ｆａｂを形成するＶＨポリペプチド及びＶＬポリペプチドを含むので、そのライブラリーはまた多数のレセプター特異性を含み、または発現するものとして特性決定し得る。こうして、ライブラリーは少なくとも１０５、好ましくは少なくとも１０６、更に好ましくは少なくとも１０７の異なるレセプター、例えば、異なる抗体、Ｔ細胞レセプター、インテグリン等を発現する。ライブラリーのサイズは、幾つかの因子、特に、ライブラリーが生産される方法に応じて変化し得る。本明細書で使用されるサイズは、ライブラリーの複雑さまたは多様性、即ち、ライブラリー中の粒子の絶対数ではなく、ライブラリーを構成する異なる種の数を意味する。
こうして、ライブラリーが、最初にヘテロダイマーレセプターの第一ポリペプチド及び第二ポリペプチドに相当する遺伝子の二つのレパートリーを別々にクローン化することにより生産される場合、ジシストロニックベクターの形態の二つのレパートリーをランダムに組み合わせた後に得られるライブラリーサイズは大幅に増大される。例えば、夫々が１０６の異なる員を有するＬ鎖可変抗体遺伝子レパートリー及びＨ鎖可変抗体遺伝子レパートリーが考えられる。二つのレパートリーを組み合わせると、１０１２の可能な異なるヘテロダイマーレセプター種を含むファージライブラリーを生じる。
ヘテロダイマーレセプターの一つの員または両方の員をコードするＤＮＡ分子を含むファージ粒子の単離（分離）は、典型的には、ライブラリーを構成するその他のファージ粒子の集団からの関係する一つ以上の遺伝子を含む繊維状ファージ粒子の分離により行われる。ファージ粒子の分離は、ライブラリー中のその他の粒子からの個々のファージ粒子の物理的分離及び増殖を伴う。個々の粒子を生産するための繊維状ファージ粒子の物理的分離、そして個々の分離粒子から誘導された子孫ファージの集団を形成するための個々の粒子の増殖の方法は、繊維状ファージ技術において一般に公知である。
【００２０】
好ましい分離方法は、ファージ粒子と前もって選択されたリガンドの間のリガンド結合特異性によるファージ粒子の表面で発現されたヘテロダイマーの同定を伴う。“パンニング”法の使用が例示され、また好ましく、これによれば、ファージ粒子の懸濁液が固相リガンド（抗原）と接触され、特異的に結合させられる（または、ヘテロダイマーが免疫グロブリン可変ドメインを含む場合には、免疫反応させられる）。結合後、結合されていない粒子が固相から洗浄されて除かれ、結合ファージ粒子はそれらの表面にリガンド特異的ヘテロダイマーレセプター（ヘテロダイマー）を含む粒子である。次いで、結合粒子は、典型的には、リガンドーレセプター相互作用に干渉する水性溶媒の使用により、固相からの結合粒子の溶離により回収し得る。典型的な溶媒として、高イオン濃度、低ｐＨ、またはレセプター−リガンド結合相互作用を中断するのに充分な量の可溶性競合リガンドを有する緩衝液が挙げられる。
粒子の集団から表面で発現されたヘテロダイマーのリガンド特異性に基くファージ粒子を分離する別法は、リガンドとの架橋により液相からファージ粒子を沈殿させることである。
上記の粒子分離方法の使用は、本発明のファージライブラリー中に存在する繊維状ファージ粒子の集団をスクリーニングする手段を与える。ファージライブラリーに適用されるように、スクリーニングは、前もって選択されたリガンド結合特異性を有するヘテロダイマーを発現する一つ以上の粒子につきライブラリーを濃縮するのに使用し得る。ライブラリーが、全てがリガンド結合活性の幾つかの検出可能な手段を有するが、タンパク質構造、抗原性、リガンド結合アフィニティーまたは結合活性、等を異にする多種のヘテロダイマーを含むように設計される場合、そのスクリーニング方法は最初に前もって選択された結合特異性につき濃縮されたライブラリーを生産し、次いで一つ以上の単離ファージ粒子を含む更なるスクリーニングにより濃縮された第二ライブラリーを生産するのに連続的に使用し得る。リガンド結合活性、抗原性、等のリガンドと冷却との間の相互作用を測定する方法は一般に公知であり、更に説明されない。何となれば、それらは本発明の必須の特徴ではないからである。
【００２１】
こうして、一実施態様において、ファージライブラリーは、前もって選択されたリガンド結合特異性につき濃縮された粒子の集団である。
本明細書に記載されるように、本発明における繊維状ファージの特別な利点は、ファージ粒子中に存在し、ヘテロダイマーレセプターの員の一つまたは両方をコードするＤＮＡ分子がファージ粒子の表面における特別な発現されたヘテロダイマーレセプターの存在に基いてライブラリー中に存在するその他のＤＮＡ分子から分離し得ることである。更に、指示融合ポリペプチドの付加的な存在は、それがファージ粒子の存在の直接のシグナルを与える点で、スクリーニング操作に利点を与える。ライブラリースクリーニングにおいて二次指示試薬、例えば、二次標識抗体を使用する必要はない。
例えば、特別な抗体反応性がライブラリーにおいて探究されている場合、ファージライブラリーは典型的には固相中で前もって選択された抗原に対し最初に吸着される（免疫反応させられる）。その後、ライブラリーからの陽性反応ファージの存在が、ライブラリー中の抗体のクラスにつき特異的な標識抗体を使用して固相中で検出し得る。この検出工程は第二インキュベーション工程を必要とし、これが操作に加わる。加えて、抗体の使用は望まれない非特異的反応を与えることがあり、それにより所望のファージを含む抗体分子を同定するスクリーニング操作の感度を不明瞭にする。指示薬融合ポリペプチドの直接検出の使用は、（１）二次抗体インキュベーション工程の必要、及び（２）二次抗体スクリーン中の非特異的結合による分解能の損失を排除する。
ファージ粒子の表面に存在する融合ポリペプチドの実際の量は、融合ポリペプチド中に存在する外殻タンパク質膜アンカーの選択に一部依存する。
アンカーがｃｐＩＩＩから誘導される場合、典型的にはファージ粒子当たり約１〜４の融合ポリペプチドが存在する。アンカーが更に好ましいｃｐＶＩＩＩから誘導される場合、成長条件及び本明細書に説明されるその他の因子に応じて粒子表面に数百の融合タンパク質が存在する可能性がある。ファージ粒子に存在する融合ポリペプチドの実際の量は、ファージ粒子が宿主細胞中で合成されている際にファージ粒子により“捕捉される”量を調節することにより調節し得る。
【００２２】
典型的には、本発明のライブラリー中のファージ粒子は夫々の粒子の表面で約１０〜約５００のｃｐＶＩＩＩ誘導融合ポリペプチド、更に好ましくは粒子当たり約２０〜５０の融合ポリペプチドを含む。
別の実施態様において、本発明は、単一粒子の子孫であるファージ粒子の集団を意図しており、それ故、全てが粒子表面で同じヘテロダイマーを発現する。ファージのこのような集団は均一であり、かつクローン誘導され、それ故、多量の特別な融合ポリペプチドまたはヘテロダイマーレセプターを発現するための源を与える。
Ｄ．繊維状ファージの生産方法
本発明の繊維状ファージ粒子は二つの別個の表面接近性要素、即ち、ヘテロダイマーレセプターと、ファージ中の別個のＤＮＡ発現ベクターから発現された異種ポリペプチドとを含むので、ファージ粒子の調製は、同じ原核宿主細胞への二つのベクターの導入により行われることが好ましい。しかしながら、更に別の実施態様は、ヘテロダイマーレセプター及び異種ポリペプチドの表面発現のための遺伝子の両方が存在する一つのベクターの導入を意図している。ベクターの導入はこの技術の特別な適用に応じて種々の手段により行い得る。
一般に、粒子表面に（ｉ）第一融合ポリペプチドと、（ｉｉ）第一レセプターポリペプチド及び第二レセプターポリペプチドからなるヘテロダイマーレセプターとを有する繊維状ファージ粒子の生産方法は、
ａ）繊維状ファージ複製に許される原核宿主細胞に、第一融合ポリペプチドを発現できるヌクレオチド配列を含む第一ｒＤＮＡベクターを導入する工程（その第一融合ポリペプチドは第一繊維状ファージ外殻タンパク質膜アンカーに操作により融合された異種ポリペプチドを含む）；
ｂ）同原核宿主細胞に、第一レセプターポリペプチド及び第二レセプターポリペプチドを発現できるヌクレオチド配列を含むヘテロダイマーレセプターを発現するための第二ベクターを導入する工程（そのレセプターポリペプチドの一つは第二繊維状ファージ外殻タンパク質膜アンカーに融合されている）；及び
ｃ）導入された第一ベクター及び第二ベクターを含む原核宿主細胞を、繊維状ファージ生産に充分な条件下かつ第一融合ポリペプチドの発現及びヘテロダイマーレセプターの発現に充分な条件下に維持し、それによりファージ粒子を形成する工程
を含む。
【００２３】
導入工程は、ｒＤＮＡベクターの混合物によるＥ．ｃｏｌｉの同時形質転換の場合のように同時に行うことができ、または連続的に行い得る。原核宿主細胞の形質転換は公知であり、カルシウム介在性形質転換、エレクトロポレーション、等を含む。その他の導入手段として、繊維状ファージ粒子による感染が挙げられる。
繊維状ファージ粒子の生産方法は、
（ｉ）異種ポリペプチドをコードするヌクレオチド配列の下流に操作により結合されたナンセンス鎖終止コドンを含む第一ヌクレオチド配列（この場合、終止コドンは可溶性異種ポリペプチドの発現をもたらす）と、
（ｉｉ）ｔＲＮＡサプレッサー遺伝子を含む第二ヌクレオチド配列（この場合、サプレッサー遺伝子の発現は終止コドンによる充分な翻訳を可能にして第一繊維状ファージ外殻タンパク質膜アンカーに融合された異種ポリペプチドの発現をもたらすとを含む第一ベクターを有することを更に含む。
好ましい実施態様において、工程（ｉｉ）の異種ポリペプチドはリンカーポリペプチドにより外殻タンパク質膜アンカーに融合される。
本発明の繊維状ファージを生産するのに有益な原核宿主細胞は、繊維状細菌感染（ｆｉｌａｍｅｎｔｏｕｓ　ｉｎｆｅｃｔｉｏｎ）及び形態形成を許すものであり、繊維状ファージ技術において良く特性決定されている。好ましい宿主はＥ．ｃｏｌｉ細胞であるが、その他の原核細胞が使用し得る。
繊維状ファージの生産の更に別の実施態様は、可溶性異種ポリペプチドを生産できる原核宿主細胞を含む。好ましい原核宿主は、可溶性アルカリ性ホスファターゼを内因的に生産できるＰｈｏＲ変異体である。
【００２４】
好ましい実施態様において、繊維状ファージ粒子の生産方法は、ダイマーを含む第一融合ポリペプチドの形成をもたらす。融合ポリペプチドは、本発明のつなぎ止められた異種指示薬ポリペプチドモノマー、好ましくはファージ外殻タンパク質８につなぎ止められ、更に好ましくはポリペプチドリンカーにより外殻タンパク質につなぎ止められたアルカリ性ホスファターゼである。本発明のダイマーは二つの異種ポリペプチドモノマーの結合により形成される。好ましい実施態様において、つなぎ止められたアルカリ性ホスファターゼモノマーは、モノマーの夫々のシステイン残基の間のジスルフィド結合により第二アルカリ性ホスファターゼモノマーとダイマーを形成する。ダイマーはつなぎ止められたモノマーとつなぎ止められていない可溶性モノマーの間で生じることが更に好ましい。種々の形態のダイマーのプレバレンス（ｐｒｅｖａｌｅｎｃｅ）が、“繊維状ファージ”と題する項目Ｂに示されている。
ダイマーの種々の調製方法が、本発明に使用するのに意図されている。異種指示薬ポリペプチドのつなぎ止められていない可溶性モノマー形態及びつなぎ止められたモノマー形態の両方が、本発明の発現ベクターから生産される。一旦生産されると、モノマー形態はサブユニット間の結合によりダイマーを形成し得る。異種指示薬ポリペプチドのつなぎ止められたモノマー形態及びつなぎ止められていない可溶性モノマー形態が、二つの別個の発現ベクターから生産し得る。この局面におけるモノマーポリペプチドを得るための例示の方法が、実施例８に記載されている。
つなぎ止められた異種ポリペプチド及びつなぎ止められていない可溶性異種ポリペプチドの両方の発現に好ましい実施態様は、単一ベクターの使用であり、その中に
ａ）サプレッサーｔＲＮＡ分子を発現できるサプレッサーｔＲＮＡ遺伝子と、
ｂ）第一異種ポリペプチドサブユニット及び第二異種ポリペプチドサブユニットを発現するための発現カセットをコードするためのヌクレオチド配列が存在する。
発現カセットは、異種ポリペプチドの第一サブユニット及び第二サブユニットの両方をコードするメッセンジャーＲＮＡ転写産物を生産するための転写単位を含む。カセットは、ナンセンス鎖終止コドンとｔＲＮＡサプレッサー遺伝子の調節により、ファージ膜外殻タンパク質につなぎ止められた一方のサブユニット及びつなぎ止められていない、即ち、可溶性の他方のサブユニットの両方のサブユニットを生産するように設計される。ｔＲＮＡサプレッサー遺伝子とともに使用するための例示の発現カセットが発現ベクター中に存在し、その後者は実施例８に記載されているようなｐＰｈｏＣの如きつなぎ止められていない可溶性形態、または実施例５に記載されているようなｐＰｈｏ８、ｐＰｈｏＬ８及びｐＰｈｏＬ８Ｂの如きつなぎ止められた形態のバクテリアのアルカリ性の発現を与えるベクターである。
【００２５】
ナンセンス抑制は、リボソームが鎖終止コドンに出会う時に、転写単位中のメッセージの翻訳が常に停止するとは限らないが、成長ポリペプチド鎖の末端に挿入された新しいアミノ酸では時々存続するプロセスである。ナンセンス抑制が起こるＥ．ｃｏｌｉの株は、ナンセンスサプレッサーを含むと言われる。ナンセンス抑制の機構は下記のとおりである。バクテリア細胞は、アンチコドンループが突然変異されたｔＲＮＡの変異体種を含み、その結果、それが、例えば、ＵＡＧアンバーコドンと塩基対を形成する。本発明において、アンバー終止（ＴＡＧ）コドンの如き転写終止コドンを、アンカーをコードするヌクレオチド配列に挿入することにより、一つの発現ベクターが異種ポリペプチドのつなぎ止められた形態及び可溶性形態の両方を生産するのに使用され、この場合、二つのプラスミドが先に使用された。
アンバーサプレッサーｔＲＮＡの存在下における本発明の鎖終止コドンを有するプラスミドの誘導は、可溶性アルカリ性ホスファターゼと、アンバー終止コドンの部分抑制により得られるつなぎ止められたアルカリ性ホスファターゼとを生じるであろう。ｔＲＮＡ抑制遺伝子はナンセンス突然変異の効果を反転し、これがナンセンスコドンによる或る翻訳を可能にする。例示のｔＲＮＡサプレッサー遺伝子は当業界で公知である。変性タンパク質を生成するためのナンセンス抑制の使用がＭｉｌ−ｌｅｒら，Ｍｅｔｈｏｄｓ　ｉｎ　Ｅｎｚｙｍｏｌｏｇｙ，２０８：５４３−５６３（１９９１）により記載されており、その開示が参考として本明細書に含まれる。好ましいｔＲＮＡサプレッサー遺伝子はｓｕｐＤ、ｓｕｐＥ、ｓｕｐＦ、ｓｕｐＧ、ｓｕｐＰ等である。その他に、新しいｔＲＮＡサプレッサー遺伝子が設計され、そして合成オリゴヌクレオチドをアニールすることにより試験管内で構築し得る。アンバー終止コドンに代えて種々のアミノ酸を種々の効率で挿入するサプレッサーが知られている。
【００２６】
このようなサプレッサーをコードする配列が、実施例９に記載されたｐＰｈｏＡＬ８発現ベクターにとり込まれてベクター、ｐＰｈｏＡＬ８Ｓを生成でき、これが、ＦａｂをコードするｐＣｏｍｂ３プラスミド及びヘルパーファージの存在下で改良されたファージ結合抗体及び異種ポリペプチド系（ＰｈｏＰｈａｂと称される）をもたらし、これらはファージ中のアルカリ性ホスファターゼの更に良好なとり込みのために増大されたシグナルを有する。例示のｔＲＮＡサプレッサー遺伝子が実施例９に記載されている。その系は異なるアミノ酸を種々のレベルで挿入する既知のサプレッサーを試験することによりＰｈｏＰｈａｂ生産につき最適化でき、そして抑制がその状況に依存することが知られているので、アンバー終止コドンの位置が移動し得る。
例示のナンセンス鎖終止コドンとして、アンバー（ＵＡＧ）、オーカー（ＵＡＡ）、及びオパール（ＵＧＡ）が挙げられる。括弧中のコドンはｍＲＮＡを示す。アンバーのベクター中に存在する相当するヌクレオチド配列はＴＡＧである。本発明の例示の終止コドンを有するプラスミドはｐＰｈｏＡＬ８Ｓであり、実施例９に記載される。
モノマーサブユニットを得るために発現ベクターを使用することに加えて、異種指示薬ポリペプチドのモノマー形態を内因的に生産し得る原核宿主細胞の使用がまた本発明における使用につき意図されている。Ｅ．ｃｏｌｉの変異体が当業界で公知であり、２５年以上にわたって研究されてきた。これらの株は商業上入手でき、またはそれがＢＡＰを構成的に発現するようにＰｈｏＲ表現型に公知の技術により突然変異し得る。Ｍｉｌｌｅｒ，“分子遺伝学における実験”，Ｃｏｌｄ　Ｓｐｒｉｎｇ　Ｈａｒｂｏｒ　Ｌａｂｏｒ−ａｔｏｒｙ　Ｐｒｅｓｓ，（１９７２）を参照のこと。
例示の原核宿主細胞は、Ｋｒｅｕｚｅｒら，Ｇｅｎｅｔｉｃｓ，８１：４５９−４６８（１９７５）（その開示が参考として本明細書に含まれる）により記載されたように、バクテリアのアルカリ性ホスファターゼを発現できるＰｈｏＲ変異体、株ＰｈｏＲ８であるＥ．ｃｏｌｉである。変異体ｐｈｏＲは、クローン変異表現型をベースとするバクテリアのアルカリ性ホスファターゼのモノマー形態を構成的に発現する。アルカリ性ホスファターゼクローン変異は、バクテリアのｐｈｏＭオペロン及びグルコースの存在により調節される正の表現型と負の表現型の間の変化を特徴とする。表現型の切り換えはバクテリアのアルカリ性ホスファターゼ構造遺伝子、ｐｈｏＡの転写レベルで起こり、それはｒｅｃＡ依存性である。このような宿主細胞を使用する例示の方法が実施例９に記載されている。
【００２７】
典型的には、本発明の繊維状ファージ粒子の生産方法が実施されてファージ粒子のライブラリーを形成する。これに関して、導入されるｒＤＮＡは複数のｒＤＮＡベクター分子の形態であり、宿主細胞は複数の宿主細胞として存在する。
こうして、関連実施態様は、ｒＤＮＡベクター及び宿主細胞が集団で操作される以外は、上記の本発明のファージ粒子のライブラリーの生産方法を意図している。
生産されるライブラリーの型に応じて、ライブラリーを異なって生産するための上記の導入工程を実施し得る。
例えば、既存の結合性ヘテロダイマーレセプターファージライブラリーが提供でき、この場合、夫々のファージ粒子はヘテロダイマーレセプター分子を発現するためのｒＤＮＡベクターを含む。このようなライブラリーが既に記載されており、本明細書に記載されたｐＣｏｍｂ３及びｐＣｏｍｂ８をベースとするライブラリーを含む。そのライブラリーは、（１）ヘテロダイマーレセプターをコードするｒＤＮＡ分子を含む繊維状ファージ粒子、（２）ｒＤＮＡ分子を含むＥ．ｃｏｌｉ細胞、または（３）本発明の繊維状ファージまたはファージライブラリーの調製前の精製ｒＤＮＡ分子の形態に操作し得る。
その方法において、異種融合ポリペプチドを発現するｒＤＮＡベクターが、単一Ｅ．ｃｏｌｉ宿主細胞内の用意されたｒＤＮＡベクター（その種々の形態の一つ）と組み合わされ、その結果、宿主細胞は異種融合ポリペプチドを発現するためのｒＤＮＡベクターと、ヘテロダイマーレセプターを発現するためのｒＤＮＡベクターの両方を含む。その組み合わせは、多種が存在する回分プロセスの場合のように、ライブラリーの多数の員を用いて多数回反復し得る。こうして、異種融合ポリペプチド発現ｒＤＮＡベクターが、ヘテロダイマーレセプターを発現し得るｒＤＮＡベクターの既存ライブラリーと組み合わされ、それにより本発明のファージライブラリーを形成する。
【００２８】
本発明の繊維状ファージ粒子は通常の繊維状ファージ粒子調製方法により生産され、そして（１）一本鎖繊維状ファージ複製型の生産及び（２）繊維状ファージ粒子への複製型のパッケージングに必要なシグナルを与えると本明細書に記載されているような複製の繊維状ファージ開始点の本発明のＤＮＡ発現ベクター中の存在に依存する。このようなＤＮＡ分子は遺伝子相補性の導入後にバクテリア細胞宿主中に存在する場合にパッケージされて感染性ファージ粒子の生産に必要とされる繊維状ファージタンパク質を与えることができる。
それ故、上記の工程（ｃ）の維持工程が行われて導入ベクター中の遺伝子の発現及びアセンブリーを促進してファージ粒子を形成する。典型的には、ｒＤＮＡベクターはｒＤＮＡ分子の調製及び操作につき最小の遺伝情報を含み、そのようなものとして、繊維状ファージ粒子の生産に必要とされる遺伝子の完全な範囲を含まない。遺伝子相補性に典型的な好ましい方法は、本発明のＤＮＡ発現ベクターを含むバクテリア宿主細胞をヘルパー繊維状ファージで感染し、それによりファージ粒子アセンブリーに必要とされる遺伝子要素を与えることである。例示のヘルパー救済方法が本明細書中に実施例２で記載され、またＳｈｏｒｔら，Ｎｕｃ．Ａｃｉｄｓ　Ｒｅｓ．，１６：７５８３−７６００（１９８８）により記載されている。
こうして、維持工程は、ヘルパーゲノムが相補遺伝子を発現し、かつファージ粒子の発現及びアセンブリーを補助することを可能にする条件下のインキュベーション期間と組み合わされたヘルパーファージによる重感染を含む。
二つのベクターを使用して本発明のファージを生産する方法を実施する場合、本明細書に説明されるように、二つの異なるｒＤＮＡベクターにつき異なり、かつ適合性の原核生物の複製の開始点を使用することが重要であり、その結果、二つのベクターの両方が同じ宿主細胞中に同時に維持し得る。こうして、好ましい実施態様において、第一ベクター及び第二ベクターは、異なり、かつ適合性の原核生物の複製の開始点を含む。これらの異なり、かつ適合性の複製の開始点はＣｏｌＥｌ及びｐ１５Ａであることが好ましいが、単一宿主細胞中で適合性がある限り、その他のレプリコンが使用し得る。
【００２９】
加えて、両方のｒＤＮＡベクターを同じ宿主細胞中で維持するための選択の系を使用することが重要である。これは、典型的には、別個の異なる選択可能なマーカーを二つのｒＤＮＡベクターに与えることにより行われる。第一ｒＤＮＡベクターにつきｃａｔ遺伝子そして第二ｒＤＮＡベクターにつきａｍｐ遺伝子の使用が好ましい。
宿主細胞からのファージ粒子排出のプロセス中に繊維状ファージ粒子の表面に捕捉されたヘテロダイマーレセプターのレベルは、種々の手段により調節し得る。一実施態様において、融合ポリペプチドのレベルはポリペプチドを発現するための第一シストロン及び第二シストロン中の強力なプロモーターの使用により調節され、その結果、融合ポリペプチドシストロンの転写が、ヘルパーファージに関するｃｐＶＩＩＩの転写の速度以上の相対速度で起こる。別の実施態様において、ヘルパーファージはｃｐＶＩＩＩを発現するための遺伝子中にアンバー突然変異を有することができ、その結果、融合ポリペプチドよりも少ない野生型ｃｐＶＩＩＩが宿主細胞中で転写され、それにより排出プロセス中にｃｐＶＩＩＩと較べて増大された比の融合ポリペプチドをもたらす。
別の実施態様において、ファージ粒子表面のヘテロダイマーレセプターの量は融合ポリペプチドの発現とヘルパーファージによる重感染の間のタイミングを調節することにより調節し得る。宿主細胞への発現ベクターの導入後に、ヘルパーファージの添加前の更に長い遅延時間が宿主細胞中の融合ポリペプチドの増大された蓄積を可能にし、それにより排出ファージ粒子により捕捉された融合ポリペプチドの量を増加する。
更に好ましい実施態様において、ダイマーの形態の異種指示薬ポリペプチドは、ダイマーを構成する両成分がダイマーを形成するのに充分なレベルで発現されることを必要とする。その目的のために、ファージの表面につなぎ止められた異種融合タンパク質の量は、融合タンパク質と野生型外殻タンパク質の相対比に依存する。二つの指示薬ポリペプチドサブユニットの間のダイマーの形成は、つなぎ止められた融合タンパク質とつなぎ止められていない可溶性モノマーの両方の発現に依存する。結合して指示薬ポリペプチドダイマーを形成するモノマー異種融合タンパク質と可溶性モノマーサブユニットの両方が二量化を可能にするのに充分な量であることが好ましい。
【００３０】
ダイマーは、理論的には、二つの可溶性モノマーの結合から、可溶性モノマーとつなぎ止められたモノマーから、また二つのつなぎ止められたモノマーから生じ得る。それ故、可溶性異種ポリペプチドモノマー及びつなぎ止められた異種ポリペプチドモノマーの両方の発現を与えるプラスミド系の存在下で生産されたファージはそれらの表面でヘテロダイマーとホモダイマーの混合物を有し得る。こうして、たとえ、可溶性モノマー形態の発現が不十分であるとしても、ダイマーは二つのつなぎ止められたモノマーの間で想像上形成し得る。しかしながら、実施例８に記載されるように、２０のアミノ酸リンカーポリペプチドにより外殻タンパク質８につなぎ止められた二つのアルカリ性ホスファターゼモノマーは、ファージの表面でダイマーを形成し得なかった。ダイマーを形成し得ないことは、Ｅ．ｃｏｌｉ中のファージ排出プロセスに課せられた制限または立体障害の結果であり得る。
実施例８に説明されるように、融合タンパク質アンカーによりファージ膜外殻タンパク質に発現されるタンパク質が大きい程、ファージにつき与えられる融合タンパク質のコピーの数は少ない。こうして、融合タンパク質単独のサイズは立体制限を生じ得る。本発明に使用するのに好ましい指示薬ポリペプチドは、約９０キロダルトンであるアルカリ性ホスファターゼである。また、反応速度制限がファージへのとり込みにつき野生型外殻タンパク質８と融合タンパク質の競合により生じる。Ｍａｒｋｌａｎｄら，Ｇｅｎｅ，１０９：１３−１９（１９９１）は、融合タンパク質の発現に対し野生型外殻タンパク質８の発現を低下することがファージの表面で発現される融合タンパク質の合計数の増加をもたらすことを示した。こうして、立体上または速度上の基礎に関する排出プロセスは、適当な指示薬ポリペプチド機能を与える充分な数のダイマーの形成を可能にする互いに充分に接近した融合タンパク質の発現を与えないかもしれない。
【００３１】
異種指示薬ポリペプチドの好ましいダイマーの形成のその他の制限は、異なるファージにおけるつなぎ止められたサブユニットの間のダイマーの形成である。このプロセスは、不溶性の無用のファージ凝集物の形成をもたらす。加えて、ダイマーは二つのつなぎ止められていない可溶性指示薬ポリペプチドサブユニットの間で形成し得る。しかしながら、実施例８に説明されるように、ベクター発現系の結果として生産される好ましくないホモダイマー対の形成は、一つのつなぎ止められた融合タンパク質と一つのつなぎ止められていない可溶性ポリペプチドから形成されたヘテロダイマー対の形成と較べて減少される。
関連実施態様において、本発明は、夫々がファージ表面ヘテロダイマーレセプターを発現するｒＤＮＡベクターを含むファージ粒子のライブラリーをスクリーニングすることにより前もって選択された結合特異性を有する本発明の繊維状ファージ粒子を生産する方法を意図している。その方法は、
ａ）夫々がその表面に指示薬融合ポリペプチドとヘテロダイマーレセプターとを含む本発明の繊維状ファージ粒子のライブラリーを得る工程；
ｂ）固相中に存在する複数の前もって選択されたリガンド分子に得られたライブラリーの員を結合して複数の固相結合されたファージ粒子を形成する工程；
ｃ）指示薬ポリペプチドの存在につき固相を分析し、それにより前もって選択された結合特異性を有する表面露出ヘテロダイマーレセプターを含む固相結合ファージ粒子の存在につき分析する工程；及び
ｄ）ヘテロダイマーレセプターを含む固相吸着されたファージ粒子を回収する工程を含む。
【００３２】
ライブラリーのスクリーニング方法において、更に別の実施態様は、
ｉｉｉ）繊維状ファージ外殻タンパク質膜アンカーに融合された指示薬ポリペプチドである一つのサブユニットと、可溶性であり、即ち、ファージ外殻タンパク質につなぎ止められていないダイマーの第二サブユニットとを有するダイマーを含む。
好ましいダイマーは二つのアルカリ性ホスファターゼポリペプチドを含む。つなぎ止められたアルカリ性ホスファターゼサブユニットは、リンカーポリペプチドにより外殻タンパク質膜アンカーに融合されることが好ましい。
得られたライブラリーは、前もって選択されたリガンドに対する結合特異性を有する表面露出ヘテロダイマーレセプターを含むと考えられる本発明の繊維状ファージ粒子のライブラリーであり得る。ライブラリーは、あらゆる複雑さのものであり得る。ヘテロダイマーライブラリーの調製は、本明細書のいずれかに更に充分に記載されている。
レセプターを固相中のリガンドに特異的に結合する方法は一般にレセプター技術及び免疫技術で公知であり、ここに適用し得る。特に、本明細書に記載されたファージ結合反応及び結合の条件を参照のこと。
指示薬ポリペプチドの存在に関する分析は、指示薬タンパク質の生物活性に依存する。指示薬ポリペプチドは容易に検出できるように選択され、典型的には前記の如き酵素である。好ましい指示薬酵素はアルカリ性ホスファターゼであり、これは免疫技術で公知であるように局在化様式で容易に検出し得る。指示薬ポリペプチドに好ましい実施態様は二つのアルカリ性ホスファターゼサブユニットのダイマーであり、この場合、ダイマーは遊離の可溶性アルカリ性ホスファターゼモノマーと、リンカーポリペプチドにより外殼タンパク質につなぎ止められた付着アルカリ性ホスファターゼモノマーとの間で形成される。
【００３３】
固相中に存在するライブラリー中のファージの指示薬活性種のために同定したので、結合ファージを回収して特別なファージ粒子を得る。回収は、特異的結合につき競合し、または結合相互作用を中断し、それにより固相結合ファージ粒子を放出する緩衝液中で洗浄することにより行い得る。例示の緩衝液はグリシンを含み、低ｐＨである。溶離条件が実施例に記載されている。
上記のスクリーニング及び回収方法は、種々のフォーマットで実施し得る。例えば、ファージのライブラリーは、特別な結合特異性に特異的なヘテロダイマーレセプターの存在につきスクリーニングし得る。その場合、固相リガンドが固相中で用意され、ファージライブラリーの懸濁液と混合されて結合混合物を生成する。
また、異なるリガンドが複数の容器の夫々中で用意でき、そして単一ライブラリーのアリコートが夫々の容器に適用し得る。少ないファージ粒子のみが特異的に結合することが予測されるので、特異的結合ヘテロダイマーレセプターが配置されるウェルを決定するために、別個の容器中の指示薬タンパク質の活性の存在につき分析する必要がある。
更に、“ドットブロット”フォーマットが使用でき、この場合、夫々の“ドット”は異なる固相吸着された抗原に相当し、そして単一ファージライブラリーが全ドットライブラリーに対し吸着される。検出できる指示薬タンパク質活性を生じる“ドッド”が、所望のヘテロダイマーレセプターを有すると指摘される。
指示薬融合ポリペプチドを有するファージを使用するその他のスクリーニングフォーマットが意図されており、免疫技術の当業者に容易に明らかになるであろう。
【００３４】
Ｅ．ＤＮＡ発現ベクター
１．ファージミド表面異種タンパク質を生産するためのベクター
本発明のベクターは、アミノ末端からカルボキシ末端への方向に、（１）原核分泌シグナルドメイン、（２）異種ポリペプチド、及び（３）繊維状ファージ膜アンカードメインを含む融合ポリペプチドをコードし、そしてそれを発現できるヌクレオチド配列を含む組換えＤＮＡ（ｒＤＮＡ）分子である。そのベクターは、融合ポリペプチドを発現するためのＤＮＡ発現調節配列、好ましくは原核生物調節配列を含む。
繊維状ファージ膜アンカーは、繊維状ファージのマトリックスと会合でき、それにより融合ポリペプチドをファージ表面にとり込むことができるｃｐＩＩＩ外殻タンパク質またはｃｐＶＩＩＩ外殻タンパク質のドメインであることが好ましい。特に好ましい実施態様において、膜アンカーはｃｐＶＩＩＩである。
分泌シグナルは、タンパク質にグラム陰性バクテリアの周辺質膜を標的とさせるタンパク質のリーダーペプチドドメインである。
好ましい分泌シグナルはｐｅｌＢ分泌シグナルである。エルビニア・カロトバ（Ｅｒ−ｗｉｎｉａ　ｃａｒｏｔｏｖａ）からの二つのｐｅｌＢ遺伝子産物変異体からの分泌シグナルドメインの予測アミノ酸残基配列が、Ｌｅｉら，Ｎａｔｕｒｅ，３３１：５４３−５４６（１９８８）により記載されるように表１に示される。また、特に好ましいｐｅｌＢ分泌シグナルが表１に示される。
ｐｅｌＢタンパク質のリーダー配列が、融合タンパク質の分泌シグナルとして既に使用されていた。Ｂｅｔｔｅｒら，Ｓｃｉｅｎｃｅ，２４０：１０４１−１０４３（１９８８）；　Ｓａｓｔｒｙら，Ｐｒｏｃ．Ｎａｔｌ．Ａｃａｄ．Ｓｃｉ．，ＵＳＡ，８６：５７２８−５７３２（１９８９）；及びＭｕｌｌｉｎａｘら，Ｐｒｏｃ．Ｎａｔｌ．Ａｃａｄ．Ｓｃｉ．，ＵＳＡ，８７：８０９５−８０９９（１９９０）。　また、本発明に有益なＥ．ｃｏｌｉからのその他の分泌シグナルポリペプチドドメインのアミノ酸残基配列が表１にリストされる。Ｏｌｉｖｅｒ，Ｉｎ　Ｎｅｉｄｈａｒｄ，Ｆ．Ｃ．（編集），エシェリキア・コリ（Ｅｓｃｈｅｒｉｃｈｉａ　ｃｏｌｉ）及びサルモネラ・チフィムリウム（Ｓａｌｍ−ｏｎｅｌｌａ　Ｔｙｐｈｉｍｕｒｉｕｍ），米国微生物学協会，ワシントンＤ．Ｃ．，１：５６−６９（１９８７）。
【００３５】
2004000238.tif 000002
１　　　本発明に使用される
２　　　エルビニア・カロトボラ遺伝子からのＰｅｌＢ
３　　　エルビニア・カロトボラＥＣ１６遺伝子からのＰｅｌＢ
４　　　Ｅ．　ｃｏｌｉからのリーダー配列
５　　　ｃｐＶＩＩＩのリーダー配列
６　　　ｃｐＩＩＩ　のリーダー配列
【００３６】
配列番号５に示されたアミノ酸残基配列を有するＰｅｌＢ分泌シグナルは、本発明のＤＮＡ発現ベクター中の封入に好ましいＤＮＡ配列である。
本発明に好ましい膜アンカーは、繊維状ファージＭｌ３、ｆｌ、ｆｄ、及び同様の均等の繊維状ファージから得られる。好ましい膜アンカードメインが遺伝子ＩＩＩ及び遺伝子ＶＩＩＩによりコードされた外殻タンパク質中に見られる。
繊維状ファージ外殻タンパク質の膜アンカードメインは外殻タンパク質のカルボキシ末端領域の一部であり、脂質二層膜をスパンするための疎水性アミノ酸残基の領域と、通常その膜の周辺質面に見られ、その膜から離れて伸びる帯電されたアミノ酸残基の領域とを含む。
ファージｆｌ中で、遺伝子ＶＩＩＩ外殻タンパク質の膜をスパンする領域は残基Ｔｒｐ−２６〜Ｌｙｓ−４０を含み、また周辺質領域は４１から５２までのカルボキシ末端１１残基を含む。Ｏｈｋａｗａら，Ｊ．Ｂｉｏｌ．Ｃｈｅｍ．，２５６：９９５１−９９５８（１９８１）。例示の膜アンカーはｃｐＶＩＩＩの残基２６〜４０からなるようである。
こうして、好ましい膜アンカードメインのアミノ酸残基配列がＭｌ３繊維状ファージ遺伝子ＶＩＩＩ外殻タンパク質（また、ｃｐＶＩＩＩまたはｃｐ８と称される）から誘導される。好ましいｃｐＶＩＩＩ誘導膜アンカーは残基１〜残基５０の配列番号１７に示された配列を有する。遺伝子ＶＩＩＩ外殻タンパク質は、典型的には、外殻タンパク質の約２５００〜３０００のコピーを含むファージ粒子の大半にわたって成熟繊維状ファージに存在する。
【００３７】
加えて、その他の好ましい膜アンカードメインのアミノ酸残基配列がＭｌ３繊維状ファージ遺伝子ＩＩＩ外殻タンパク質（また、ｃｐＩＩＩと称される）から誘導される。好ましいｃｐＩＩＩ誘導膜アンカーは残基１〜残基２１１の配列番号１６に示された配列を有する。遺伝子ＩＩＩ外殻タンパク質は、典型的には、外殻タンパク質の約４〜６のコピーを含むファージ粒子の一端で成熟繊維状ファージに存在する。
繊維状ファージ粒子の構造、それらの外殻タンパク質及び粒子アセンブリーの詳細な説明につき、Ｒａｃｈｅｄら，Ｍｉｃｒｏｂｉｏｌ．Ｒｅｖ．，５０：４０１−４２７（１９８６）；及びＭｏｄｅｌら，“バクテリオファージ：２巻”，Ｒ．Ｃａｌｅｎｄａｒ編集，Ｐｌｅｎｕｍ　Ｐｕｂｌｉｓｈｉｎｇ　Ｃｏ．，３７５−４５６頁，（１９８８）による総説を参照のこと。
ＤＮＡ発現調節配列は構造遺伝子産物を発現するためのＤＮＡ発現シグナルの組を含み、また公知であるように、シストロンが構造遺伝子産物を発現できるようにシストロンに操作により結合された５’及び３’の両方の転写プロモーター及びターミネーター要素を含む。ＤＮＡ発現調節配列を形成するヌクレオチドの組及び構造遺伝子産物はまた集約して発現カセットと称される。５’調節配列は転写を開始するためのプロモーター（転写プロモーター）と、上流の翻訳可能なＤＮＡ配列の５’末端に操作により結合されたリボソーム結合部位とを形成する。
【００３８】
Ｅ．ｃｏｌｉ中の高レベルの遺伝子発現を得るために、強力なプロモーターを使用して多量のｍＲＮＡを生じるだけでなく、リボソーム結合部位を使用してｍＲＮＡが有効に翻訳されることを確実にすることが必要である。Ｅ．ｃｏｌｉ中で、リボソーム結合部位は開始コドン（ＡＵＧ）、または翻訳イニシエーターと、開始コドンの上流の配列３〜９のヌクレオチドの長い配置された３〜１１のヌクレオチド［Ｓｈｉｎｅら，Ｎａｔ−ｕｒｅ，２５４：３４（１９７５）］とを含む。配列ＡＧＧＡＧＧＵ（これはシャインーダルガーノ（ＳＤ）配列と称される）はＥ．ｃｏｌｉｌ６Ｓ　ｍＲＮＡの３’末端に相補性である。ｍＲＮＡ及びｍＲＮＡの３’末端にある配列へのリボソームの結合は下記の幾つかの因子により行い得る。
（ｉ）ＳＤ配列と１６Ｓ　ｔＲＮＡの３’末端との間の相補性の程度
（ｉｉ）ＳＤ配列とＡＵＧ　［Ｒｏｂｅｒｔｓら，Ｐｒｏｃ．Ｎａｔｌ．Ａｃａｄ．Ｓｃｉ．，ＵＳＡ，７６：７６０（Ｉ９７９ａ）；Ｒｏｂｅｒｔｓ　ら，Ｐｒｏｃ．Ｎａｔｌ．Ａｃａｄ．Ｓｃｉ．，ＵＳＡ，７６：５５９６（１９７９ｂ）；　Ｇｕａｒｅｎｔｅ　ら，Ｓｃｉ−ｅｎｃｅ，２０９：１４２８（１９８０）；及びＧｕａｒｅｎｔｅら，Ｃｅｌｌ，２０：５４３（１９８０）］の間の間隔そしておそらくその間にあるＤＮＡ配列最適化は、この間隔が系統的に変化されるプラスミド中の遺伝子の発現のレベルを測定することにより達成される。異なるｍＲＮＡの比較は、位置−２０から＋１３まで（この場合、ＡＵＧのＡが位置０である）［Ｇｏｌｄら，Ａｎｎｕ．Ｒｅｖ．Ｍｉｃｒｏｂｉｏｌ．，３５：３６５（１９８１）］に統計上好ましい配列があることを示す。リーダー配列が翻訳に著しく影響することが示された（Ｒｏｂｅｒｔｓら，１９７９　ａ，ｂ上記文献］。
（ｉｉｉ）ＡＵＧに続くヌクレオチド配列（これはリボソーム結合に影響する）［Ｔａｎ−ｉｇｕｃｈｉら，Ｊ．Ｍｏｌ．Ｂｉｏｌ．，１１８：５３３（１９７８）］
有益なリボソーム結合部位が、下記の表２に示される。
【００３９】
2004000238.tif 000003
ａ　　４つのファージｍＲＮＡ分子中のタンパク質合成のための開始領域の配列が下線を施されている。
ＡＵＧ　＝開始コドン（二重線が下に施されている）
１．　＝　ファージφＸ１７４遺伝子−Ａタンパク質
２．　＝　ファージＱβレプリカーゼ
３．　＝　ファージＲ１７遺伝子−Ａタンパク質
４．　＝　ファージλ遺伝子−ｃｒｏタンパク質
【００４０】
３’調節配列は、異種融合ポリペプチドとの枠中にあり、かつそのポリペプチドに操作により結合された少なくとも一つの終止コドンを形成する。
好ましい実施態様において、使用されるベクターは、複製の原核生物の開始点またはレプリコン、即ち、それで形質転換された原核宿主細胞、例えば、バクテリア宿主細胞の染色体外で組換えＤＮＡ分子の直接の自律複製及び維持につき能力を有するＤＮＡ配列を含む。このような複製の開始点は当業界で公知である。
複製の好ましい開始点は、宿主生物中で有効であるものである。好ましい宿主細胞はＥ．ｃｏｌｉである。Ｅ．ｃｏｌｉ中のベクターの使用につき、複製の好ましい開始点はｐＢＲ３２２及び種々のその他の普通のプラスミドに見られるＣｏｌＥ１である。また、ｐＡＣＹＣ及びその誘導体に見られる複製のｐ１５Ａ開始点が好ましい。ＣｏｌＥｌレプリコン及びｐ１５Ａレプリコンが分子生物学において広く使用されており、種々のプラスミドにつき入手でき、またＳａｍｂｒｏｏｋら，“分子クローニング：実験マニュアル”第２編，Ｃｏｌｄ　Ｓｐｒｉｎｇ　Ｈａｒｂｏｒ　Ｌａｂｏｒａｔｏｒｙ　Ｐｒｅｓｓ，１９８９により少なくとも記載されている。
ＣｏｌＥｌレプリコン及びｐ１５Ａレプリコンが本発明に使用するのに特に好ましい。何となれば、それらは夫々Ｅ．ｃｏｌｉ中でプラスミドの複製を誘導する能力を有するが、一方、その他のレプリコンは同じＥ．ｃｏｌｉ細胞中で第二プラスミド中に存在するからである。即ち、ＣｏｌＥｌ及びｐ１５Ａは、同じ宿主中の二つのプラスミドの維持を可能にする非干渉レプリコンである。例えば、Ｓａｍｂｒｏｏｋら，上記文献１．３〜１．４頁を参照のこと。この特徴が本発明に特に重要である。何となれば、ファージ複製に許される単一宿主細胞は、二つの別個のベクター、即ち、異種融合ポリペプチドを発現するためのベクターと、ヘテロダイマーレセプターを発現するためのベクターの独立かつ同時の複製を支持する必要があるからである。
【００４１】
加えて、原核生物レプリコンを含む実施態様はまた発現がそれで形質転換されたバクテリア宿主に薬剤耐性の如き選択的な利点を与える遺伝子を含む。典型的なバクテリアの薬剤耐性遺伝子は、アンピシリン、テトラサイクリン、ネオマイシン／カナマイシンまたはクロラムフェニコールに対する耐性を与える遺伝子である。また、ベクターは典型的には翻訳可能なＤＮＡ配列の挿入に都合のよい制限部位を含む。例示のベクターは、バイオラド・ラボラトリィズ（リッチモンド、ＣＡ）から入手し得るプラスミドｐＵＣ８、ｐＵＣ９、ｐＢＲ３２２、及びｐＢＲ３２９並びにファーマシア（ピスキャットアウェー、ＮＪ）から入手し得るｐＰＬ及びｐＫＫ２２３である。
特に好ましいｒＤＮＡベクターは、本発明の繊維状ファージの表面で指示薬として機能する異種融合ポリペプチドを含む。好ましい指示薬ポリペプチドは、本明細書に更に記載されているアルカリ性ホスファターゼである。
好ましいベクターは、（１）転写プロモーター、（２）リボソーム結合部位、（３）Ｐｅｌ　Ｂ原核生物分泌シグナルドメインの最初にある翻訳開始コドン、（４）約８のアミノ酸残基の短いポリペプチドリンカーをコードする配列、（５）約４５０のアミノ酸残基のアルカリ性ホスファターゼ（ＡＰａｓｅ）ポリペプチドをコードする配列、（６）ｃｐＶＩＩＩ膜アンカーをコードする配列、（７）翻訳終止コドン、及び（８）転写ターミネーターを含む本発明の指示薬融合ポリペプチドを形成する図８に示された転写単位（発現カセット）を含む。転写単位を有する例示のベクターは、夫々図９、１０、１１、及び１２に示され、また実施例５及び８に記載されたｐＰｈｏ８ｃａｔ、ｐＰｈｏ８Ｂ、ｐＰｈｏＬ８及びｐＰｈｏＬ８Ｂである。
関連実施態様において、本発明のベクターの好ましい転写単位は、第二リンカーポリペプチドがＡＰａｓｅポリペプチドと膜アンカーの間に配置される以外は、上記のアルカリ性ホスファターゼ指示薬ポリペプチドと同じである。第二リンカーは長さが３から５０のアミノ酸残基であることが好ましい。一実施態様において、リンカーはαらせんを優先的に形成するアミノ酸残基を含む。別の実施態様において、第二リンカーは多量体の反復ポリペプチド単位（ＥＧＧＧＳ）ｎ（配列番号９１、アミノ酸残基１〜５）（式中、ｎは２〜１０、好ましくは４である）を含む。第二リンカーが反復単位（ｎが４である）であるベクターは、図１１に示され、また実施例５に記載されたベクターｐＰｈｏＬ８である。
【００４２】
加えて、好ましいベクターはＡｐａｓｅを含む上記の転写単位の一つを含み、更に複製のｐ１５Ａ開始点と、クロラムフェニコールに対する耐性を与える選択可能なマーカー（ｃａｔ　）とを含む。また、ベクターは、ファージ感染により許される宿主細胞への送出のためにファージ粒子へのそのベクターのパッケージングを可能にする複製の繊維状ファージ開始点、好ましくはｆｌ開始点を含むことが好ましい。別の実施態様において、本発明は、アルカリ性ホスファターゼコード配列と繊維状ファージ外殻タンパク質膜アンカーコード配列の間に配置されたナンセンス鎖終止コドンの抑制により二つのサブユニットを同時発現し得るサプレッサーｔＲＮＡ分子の使用により、同じ転写単位から可溶性Ａｐａｓｅサブユニットと、Ａｐａｓｅ融合タンパク質サブユニットの両方を生産する方法を記載する。
こうして、この実施態様において、本発明はその方法を実施するためのベクターを意図している。そのベクターは、発現後に、本明細書に記載されたように繊維状ファージ粒子の表面で集合できるアルカリ性ホスファターゼダイマーの第一ポリペプチドサブユニット及び第二ポリペプチドサブユニットの両方を発現できる。そのベクターは、
ａ）サプレッサーｔＲＮＡ分子を発現できるサプレッサーｔＲＮＡ遺伝子と、
ｂ）第一ポリペプチドサブユニット及び第二ポリペプチドサブユニットを発現するための発現カセットとをコードするヌクレオチド配列を含み、その発現カセットは
ｉ）第一ポリペプチドサブユニット及び第二ポリペプチドサブユニットをコードするメッセンジャーＲＮＡ転写産物を生産するための転写プロモーター及び転写ターミネーター；
ｉｉ）翻訳イニシエーターで開始し、アンバー、オーカー及びオパールからなる群から選ばれたナンセンス鎖終止コドンで終了する可溶性アルカリ性ホスファターゼをコードする第一読み取り枠；及び
ｉｉｉ）第一読み取り枠の下流に操作により結合された第二読み取り枠を含み、その第二読み取り枠は、繊維状ファージ外殻タンパク質膜アンカーをコードし、その結果、サプレッサーｔＲＮＡ分子によるナンセンス鎖終止コドンの抑制後に、第一読み取り枠及び第二読み取り枠が一のポリペプチドとして翻訳され、その翻訳ポリペプチドは繊維状ファージ外殻タンパク質膜アンカーと枠中で操作により結合されたアルカリ性ホスファターゼを有する融合タンパク質である。
【００４３】
翻訳終止コドンの“読み過ごし”を調節し、そして更に大きな融合タンパク質を形成するためのサプレッサーｔＲＮＡ遺伝子の使用が、本明細書に詳しく記載されている。種々のサプレッサーｔＲＮＡ遺伝子のいずれもが、公知であり、また本明細書に記載されているるように使用し得る。ダイマーを生産するための発現カセットに対するベクター中のサプレッサーｔＲＮＡ遺伝子の位置は、両方の転写単位がそれらの夫々の構造遺伝子を独立に発現できる限り、重要ではない。
【００４４】
この目的に好ましいベクターは本発明の繊維状ファージ外殻タンパク質膜アンカーをコードし、特に好ましいベクターは本明細書に記載された融合タンパク質中のポリペプチドリンカーをコードする。
２．ファージミド表面ヘテロダイマーレセプターを生産するためのベクター
繊維状ファージ粒子の表面におけるヘテロダイマーレセプターの発現のためのベクターは、第一レセプターポリペプチド及び第二レセプターポリペプチドの形態で翻訳可能な第一ＤＮＡ配列及び第二ＤＮＡ配列を受取り、発現するのに適した組換えＤＮＡ（ｒＤＮＡ）分子であり、この場合、レセプターポリペプチドの一つは繊維状ファージ外殻タンパク質膜アンカーに融合される。即ち、繊維状ファージ膜アンカードメインと原核生物分泌シグナルドメインとを含む融合ポリペプチドはレセプターポリペプチドのうちの一つである。
ヘテロダイマーレセプターを発現するためのＤＮＡ発現ベクターは、二つの翻訳可能なＤＮＡ配列をベクター中に存在する二つの別個のカセットに独立にクローン化（挿入）してヘテロダイマーレセプターの第一ポリペプチド及び第二ポリペプチド、またはヘテロダイマーレセプターを含むポリペプチドのリガンド結合部分を発現するための二つの別個のシストロンを形成するための系を与える。二つのシストロンを発現するためのＤＮＡ発現ベクターは、ジシストロニック発現ベクターと称される。
そのベクターは、挿入ＤＮＡへの方向性結合に適したヌクレオチドの配列を介して操作により結合された上流及び下流の翻訳可能なＤＮＡ配列を含む第一カセットを含む。上流の翻訳可能な配列は本明細書に特定された分泌シグナルをコードする。下流の翻訳可能な配列は、本明細書に特定された繊維状ファージ膜アンカーをコードする。カセットは、インサート翻訳可能なＤＮＡ配列（インサートＤＮＡ）が方向性結合に適したヌクレオチドの配列を介してカセットに方向性挿入される場合に生産されるレセプターポリペプチドを発現するためのＤＮＡ発現調節配列を含むことが好ましい。繊維状ファージ膜アンカーは、繊維状ファージ粒子のマトリックスを結合でき、それにより融合ポリペプチドをファージ表面にとり込むことができるｃｐＩＩＩ外殻タンパク質またはｃｐＶＩＩＩ外殻タンパク質のドメインであることが好ましい。
【００４５】
また、レセプター発現ベクターは、第二レセプターポリペプチドを発現するための第二カセットを含む。第二カセットは、方向性結合に適したヌクレオチドの配列を介して典型的にはカセットの読み取り枠中に少なくとも一つの終止コドンを形成するベクターの下流ＤＮＡ配列にその３’末端で操作により結合された本明細書に特定された分泌シグナルをコードする第二の翻訳可能なＤＮＡ配列を含む。第二の翻訳可能なＤＮＡ配列は、ＤＮＡ発現調節配列にその５’末端で操作により結合されて５’要素を形成する。第二カセットは、翻訳可能なＤＮＡ配列（インサートＤＮＡ）の挿入後に、そのインサートＤＮＡによりコードされたポリペプチドと共に分泌シグナルのレセプターを含む第二融合ポリペプチドを発現できる。
上流の翻訳可能なＤＮＡ配列は前記の原核生物分泌シグナルをコードする。配列番号５に示されたアミノ酸残基配列を有するｐｅｌＢ分泌シグナルをコードする上流の翻訳可能なＤＮＡ配列は、レセプター発現ベクター中の封入に好ましいＤＮＡ配列である。
下流の翻訳可能なＤＮＡ配列は前記の繊維状ファージ膜アンカーをコードする。こうして、下流の翻訳可能なＤＮＡ配列は、繊維状ファージ遺伝子ＩＩＩまたは遺伝子ＶＩＩＩ外殻タンパク質の膜アンカードメインに相当し、好ましくはそのドメインと同じであるアミノ酸残基配列をコードする。
本発明のＤＮＡ発現ベクター中のカセットは、翻訳可能なＤＮＡ配列（インサートＤＮＡ）の挿入後に、適当な宿主中でレセプターポリペプチドを発現できるヌクレオチドの配列を形成するそのベクターの領域である。ヌクレオチドの発現コンピテント配列はシストロンと称される。こうして、そのカセットは、上流及び下流の翻訳可能なＤＮＡ配列に操作により結合されたＤＮＡ発現調節要素を含む。シストロンは、翻訳可能なＤＮＡ配列がその目的に適したヌクレオチドの配列を介して上流配列と下流配列の間に方向性挿入（方向性結合）される場合に形成される。得られる三つの翻訳可能なＤＮＡ配列、即ち、上流配列、挿入配列及び下流配列は全て同じ読み取り枠中で操作により結合される。
【００４６】
こうして、ヘテロダイマーレセプターを発現するためのＤＮＡ発現ベクターは、翻訳可能なＤＮＡ配列をベクターのカセット部分にクローン化して、ヘテロダイマーレセプターの第一レセプターポリペプチド及び第二レセプターポリペプチドを発現できるシストロンを生産するための系を与える。
発現ベクターは、それが異種融合ポリペプチドまたはヘテロダイマーレセプターのいずれかを発現するのに使用されようとも、適合宿主中で、構造遺伝子産物を発現できるものとして特性決定される。
本明細書で使用される“ベクター”という用語は、それが操作により結合された別の核酸を異なる遺伝子環境間に輸送できる核酸分子を表す。好ましいベクターは、それらが操作により結合されるＤＮＡセグメント中に存在する構造遺伝子産物の自律複製及び発現の可能なものである。
それ故、ベクターは前記のレプリコンと選択可能なマーカーとを含むことが好ましい。
ＤＮＡ配列またはセグメントに関して本明細書で使用される“操作により結合された”という用語は、その配列またはセグメントが、好ましくは通常のホスホジエステル結合により、一本鎖または二本鎖形態のＤＮＡの一つのストランドに共有結合されたことを意味する。
本発明の転写単位またはカセットが操作により結合されるベクターの選択は、当業界で公知であるように、所望される機能的性質、例えば、ベクター複製及びタンパク質発現、並びに形質転換される宿主細胞に直接依存し、これらは組換えＤＮＡ分子を構築する技術に固有の制限である。
方向性結合に適したヌクレオチドの配列、即ち、ポリリンカーは、（１）複製及び輸送のために上流の翻訳可能なＤＮＡ配列及び下流の翻訳可能なＤＮＡ配列を操作により結合し、かつ（２）ベクターへのＤＮＡ配列の方向性結合のための部位または手段を与えるＤＮＡ発現ベクターの領域である。典型的には、方向性ポリリンカーは、二つ以上の制限エンドヌクレアーゼ認識配列、または制限部位を形成するヌクレオチドの配列である。制限開裂後に、二つの部位は、翻訳可能なＤＮＡ配列がＤＮＡ発現ベクターに結合し得る付着末端を生じる。二つの制限部位は、制限開裂後に、非相補性であり、それにより、カセット中への翻訳可能なＤＮＡ配列の方向性挿入を可能にする付着末端を与えることが好ましい。一実施態様において、方向性結合手段は、上流の翻訳可能なＤＮＡ配列、下流の翻訳可能なＤＮＡ配列、またはその両方中に存在するヌクレオチドにより与えられる。別の実施態様において、方向性結合に適したヌクレオチドの配列は、多方向性クローニング手段を形成するヌクレオチドの配列を含む。方向性結合に適したヌクレオチドの配列が多数の制限部位を形成する場合、それは多クローニング部位と称される。
【００４７】
好ましい実施態様において、ＤＮＡ発現ベクターは、本発明の教示に従ってゲノムを封入する繊維状ファージ粒子の形態で都合の良い操作のために設計される。この実施態様において、ＤＮＡ発現ベクターは複製の繊維状ファージ開始点を形成するヌクレオチド配列を含み、その結果、そのベクターは、適当な遺伝子相補性の表示後に、一本鎖複製型で繊維状ファージとして複製でき、そして繊維状ファージ粒子にパッケージングし得る。この特徴は、ファージ粒子の集団を含むその他の粒子からの、粒子、及びその中に含まれたベクターのその後の分離のためにファージ粒子にパッケージングされるＤＮＡ発現ベクターの能力を与える。
複製の繊維状ファージ開始点は、公知であるように、複製の開始、複製の終止及び複製により生産された複製型のパッケージングのための部位を形成するファージゲノムの領域である。例えば、Ｒａｓｃｈｅｄら，Ｍｉｃｒｏｂｉｏｌ．Ｒｅｖ．，５０：４０１−４２７（１９８６）；及びＨｏｒｉｕｃｈｉ，Ｊ．Ｍｏｌ．Ｂｉｏｌ．，１８８：２１５−２２３（１９８６）を参照のこと。
本発明で使用するのに好ましい複製の繊維状ファージ開始点は、複製のＭ１３、ｆｌまたはｆｄファージ開始点である。配列番号９０に示された配列を有し、またＮｕｃｌ．Ａｃｉｄｓ　Ｒｅｓ．，１６：７５８３−７６００（１９８８）に記載された複製の繊維状ファージ開始点が特に好ましい。好ましいＤＮＡ発現ベクターは、実施例１に記載されたジシストロニック発現ベクターｐＣｏｍｂ８、ｐＣＫＡＢ８、ｐＣｏｍｂ２−８、ｐＣｏｍｂ３、ｐＣＫＡＢ３、ｐＣｏｍｂ２−３及びｐＣｏｍｂ２−３’である。
【００４８】
Ｆ．ヘテロダイマーレセプターのライブラリーの生産方法
１．一般的な説明
一実施態様において、本発明は、記載されたベクターを使用する遺伝子レパートリーからの前もって選択されたリガンド結合特異性の同時のクローニング及びスクリーニングのための系を提供する。この系はクローニング方法及びスクリーニング方法のリンケージを与え、幾つかの要件を有する。第一に、Ｅ．ｃｏｌｉの如き試験管内の発現宿主中のヘテロダイマーレセプターのポリペプチド鎖の発現は、機能性ヘテロダイマーが集合してリガンドを結合するレセプターを生産し得るために二つのポリペプチド鎖の同時発現を必要とする。第二に、前もって選択されたリガンド結合能のためのライブラリーの単離された員のスクリーニングは、発現されたレセプター分子の結合能をその員をライブラリーからコードする遺伝子を単離するのに都合の良い手段と相関させる手段（リンケージ）を必要とする。
最後に、指示薬ポリペプチドに融合された繊維状ファージ外殻タンパク質膜アンカードメインを含む第二の異種融合タンパク質が、ファージの表面に存在して機能性指示薬の存在につきそのライブラリーをスクリーニングする手段を与え、それによりスクリーニングプロトコルを簡素化する。
発現とスクリーニングのリンケージは、機能性レセプターのアセンブリーを可能にするバクテリア細胞の周辺質への融合ポリペプチドのターゲティングと、関係するライブラリー員の都合のよいスクリーニングを可能にするためのファージアセンブリー中の繊維状ファージ粒子の外殻への集合レセプターのターゲティングとの組み合わせにより達成される。周辺質ターゲティングは、本発明の融合ポリペプチド中の分泌シグナルドメインの存在により与えられる。ファージ粒子へのターゲティングは、本発明の融合ポリペプチド中の繊維状ファージ外殻タンパク質膜アンカードメイン（即ち、ｃｐＩＩＩまたはｃｐＶＩＩＩ誘導膜アンカードメイン）の存在により与えられる。
抗体のライブラリーの調製が他人により記載されており、本発明の一つの成分、即ち、ヘテロダイマーレセプターを発現するライブラリー中で生産されたベクター及びファージの例示である。例えば、Ｋａｎｇら，Ｐｒｏｃ．Ｎａｔｌ．Ａｃａｄ．Ｓｃｉ．，ＵＳＡ，８８：４３６３−４３６６（１９９１）；　Ｂａｒｂａｓら，Ｐｒｏｃ．Ｎａｔｌ．Ａｃａｄ．Ｓｃｉ．，ＵＳＡ，８８：７９７８−７９８２（１９９１）；Ｚｅｂｅｄｅｅ　ら，Ｐｒｏｃ．Ｎａｔｌ．Ａｃａｄ．Ｓｃｉ．，ＵＳＡ，８９：３１７５−３１７９（１９９２）；　Ｋａｎｇら，Ｐｒｏｃ．Ｎａｔｌ．Ａｃａｄ．Ｓｃｉ．，ＵＳＡ，８８：１１１２０−１１１２３（１９９１）；　Ｂａｒｂａｓ　ら，Ｐｒｏｃ．Ｎａｔｌ．Ａｃａｄ．Ｓｃｉ．，ＵＳＡ，８９：４４５７−４４６１　（１９９２）；及びＧｒａｍら，Ｐｒｏｃ．Ｎａｔｌ．Ａｃａｄ．Ｓｃｉ．，ＵＳＡ，８９：３５７６−３５８０（１９９２）（これらの開示は参考として本明細書に含まれる）により記載されたようなファージミドに関する結合性抗体ライブラリーの調製を参照のこと。
【００４９】
本発明はＤＮＡ分子のライブラリーの生産方法を実施することを含み、夫々のＤＮＡ分子はヘテロダイマーレセプターの形態で繊維状ファージ粒子の表面で第一レセプターポリペプチド及び第二レセプターポリペプチドを発現するための第一シストロン及び第二シストロンを含む。その方法は、一般に、（ａ）結合緩衝液中で（ｉ）第一レセプターポリペプチドをコードする遺伝子のレパートリーと（ｉｉ）第一融合ポリペプチド発現シストロンを生成するのに適した直線形の複数のＤＮＡ発現ベクターを合わせることにより結合混合物を生成する工程、及び（ｂ）遺伝子のレパートリーがライブラリーを形成する複数のベクターに操作により結合されるようになるのに充分な期間にわたってその混合物を結合条件に暴露する工程を含む。その方法は、第二のレセプターポリペプチドをコードする遺伝子のレパートリーを用いて繰り返され、これらの遺伝子をベクターの第二シストロンに結合して第二レセプターポリペプチドを発現するのに適した複数のＤＮＡベクターを生成し、それによりジシストロニックベクターからヘテロダイマーレセプターを発現し得るライブラリーを形成する。
こうして生産されたライブラリーは、本明細書に記載された発現方法及びスクリーニング方法によりライブラリー中に代表されたジシストロニックの得られるライブラリーによりコードされた発現ヘテロダイマーレセプターの発現及びスクリーニングに使用し得る。
【００５０】
２．遺伝子レパートリーの生産　遺伝子レパートリーは異なる遺伝子、好ましくはポリペプチドをコードする遺伝子（ポリペプチド遺伝子）の集合であり、天然源から単離されてもよく、また人工的に生じ得る。好ましい遺伝子レパートリーは保存遺伝子を含む。特に好ましい遺伝子レパートリーは、ヘテロダイマーレセプター分子の員をコードする遺伝子のいずれかまたは両方を含む。
本発明を実施するのに有益な遺伝子レパートリーは、少なくとも１０３、好ましくは少なくとも１０４、更に好ましくは少なくとも１０５、最も好ましくは少なくとも１０７の異なる遺伝子を含む。遺伝子のレパートリーの多様性を評価する方法は当業者に公知である。
こうして、一実施態様において、本発明は、保存遺伝子のレパートリーから前もって選択された活性を有するダイマーレセプターをコードする一対の遺伝子の分離方法を意図している。更にまた、遺伝子のクローン化された対を発現し、得られる発現ダイマーレセプタータンパク質を分離することが記載されている。レセプターは、リガンド、例えば、抗体分子もしくはその免疫活性部分、細胞レセプター、または保存遺伝子、即ち、長さが少なくとも約１０のヌクレオチドの保存ヌクレオチド配列を含む遺伝子のファミリーの員の一つによりコードされた細胞付着タンパク質を結合できるヘテロダイマーポリペプチドであることが好ましい。
ダイマーレセプターの異なるポリペプチド鎖をコードする例示の保存遺伝子ファミリーは、免疫グロブリン、クラスＩまたはＩＩの主要組織適合性複合体抗原、リンパ球レセプター、インテグリン、等をコードするものである。
種々の公知の方法が、有益な遺伝子レパートリーを生産するのに使用し得る。例えば、ＶＨ遺伝子レパートリー及びＶＬ遺伝子レパートリーが、抗体産生細胞、即ち、Ｂリンパ球（Ｂ細胞）、好ましくは脊椎動物の循環系または牌臓中に見られるような転移Ｂ細胞の異種集団からＶＨコードｍＲＮＡ及びＶＬコードｍＲＮＡを単離することにより生産し得る。転移Ｂ細胞は、免疫グロブリン遺伝子トランスロケーション、即ち、転移がそれらに隣接して配置された免疫グロブリン遺伝子Ｖ、Ｄ及びＪ領域の転写産物を含むｍＲＮＡの細胞中の存在により実証されるように起こったＢ細胞である。典型的には、Ｂ細胞は、通常１０６のＢ細胞／ｍｌを含む血液の試料１〜１００　ｍｌ中で集められる。
【００５１】
幾つかの場合に、例えば、年齢、健康及び免疫応答の種々の段階のいずれか一つの脊椎動物からの核酸細胞の源（源細胞）として使用することにより、前もって選択された活性につきレパートリーをバイアスすることが望ましい。例えば、転移Ｂ細胞を集める前の健康な動物の反復免疫感作は、高アフィニティーのレセプターを生産する遺伝子物質につき濃縮されたレパートリーを得ることをもたらす。Ｍｕｌｌｉｎａｘら，Ｐｒｏｃ．Ｎａｔｌ．Ａｃａｄ．Ｓｃｉ．，ＵＳＡ，８７：８０９５−８０９９（１９９０）。逆に、免疫系が最近抗原投与されなかった健康な動物（即ち、ナイーブ免疫系）から転移Ｂ細胞を集めることは、高アフィニティーのＶＨポリペプチド及び／またはＶＬポリペプチドの生産に関してバイアスされていないレパートリーを生産することをもたらす。
核酸が得られる細胞の集団の遺伝的不均一性が大きい程、本発明の方法のスクリーニングに利用可能にされる免疫レパートリー（ＶＨコード遺伝子及びＶＬコード遺伝子を含む）の多様性が大きいことが注目されるべきである。こうして、異なる個体、特に、免疫学上かなりの年齢差を有する個体からの細胞、また異なる株、レースまたは種の個体からの細胞が有利に合わされてレパートリーの不均一性（多様性）を増大し得る。
こうして、一つの好ましい実施態様において、源細胞は、活性が探索されている抗原性リガンド（抗原）、即ち、前もって選択された抗原により免疫または部分免疫された脊椎動物、好ましくは哺乳類から得られる。免疫感作は都合よく行い得る。動物中の抗体力価が監視されて所望される免疫感作の段階を測定でき、その段階は所望されるレパートリーの濃縮またはバイアス化（ｂｉａｓｉｎｇ）の量に相当する。部分免疫された動物は、典型的には、１回のみの免疫感作を受け、応答が検出された直後に細胞がこれらの動物から集められる。完全に免疫された動物はピーク力価を示し、これは、通常、２〜３週の間隔で宿主哺乳類への抗原の１回以上の反復注射により得られる。通常、最後の抗原投与の３〜５日後に、牌臓が除去され、牌臓細胞（その約９０％が転移Ｂ細胞である）の遺伝子レパートリーが通常の操作を使用して単離される。Ｃｕｒｒｅｎｔ　Ｐｒｏｔｏｃｏｌｓ　ｉｎ　Ｍｏｌｅｃｕｌａｒ　Ｂｉｏｌｏｇｙ，Ａｕｓｕｂｅｌら編集，Ｊｏｈｎ　Ｗｉｌｅｙ＆Ｓｏｎｓ，ＮＹを参照のこと。ＶＨポリペプチド及びＶＬポリペプチドをコードする核酸が、ＩｇＡ、ＩｇＤ、ＩｇＥ、ＩｇＧまたはＩｇＭを生産する細胞、最も好ましくはＩｇＭ生産細胞及びＩｇＧ生産細胞から誘導し得る。
【００５２】
免疫グロブリン可変部遺伝子が異なる集団としてクローン化し得るゲノムＤＮＡのフラグメントの調製方法は、当業界で公知である。例えば、Ｈｅｒｒｍａｎら，Ｍｅｔ−ｈｏｄｓ　Ｉｎ　Ｅｎｚｙｍｏｌ．，１５２：１８０−１８３，（１９８７）；　Ｆｒｉｓｃｈａｕｆ，Ｍｅｔｈｏｄｓ　Ｉｎ　Ｅｎｚｙｍｏｌ．，１５２：１８３−１９０（１９８７）；　Ｆｒｉｓｃｈａｕｆ，Ｍｅｔｈｏｄｓ　Ｉｎ　Ｅｎｚｙｍｏｌ．，１５２：１９０−１９９（１９８７）；及びＤｉＬｅｌｌａら，Ｍｅｔｈｏｄｓ　Ｉｎ　Ｅｎｚｙｍｏｌ．，１５２：１９９−２１２（１９８７）を参照のこと（本明細書に引用された文献の教示が参考として本明細書に含まれる）。
所望の遺伝子レパートリーは、可変部を発現する遺伝子を含むゲノム物質または可変部の転写産物に相当するメッセンジャーＲＮＡ（ｍＲＮＡ）から単離し得る。非転移Ｂリンパ球以外からのゲノムＤＮＡを使用することの難点は、可変部をコードする配列を並置することにあり、その可変部では配列がイントロンにより分離されている。適当なエクソンを含む一つ以上のＤＮＡフラグメントが単離され、イントロンが切除され、次いでエクソンが適当な順序かつ適当な配向でスプライシングされる必要がある。殆どの部分につき、これは困難であり、その結果、転移Ｂ細胞を使用する別の技術が選択される方法であろう。何となれば、Ｖ、Ｄ及びＪ免疫グロブリン遺伝子領域が隣接するように転座されており、その結果、その配列が全可変部につき連続である（イントロンを含まない）からである。
ｍＲＮＡが使用される場合、細胞がＲＮａｓｅ抑制条件下で溶解されるであろう。一実施態様において、第一工程は全細胞ｍＲＮＡを単離することである。その後、ポリＡ＋ｍＲＮＡがオリゴ−ｄＴセルロースカラムへのハイブリダイゼーションにより選択し得る。その後、Ｈ鎖ポリペプチド及び／またはＬ鎖ポリペプチドをコードするｍＲＮＡの存在が、適当な遺伝子のＤＮＡ　−本鎖によるハイブリダイゼーションにより分析し得る。都合よくは、ＶＨ及びＶＬの一定の部分をコードする配列がポリヌクレオチドプローブとして使用でき、その配列は入手し得る源から得ることができる。例えば、Ｅａｒｌｙ及びＨｏｏｄ，Ｇｅｎｅｔｉｃ　Ｅｎｇｉｎｅｅｒｉｎｇ，Ｓｅｔｌｏｗ及びＨｏｌｌａｅｎｄｅｒ編集，３巻，Ｐｌｅｎｕｍ　Ｐｕｂｌｉｓｈｉｎｇ　Ｃｏｒｐｏｒａｔｉｏｎ，ＮＹ，（１９８１），１５７−１８８頁；及びＫａｂａｔ　ら，Ｓｅｑｕｅｎｃｅｓ　ｏｆ　Ｉｍｍｕｎｏｌｏｇｉｃａｌ　Ｉｎｔｅｒｅｓｔ，Ｎａｔｉｏｎａｌ　Ｉｎｓｔｉｔｕｔｅｓ　ｏｆ　Ｈ−ｅａｌｔｈ，Ｂｅｔｈｅｓｄａ，ＭＤ，（１９８７）を参照のこと。
【００５３】
好ましい実施態様において、全細胞ｍＲＮＡを含む製剤は最初にＶＨコードｍＲＮＡ及び／またはＶＬコードｍＲＮＡの存在につき濃縮される。濃縮は、典型的には、全ｍＲＮＡ製剤またはその部分精製ｍＲＮＡ生産物を、本明細書に記載されたポリヌクレオチド合成プライマーを使用するプライマー伸長反応にかけることにより行われる。ポリヌクレオチド合成プライマーを使用するＶＨ遺伝子レパートリー及びＶＬ遺伝子レパートリーの生産方法の例示がＰＣＴ出願ＰＣＴ／ＵＳ　９０／０２８３６号（国際公開ＷＯ　９０／１４４３０）に記載されている。遺伝子レパートリーを生産するのに特に好ましい方法は、本明細書に記載されたＰＣＲ反応生成物を生成するためのポリメラーゼ連鎖反応（ＰＣＲ）におけるプライマーとして前もって選択されたオリゴヌクレオチドの使用に頼る。
好ましい実施態様において、単離Ｂ細胞が前もって選択された抗原に対し試験管内で免疫される。試験管内の免疫感作は、抗原剌激に応答する、培養中のエピトープ特異性Ｂ細胞のクローン拡大として定義される。その最終の結果は、免疫グロブリンレパートリー中の抗原特異性Ｂ細胞の頻度を増大し、そしてそれにより所望の特異性の抗体を発現するクローンを同定するのにスクリーニングされる必要がある発現ライブラリー中のクローンの数を減少することである。試験管内の免疫感作の利点は、ヒトモノクローナル抗体が、毒性免疫原または弱い免疫原を含む無数の治療上有益な抗原に対し産生し得ることである。例えば、腫瘍関連抗原、リウマトイド因子、及び組織適合性抗原の多型性決定基に特異的な抗体が産生でき、これらは免疫された動物中では誘発し得ない。加えて、生体内で通常抑制される免疫応答を生じることが可能であり得る。
試験管内の免疫感作は、一次免疫応答または二次免疫応答を生じるのに使用し得る。抗原へのＢ細胞の最初の露出により生じる一次免疫応答は、エピトープ特異性細胞のクローン拡大及び低い乃至中間の見掛アフィニティー定数（１０６〜１０８Ｍ−１）のＩｇＭ抗体の分泌をもたらす。培養中のヒトの牌臓リンパ球及び扁桃リンパ球の一次免疫感作は、細胞、ペプチド、巨大分子、ハプテン、及び腫瘍関連抗原を含む種々の抗原に対しモノクローナル抗体を産生するのに使用し得る。免疫されたドナーからの記憶Ｂ細胞がまた培養中に剌激されてクローン拡大そして特に、血清反応陽性個体に由来する感作リンパ球をクローン拡大することによりウイルス抗原に対するＩｇＧイソタイプの高アフィニティー抗体（＞１０９Ｍ−１）の産生を特徴とする二次免疫応答を生じ得る。
【００５４】
３．免疫グロブリン遺伝子レパートリーを生産するためのポリヌクレオチドプライマーの調製　ＶＨ遺伝子レパートリー及びＶＬ遺伝子レパートリーは、本発明におけるそれらの使用の前に別々に調製し得る。レパートリー調製は、典型的には、プライマー伸長、好ましくはポリメラーゼ連鎖反応（ＰＣＲ）フォーマットにおける伸長により行われる。
プライマー伸長によりＶＨコードＤＮＡ同族体のレパートリーを生産するために、プライマーのヌクレオチド配列はＶＨコード領域に実質的に隣接する部位で複数の免疫グロブリンＨ鎖遺伝子でハイブリッドを形成するように選ばれ、その結果、機能性（結合できる）ポリペプチドをコードするヌクレオチド配列が得られる。
複数の異なるＶＨコード核酸ストランドにハイブリッドを形成するために、プライマーは異なるストランド間に保存されたヌクレオチド配列の実質的な補体である必要がある。このような部位は、一定の領域、可変部骨格領域、好ましくは第三骨格領域、リーダー領域、プロモーター領域、Ｊ領域等のいずれか中にヌクレオチド配列を含む。
ＶＨコードＤＮＡ同族体及びＶＬコードＤＮＡ同族体のレパートリーが（ＰＣＲ）増幅により生産される場合、二つのプライマー、即ち、ＰＣＲプライマー対が、増幅される核酸のストランドを夫々コードするのに使用される必要がある。
ＰＣＲにおいて、夫々のプライマーは第二プライマーと組み合わせて作用して標的核酸配列を増幅する。ＰＣＲに使用するためのＰＣＲプライマー対の選択は、遺伝子レパートリーを生産するために本明細書に説明されているような考慮事項により支配される。即ち、プライマーはレパートリー中に保存された配列と相補性であるヌクレオチド配列を有する。有益なＶＨプライミング（ｐｒｉｍｉｎｇ）配列及びＶＬプライミング配列が下記の表５及び表６に示される。
【００５５】
４．遺伝子レートリーを生産するためのポリメラーゼ連鎖反応　レパートリー内に含まれたＶＨ遺伝子及びＶＬ遺伝子をクローン化するのに使用される戦略は、公知であるように、レパートリーを構成する核酸の型、複雑さ、及び純度に依存するであろう。その他の因子として、遺伝子が一つのレパートリーまたは複数のレパートリー中に含まれるか否か、またそれらが増幅され、かつ／または突然変異誘発されるか否かが挙げられる。
ＶＨコード遺伝子レパートリー及びＶＬコード遺伝子レパートリーは、ポリヌクレオチドコードストランド、例えば、ｍＲＮＡ及び／またはゲノムＤＮＡのセンスストランドを含む。レパートリーが二本鎖ゲノムＤＮＡの形態である場合、それは通常最初に、典型的には溶融により、一本鎖に変性される。レパートリーは、レパートリーをＰＣＲプライマー対で処理する（接触させる）ことによりＰＣＲ反応にかけられ、その対の夫々の員は前もって選択されたヌクレオチド配列を有する。ＰＣＲプライマー対は、レパートリー内に保存されたヌクレオチド配列、好ましくは長さが少なくとも約１０のヌクレオチド、更に好ましくは長さが少なくとも約２０のヌクレオチドへのハイブリッド形成によりプライマー伸長反応を開始することができる。ＰＣＲプライマー対の第一プライマーは本明細書中で時々“センスプライマー”と称される。何となれば、それは核酸のコードストランドまたはセンスストランドにハイブリッド形成するからである。加えて、ＰＣＲプライマー対の第一プライマーは本明細書中で時々“アンチセンスプライマー”と称される。何となれば、それは核酸の非コードストランドまたはアンチセンスストランド、即ち、コードストランドに相補性のストランドにハイブリッド形成するからである。
ＰＣＲ反応は、ＰＣＲプライマー対、好ましくはその前もって選択された量をＰＣＲ緩衝液中でレパートリーの核酸、好ましくはその前もって選択された量と混合してＰＣＲ反応混合物を生成することにより行われる。その混合物は、ＰＣＲ反応生成物の生成に充分な期間（これは典型的には前もって決められる）にわたってポリヌクレオチド合成条件下で保たれ、それにより複数の異なるＶＨコードＤＮＡ同族体及び／またはＶＬコードＤＮＡ同族体を生産する。
【００５６】
複数の第一プライマー及び／または複数の第二プライマーが夫々の増幅に使用でき、例えば、第一プライマーの一種が幾つかの異なる第二プライマーと対にされて幾つかの異なるプライマー対を形成し得る。また、第一プライマー及び第二プライマーの個々の対が使用し得る。いずれにしても、第一プライマー及び第二プライマーの同じ組み合わせまたは異なる組み合わせを使用する増幅の増幅生産物が合わされて遺伝子ライブラリーの多様性を増大し得る。
ＰＣＲ増幅方法が、米国特許第４，６８３，１９５号、同第４，６８３，２０２号、同第４，８００，１５９号及び同第４，９６５，１８８号明細書、並びに少なくとも“ＰＣＲ技術：ＤＮＡ増幅の原理及び応用”，Ｈ．Ｅｒｌｉｃｈ編集，Ｓｔｏｃｋｔｏｎ　Ｐｒｅｓｓ，ニューヨーク（１９８９）；及び“ＰＣＲプロトコル：方法及び応用に関する手引き”，Ｉｎｎｉｓら編集，Ａｃａｄｅｍｉｃ　Ｐｒｅｓｓ，サンジエゴ，カリフォルニア（１９９０）を含む幾つかの書籍に詳しく記載されている。
５．ジシストロニック遺伝子ライブラリーの調製　本発明を実施するに際して、ファージミドでヘテロダイマーレセプターを発現できるジシストロニックＤＮＡ分子のライブラリーが調製される。ジシストロニックＤＮＡ分子は、二つの別個のシストロンから二つの別個のポリペプチドを発現する能力を有する単一ＤＮＡ分子である。夫々のジシストロニック分子は、適当な宿主中で、繊維状ファージ粒子の表面でヘテロダイマーレセプターを形成し得る第一シストロン及び第二シストロンの夫々から第一ポリペプチド及び第二ポリペプチドを発現できる。
【００５７】
ジシストロニックＤＮＡ分子のライブラリーの生産方法は、
（ａ）結合緩衝液中で、
（ｉ）夫々が方向性結合に適した付着末端を有するｄｓＤＮＡ形態の第一ポリペプチド遺伝子のライブラリーと、
（ｉｉ）夫々が（ａ）共通読み取り枠中で第一ポリペプチド遺伝子を方向性受容するのに適し、かつ（ｂ）夫々の上流及び下流の翻訳可能なＤＮＡ配列に操作により結合されている上流及び下流の第一付着末端を有する、直線形の複数のＤＮＡ発現ベクターとを合わせることにより第一結合混合物を生成する工程［上流の翻訳可能なＤＮＡ配列はｐｅｌＢ分泌シグナルをコードし、下流の翻訳可能なＤＮＡ配列は繊維状ファージ外殻タンパク質膜アンカーをコードし、そして翻訳可能なＤＮＡ配列は夫々の上流及び下流のＤＮＡ発現調節配列に操作により結合されている］
（ｂ）その混合物を、第一ポリペプチド遺伝子をベクターに操作により結合し、そして夫々が第一ポリペプチドを発現するための第一シストロンを有する複数の環状ＤＮＡ分子を生産するのに充分な期間にわたって結合条件に暴露する工程　（ｃ）複数の環状ＤＮＡ分子をＤＮＡ開裂条件下で処理して、夫々が（ｉ）共通読み取り枠中で第二ポリペプチド遺伝子のレパートリーを方向性受容するのに適し、かつ（ｉｉ）夫々の上流及び下流のＤＮＡ配列に操作により結合されている上流及び下流の第二付着末端を有する、直線形の複数のＤＮＡ発現ベクターを生産する工程［その上流のＤＮＡ配列は分泌シグナルをコードする翻訳可能な配列であり、下流のＤＮＡ配列は読み取り枠中に少なくとも一つの終止コドンを有し、そして翻訳可能なＤＮＡ配列はＤＮＡ発現調節配列に操作により結合されている］
（ｄ）結合緩衝液中で、
（ｉ）工程（ｃ）で生成された複数のＤＮＡ発現ベクターと、
（ｉｉ）夫々が複数のＤＮＡ発現ベクターへの方向性結合に適した付着末端を有する、ｄｓＤＮＡ形態の第二ポリペプチド遺伝子のライブラリーとを合わせることにより第二結合混合物を生成する工程、及び　（ｅ）第二ポリペプチド遺伝子を前記ベクターに操作により結合し、そして夫々が第二ポリペプチドを発現するための第二シストロンを有する複数の環状ＤＮＡ分子を生産するのに充分な期間にわたって第二混合物を結合条件に暴露し、それによりライブラリーを形成する工程を含む。
【００５８】
好ましい実施態様において、分泌シグナルはｐｅｌＢ分泌シグナルである。また、本明細書に記載されたｃｐＩＩＩまたはｃｐＶＩＩＩから誘導される繊維状ファージ膜アンカーの使用が好ましい。
上記の方法を実施するのに有益なＤＮＡ発現ベクターは、先に詳しく説明されたジシストロニック発現ベクターである。
ジシストロニックＤＮＡ分子のライブラリーの生産方法を実施するのに際して、上流及び下流の第一付着末端は、上流及び下流の第二付着末端と同じヌクレオチド配列を有しないことが好ましい。この実施態様において、環状ＤＮＡ分子を直線状にする処理工程（ｃ）は、典型的には、前記第二末端を生じるのに特異的であるが、第一末端を形成した部位で環状ＤＮＡ分子を開裂しない制限エンドヌクレアーゼの使用を伴う。例示の好ましい第一末端及び第二末端は、上流及び下流の第一末端を形成するためのＸｈｏ　Ｉ及びＳｐｅ　ＩによるｐＣＢＡＫ８の開裂により形成され、また上流及び下流の第二末端を形成するためのＳａｃ　Ｉ及びＸｂａ　ＩによるｐＣＢＡＫ８の開裂により形成される末端である。この実施態様において、付着末端のその他の対は、四つの対が夫々異なる非相補性末端である限り、第一末端及び第二末端の夫々の対で使用し得る。これらの例は、本明細書に記載されたベクターｐＣｏｍｂ３、ｐＣｏｍｂ２−３、ｐＣｏｍｂ２−３’、ｐＣｏｍｂ８及びｐＣｏｍｂ２−８で見られる末端である。
複数の環状ＤＮＡ分子をＤＮＡ開裂条件下で処理して直線状ＤＮＡ分子を生成する方法は、一般に公知であり、開裂されるヌクレオチド配列及び開裂の機構に依存する。好ましい処理は、ＤＮＡ分子を所望の開裂位置にあるエンドヌクレアーゼ認識部位に特異的な充分な量の制限エンドヌクレアーゼと混合してＤＮＡ分子を開裂することを伴う。緩衝液、開裂条件、及び制限エンドヌクレアーゼ開裂のための基質濃度は公知であり、使用される特別な酵素に依存する。例示の制限酵素開裂条件が実施例２に記載されている。
【００５９】
Ｇ．診断系
また、本発明は、試料中の前もって選択されたリガンド、または抗原の存在につき分析するための、好ましくはキット形態の、診断系を記載するものであり、この場合、本明細書に記載された診断方法により試料中のリガンドまたは抗原の存在、好ましくはその量を検出することが望ましい。
試料は、組織、組織抽出物、組織切片、液体試料または体液試料、例えば、血液、血漿または血清であってもよい。また、試料は、クロマトグラフィーの媒体、紙または布、例えば、ウェスタンブロットの製品、等に存在し得る。
診断系は、少なくとも１回のアッセイを行うのに充分な量の、別々にパッケージされた試薬としての本発明のリガンド結合ヘテロダイマーレセプターと指示薬融合ポリペプチドとを表面に含む繊維状ファージを含む。
前もって選択されたリガンドを検出し、本発明の繊維状ファージを使用する例示の診断系が実施例に記載されている。
一種以上のパッケージされた試薬の使用に関する指示がまた典型的に含まれる。
本明細書で使用される“パッケージ”という用語は、固定した制限内で本発明の繊維状ファージまたはファージのライブラリーを保持できる固体マトリックスまたはガラス、プラスチック（例えば、ポリエチレン、ポリプロピレンまたはポリカーボネート）、紙、箔、等の如き材料を表す。こうして、例えば、パッケージは、ミリグラム量の意図される標識ファージ製剤を入れるのに使用されるガラスバイアルであってもよく、またはそれはマイクログラム量の一つ以上の意図されるファージ粒子が操作により定着された、即ち、リガンドを結合できるように結合されたマイクロタイタプレートウェルであってもよい。
“使用に関する指示”として、典型的には、試薬濃度または少なくとも一つのアッセイ方法パラメーター、例えば、混合される試薬と試料の相対量、試薬／試料混合物の維持期間、温度、緩衝条件、等を記載する明確な表示が挙げられる。また、本発明の診断系は、前もって選択されたリガンドと複合体形成されたファージを含む結合反応複合体の生成を通信できる指示手段を含む。
【００６０】
本明細書で使用される“複合体”という用語は、特異的結合反応、例えば、ファージーリガンド反応またはレセプター−リガンド反応の生成物を表す。例示の複合体は免疫反応生成物である。
本明細書で使用される“指示手段”という用語は、レセプター−リガンド複合体（免疫反応体）が生成された事実を視覚化するのに必要とされる付加的な試薬を表す。アルカリ性ホスファターゼ（Ａｐａｓｅ）用のこのような付加的な試薬として、パラーニトローフェニルホスフェート（ＰＮＰＰ）等が挙げられ、ホースラディッシュペルオキシダーゼ（ＨＲＰ）用の検出可能な基質、及び付加的な試薬として、過酸化水素及び酸化色素前駆体、例えば、ジアミノベンジジンが挙げられる。グルコースオキシダーゼに有益な付加的な試薬は、２，２’−アミノージー（３−エチルーベンゾチアゾリン−Ｇ−スルホン酸）（ＡＢＴＳ）である。
本発明の診断キットは、“ＥＬＩＳＡ”フォーマットに使用されて試料中の前もって選択されたリガンドの量を検出し得る。“ＥＬＩＳＡ”は、固相に結合された抗体または抗原及び酵素−抗原接合体または酵素−抗体接合体を使用して試料中に存在する抗原の量を検出し、定量し、かつ本発明の方法に容易に適用し得る酵素結合免疫吸着検定法を表す。ＥＬＩＳＡ技術の説明が、１９８２年にロスアルトス，ＣＡのＬａｎｇｅＭｅｄｉｃａｌ　Ｐｕｂｌｉｃａｔｉｏｎｓにより発行されたＤ．Ｐ．Ｓｉｔｅｓら著、Ｂａｓｉｃ　ａｎｄ　ＣｌｉｎｉｃａｌＩｍｍｕｎｏｌｏｇｙの第４編の２２章並びに米国特許第３，６５４，０９０号、同第３，８５０，７５２号、及び同第４，０１６，０４３号明細書に見られ、これらは全て参考として本明細書に含まれる。
こうして、幾つかの実施態様において、ポリペプチド、リガンド、抗原、または本発明のファージが固体マトリックスに固定されて主題診断系中にパッケージを含む固相担体を形成し得る。
試薬は典型的には水性媒体からの吸着により固相マトリックスに固定されるが、タンパク質及びポリペプチドに適用できる固定のその他のモードが使用でき、これらは当業者に公知である。例示の吸着方法が本明細書に記載されている。
また、有益な固体マトリックスが当業界で公知である。このような材料は水不溶性であり、ファーマシア・ファイン・ケミカルズ（ピスキャットアウェー、ＮＪ）から商品名セファデックス（ＳＥＰＨＡＤＥＸ）として市販されている架橋デキストラン；アガロース；ノースシカゴ、ＩＬのアボット・ラボラトリィズから市販されている直径約１ミクロン〜約５ミリメートルのポリスチレンのビーズ；ポリ塩化ビニル、ポリスチレン、架橋ポリアクリルアミド、ニトロセルロースもしくはナイロンをベースとするウェブ、例えば、シート、ストリップまたはパドル；またはチューブ、プレートもしくはマイクロタイタプレートのウェル、例えば、ポリスチレンもしくはポリ塩化ビニルからつくられたものを含む。
【００６１】
本明細書に記載された診断系の試薬種、または指示手段は、分散液として溶液で用意でき、または実質的に乾燥粉末として、凍結乾燥形態で用意し得る。指示手段が酵素基質である場合、その基質はまた系の別個のパッケージ中に用意し得る。また、固相担体、例えば、前記マイクロタイタプレート及び一種以上の緩衝液が、この診断アッセイ系中に別々にパッケージされた要素として含まれていてもよい。
診断系に関して本明細書に説明されたパッケージング材料は、診断系に慣用されているものである。
Ｈ．アッセイ方法
本発明は、リガンド−結合試薬として本発明のファージまたは複数のファージを使用してその量が試料中の前もって選択されたリガンドの量に直接または間接に関係する結合反応生成物を生成して、生物液体試料の如き水性組成物中に典型的に存在する前もって選択されたリガンドの存在、好ましくはその量を測定するための種々のアッセイ方法を意図している。
当業者は、本発明の結合試薬が結合反応生成物（その量は試料中のリガンドの量に関係する）を生成するのに使用し得る多数の公知の臨床診断化学操作があることを理解するであろう。こうして、例示のアッセイ方法が本明細書に記載されるが、本発明はこのように限定されない。
競合または非競合の種々の不均一プロトコル及び均一プロトコルが、本発明のアッセイ方法を行うのに使用し得る。
一実施態様において、本発明は、結合試薬として本発明のリガンド結合ヘテロダイマーレセプターを含むファージを使用してレセプターが結合する前もって選択されたリガンドの存在を検出する直接結合アッセイを意図している。その方法は、ａ）前もって選択された抗原を含むと疑われている試料を、ファージ表面接近可能なヘテロダイマーがそのリガンドを結合して、リガンドーファージ複合体を生成するのに充分な結合条件下で前もって選択されたリガンドに結合する本発明の繊維状ファージ粒子と混合する（接触させる）工程；ｂ）ファージ粒子のヘテロダイマーレセプターがリガンドに結合してリガンドーファージ複合体を生成するのに充分な結合反応条件下でその混合物を維持する工程；及びｃ）リガンドーファージ複合体の存在を検出する工程を含む。典型的には、複合体の検出は、複合体中に存在する指示ポリペプチドを検出し、それにより前もって選択されたリガンドを検出することにより行われる。
【００６２】
結合条件は、レセプターのリガンド結合活性を維持する条件である。これらの条件として、約４〜５０℃の温度範囲、約５〜９のｐＨ値範囲及び蒸留水のイオン濃度から約１モルの塩化ナトリウムのイオン濃度まで変化するイオン濃度が挙げられる。
検出工程は、免疫学技術で公知であるように、複合体または結合試薬（複合体のレセプター成分）に関するものであり得るが、指示薬活性を測定することによる指示ポリペプチドの直接検出が好ましい検出方法である。しかしながら、レセプターに特異的な抗体の如き二次結合試薬が使用し得る。
指示薬ポリペプチドの存在、好ましくはその量の検出方法は一般に免疫技術において良く知られておらず、そこに詳しく説明されていないであろう。
更に別の診断方法は多価の繊維状ファージ粒子を使用してリガンドを架橋し、それにより多数のリガンド及びファージ粒子の凝集を形成し、沈殿可能な凝集物を生成する。この実施態様は免疫沈殿の公知の方法に匹敵する。この実施態様は試料を本発明の複数のファージ粒子と混合して結合条件下で結合混合物を生成する工程、続いて生成された結合複合体を単離する分離工程を含む。典型的には、分離は遠心分離または濾過により行われて凝集物を混合物から除去する。結合複合体の存在は、検出される前もって選択されたリガンドの存在を示す。凝集物または複合体の存在は、指示薬ポリペプチドの活性を検出することにより検出し得る。
【００６３】
実施例
下記の実施例は本発明を説明することを目的とするが、本発明の範囲を限定しない。
１．ファージ粒子にヘテロダイマーレセプターを生産するためのジシストロニック発現ベクターの構築
直接スクリーニングし得る多数のＦａｂ抗体フラグメントを産生するためのベクター系を得るために、バクテリオファージλ中の発現ライブラリーをＨｕｓｅら，Ｓｃｉｅｎｃｅ，２４６：１２７５−１２８１（１９８９）に記載されたようにして予め構築した。これらの系は繊維状ファージ粒子の表面に標的される発現Ｆａｂを与える設計特徴を含んでいなかった。
ベクター系を選択するのに使用される主な基準は、直接スクリーニングし得る最大数のＦａｂフラグメントを産生することの必要性であった。バクテリオファージλを三つの理由で開始点として選択して発現ベクターを開発した。第一に、ファージＤＮＡの試験管内のパッケージングがＤＮＡを宿主細胞に再導入する最も有効な方法であった。第二に、単一ファージプラークのレベルでタンパク質発現を検出することが可能であった。最後に、ファージライブラリーのスクリーニングは、典型的には、非特異的結合による難点を殆ど伴っていなかった。別のプラスミドクローニングベクターは、それらが同定された後にクローンの分析のみに有利である。この利点はｐＣｏｍｂＶＩＩＩの如きジシストロニック発現ベクターの使用のために本発明の系で失われず、それにより、Ｈ鎖、Ｌ鎖、またはＦａｂ発現インサートを含むプラスミドが切除されることを可能にした。
【００６４】
ａ．ジシストロニック発現ベクターｐＣＯＭＢの構築
（ｉ）λＺａｐ（商標）ＩＩの調製
λＺａｐ（商標）ＩＩは、６の特異なクローニング部位、融合タンパク質発現、及びファージミド（ブルースクリプトＳＫ−）の形態のインサートを迅速に切除する能力を含む最初のλＺａｐの特徴の全てを維持するが、ＳＡＭ　１００突然変異を欠いており、ＸＬｌ−ブルーを含む多くのＮｏｎ−Ｓｕｐ　Ｆ株に関する増殖を可能にする最初のλＺａｐの誘導体（ＡＴＣＣ受理番号４０，２９８）である。λＺａｐ（商標）ＩＩは、Ｓｈｏｒｔら，Ｎｕｃ．ＡｃｉｄｓＲｅｓ．，１６：７５８３−７６００（１９８８）に記載されたようにして、λＺａｐを制限酵素Ｎｃｏ　Ｉで消化することにより生産された４２５４の塩基対（ｂｐ）のＤＮＡフラグメント中に含まれるラムダＳ遺伝子を置換することにより構築された。この４２５４　ｂｐフラグメントを、そのベクターを制限酵素Ｎｃｏ　Ｉで消化した後にλｇｔ１０（ＡＴＣＣ受理番号４０，１７９）から単離されたラムダＳ遺伝子を含む４２５４　ｂｐ　ＤＮＡフラグメントで置換した。λｇｔ１０から単離された４２５４　ｂｐ　ＤＮＡフラグメントを、Ｔ４　ＤＮＡリガーゼ及び通常のプロトコル、例えば、Ｃｕｒｒｅｎｔ　Ｐｒｏｔｏｃｏｌｓ　ｉｎ　Ｍｏｌｅｃｕｌａｒ　Ｂｉｏｌｏｇｙ，Ａｕｓｕｂ−ｅｌら編集，Ｊｏｈｎ　Ｗｉｌｅｙ　ａｎｄ　Ｓｏｎｓ，ＮＹ，１９８７に記載されたプロトコルを使用して最初のλＺａｐベクターにつないでλＺａｐ（商標）ＩＩを生成した。
【００６５】
（ｉｉ）λＨｃ２の調製　Ｅ．ｃｏｌｉ宿主細胞中で複数のＶＨコードＤＮＡ同族体を発現するために、λＨｃ２と称されるベクターを構築した。そのベクターは下記のものを与えた。ＶＨコードＤＮＡ同族体を適当な読み取り枠に入れる能力；Ｓｈｉｎｅら，Ｎａｔｕｒｅ，２５４：３４，１９７５により記載されたようなリボソーム結合部位；ｐｅｌＢ分泌シグナルと称される発現タンパク質を細胞周辺腔に誘導するリーダー配列；既知エピトープ（エピトープｔａｇ）をコードするポリヌクレオチド配列；そしてまたＶＨコードＤＮＡ同族体とエピトープｔａｇをコードするポリヌクレオチドの間のスペーサータンパク質をコードしたポリヌクレオチド。λＨｃ２はＨｕｓｅら，Ｓｃｉｅｎｃｅ，２４６：１２７５−１２８１　（１９８９）により既に記載されていた。
λＨｃ２を調製するために、上記の特徴の全てを含む合成ＤＮＡ配列を、互いにハイブリッドを形成し、図１に示された二本鎖合成ＤＮＡ配列を形成する２０〜４０の塩基の一本鎖ポリヌクレオチドセグメントを設計することにより構築した。個々の一本鎖ポリヌクレオチドセグメントを表３に示す。
ポリヌクレオチドＮ２、Ｎ３、Ｎ９−４、Ｎ１１、Ｎ１０−５、Ｎ６、Ｎ７及びＮ８（表３）を、夫々のポリヌクレオチド０．１マイクログラム／マイクロリットル（μｇ／μｌ）ｌマイクロリットル（μｌ）及びＴ４ポリヌクレオチドキナーゼ２０単位を７０ｍＭのトリス−ＨＣＩ、ｐＨ７．６、１０ｍＭのＭｇＣｌ２、５ｍＭのジチオスレイトール（ＤＴＴ）、１０ｍＭのβ−メルカプトエタノール及び５００マイクログラム／ミリリットル（μｇ／ｍｌ）のウシ血清アルブミン（ＢＳＡ）を含む溶液に添加することによりキナーゼ処理した。その溶液を３７℃で３０分間保ち、その溶液を６５℃で１０分間保つことによりその反応を停止した。二つの最終ポリヌクレオチド、２０ｎｇのポリヌクレオチドＮ１及びポリヌクレオチドＮ１２を、２０ｍＭのトリス−ＨＣｌ、ｐＨ７．４、２ｍＭのＭｇＣｌ２及び５０ｍＭのＮａＣｌを含む溶液１／１０容積と一緒に上記のキナーゼ処理反応溶液に添加した。この溶液を７０℃に５分間加熱し、水５００　ｍｌのビーカー中で１．５時間にわたって室温、約２５℃に冷却した。この期間中に、全ての１０のポリヌクレオチドはアニールして図３に示された二本鎖合成ＤＮＡインサートを形成した。個々のポリヌクレオチドを、上記の反応溶液４０μ１を５０ｍＭのトリス−ＨＣｌ、ｐＨ７．５、７ｍＭのＭｇＣ１２、１ｍＭのＤＴＴ、１ｍＭのアデノシントリホスフェート（ＡＴＰ）及びＴ４ＤＮＡリガーゼ１０単位を含む溶液に添加することにより互いに共有結合させて合成ＤＮＡインサートを安定化した。この溶液を３７℃で３０分間保ち、次いでその溶液を６５℃で１０分間保つことによりＴ４ＤＮＡリガーゼを不活化した。上記の反応液５２μｌ、１０ｍＭのＡＴＰ及びＴ４ポリヌクレオチドキナーゼ５単位を含む溶液４μｌを混合することにより最終ポリヌクレオチドをキナーゼ処理した。この溶液を３７℃で３０分間保ち、次いでその溶液を６５℃で１０分間保つことによりＴ４ポリヌクレオチドキナーゼを不活化した。
【００６６】
2004000238.tif 000004
【００６７】
完全な合成ＤＮＡインサートを、制限酵素、Ｎｏｔ　Ｉ及びＸｈｏ　Ｉで先に消化された実施例ｌａ（ｉ）に記載されたλＺａｐ（商標）ＩＩベクターに直接つないだ。その結合混合物を製造業者の指示に従ってカリフォルニア、ラ・ジョラにあるストラタゲンから市販されているギガパック（Ｇｉｇａｐａｃｋ）ＩＩゴールドパッキングエキスを使用してパッケージした。パッケージした結合混合物をＸＬＩ−ブルーセル（ストラタゲン）に塗布した。個々のλプラークをコアーにし、インサートを製造業者（ストラタゲン）により提供されたλＺａｐ（商標）ＩＩの生体内切除プロトコルに従って切除した。この生体内切除プロトコルは、クローン化されたインサートをλＨｃ２ベクターからファージミドベクターに移動させて操作及び配列決定を容易にした。上記のクローニングエ程の正確さを、Ｓａｎｇｅｒら，Ｐｒｏｃ．Ｎａｔｌ．Ａｃａｄ．Ｓｃｉ．，ＵＳＡ，７４：５４６３−５４６７（１９７７）に記載されたサンガー・デオキシ方法を使用し、そしてＡＭＶ逆転写酵素３５Ｓ−ＡＴＰ配列決定キット（ストラタゲン）中で製造業者の指示を使用してインサートを配列決定することにより確かめた。ＶＨ発現ベクター（λＨｃ２）中で得られる二本鎖合成ＤＮＡインサートの配列を図１に示す。λＨｃ２の夫々のストランドの配列（上部及び下部）を、夫々配列番号１及び配列番号２として配列表中にリストする。得られるλＨｃ２発現ベクターを図２に示す。
【００６８】
（ｉｉｉ）λＬｃ２の調製
Ｅ．ｃｏｌｉ宿主細胞中で複数のＶＬコードＤＮＡ同族体を発現するために、適当な読み取り枠中にＶＬコードＤＮＡ同族体を入れる能力を有するλＬｃ２と称されるベクターを構築し、Ｓｈｉｎｅら，Ｎａｔｕｒｅ，２５４：３４，１９７５により記載されたようなリボソーム結合部位を得、Ｌｅｉら，Ｊ．Ｂａｃ．，１６９：４３７９（１９８７）及びＢｅｔｔｅｒら，Ｓｃｉｅｎｃｅ，２４０：１０４１　（１９８８）によりＥ．ｃｏｌｉ中でＦａｂフラグメントを成功して分泌するのに既に使用されたｐｅｌＢ遺伝子リーダー配列分泌シグナルを得、そしてまたクローニングのための制限エンドヌクレアーゼ部位を含むポリヌクレオチドを得た。λＬｃ２はＨｕｓｅら，Ｓｃｉｅｎｃｅ，２４６：１２７５−１２８１　（１９８９）により既に記載されていた。
上記の特徴の全てを含む合成ＤＮＡ配列を、互いにハイブリッドを形成し、図３に示された二本鎖合成ＤＮＡ配列を形成する２０〜６０の塩基の一本鎖ポリヌクレオチドセグメントを設計することにより構築した。二本鎖合成ＤＮＡ配列内の夫々個々の一本鎖ポリヌクレオチドセグメント（０１−０８）の配列を表４に示す。
ポリヌクレオチド０２、０３、０４、０５、０６及び０７（表４）を、夫々のポリヌクレオチド１μｌ（０．１μｇ／μｌ）及びＴ。ポリヌクレオチドキナーゼ２０単位を７０ｍＭのトリス−ＨＣｌ、ｐＨ７．６、１０ｍＭのＭｇＣｌ、５ｍＭのＤＴＴ、１０ｍＭのβ−メルカプトエタノール及び５００　ｍｇ／ｍｌのＢＳＡを含む溶液に添加することによりキナーゼ処理した。その溶液を３７℃で３０分間保ち、その溶液を６５℃で１０分間保つことによりその反応を停止した。夫々２０ｎｇの二つの最終ポリヌクレオチド、０１及び０８を、２０ｍＭのトリス−ＨＣｌ、ｐＨ７．４、２ｍＭのＭｇＣｌ及び１５ｍＭの塩化ナトリウム（ＮａＣｌ）を含む溶液１／１０容積と一緒に上記のキナーゼ処理反応溶液に添加した。この溶液を７０℃に５分間加熱し、水５００　ｍｌのビーカー中で１．５時間にわたって室温、約２５℃に冷却した。この期間中に、全ての８のポリヌクレオチドはアニールして図３に示された二本鎖合成ＤＮＡインサートを形成した。
個々のポリヌクレオチドを、上記の反応溶液４０μｌを５０ｍｌのトリス−ＨＣｌ、ｐＨ７．５、７ｍｌのＭｇＣｌ、１ｍｍのＤＴＴ、１ｍｍのＡＴＰ及びＴ４ＤＮＡリガーゼ１０単位を含む溶液に添加することにより互いに共有結合させて合成ＤＮＡインサートを安定化した。この溶液を３７℃で３０分間保ち、次いでその溶液を６５℃で１０分間保つことによりＴ４ＤＮＡリガーゼを不活化した。上記の反応液５２μｌ、１０ｍＭのＡＴＰ及びＴ４ポリヌクレオチドキナーゼ５単位を含む溶液４μ１を混合することにより最終ポリヌクレオチドをキナーゼ処理した。この溶液を３７℃で３０分間保ち、次いでその溶液を６５℃で１０分間保つことによりＴ４ポリヌクレオチドキナーゼを不活化した。
【００６９】
2004000238.tif 000005
【００７０】
完全な合成ＤＮＡインサートを、制限酵素Ｓａｃ　Ｉ及びＸｈｏ　Ｉで先に消化された実施例ｌａ（ｉ）に記載されたλＺａｐ（商標）ＩＩベクターに直接つないだ。その結合混合物を製造業者の指示に従ってギガパックＩＩゴールドパッキングエキス（ストラタゲン）を使用してパッケージした。パッケージした結合混合物をＸＬＩ−ブルーセル（ストラタゲン）に塗布した。個々のλプラークをコアーにし、インサートを製造業者（ストラタゲン）により提供されたλＺａｐ（商標）ＩＩの生体内切除プロトコルに従って切除した。この生体内切除プロトコルは、クローン化されたインサートをλＬｃ２ベクターからファージミドベクターに移動させて操作及び配列決定を容易にした。上記のクローニング工程の正確さを、ＡＭＶ逆転写酵素３５Ｓ−ｄＡＴＰ配列決定キット（ストラタゲン）中で製造業者の指示を使用してインサートを配列決定することにより確かめた。得られるＬｃ２発現ベクター（λＬｃ２）の配列を図３に示す。夫々のストランドを、配列番号３及び配列番号４として配列表中に別々にリストする。得られるλＬｃ２発現ベクターを図４に図示する。
λＬｃ３と称される本発明に使用するのに好ましいベクターは、先に調製されたλＬｃ２の誘導体である。λＬｃ２は、図３及び配列番号３の配列に示されるようにＥｃｏＲ　Ｉ制限部位に対し３’、またシャインーダルガーノリボソーム結合部位に対し５’に配置されたＳｐｅ　Ｉ制限部位（ＡＣＴＡＧＴ）を含む。また、Ｓｐｅ　Ｉ制限部位は、図１及び２並びに配列番号１に示されるようにλＨｃ２中に存在する。ｐＣｏｍｂと称される結合性ベクターを、下記の実施例１ａ（ｉｖ）に記載されるように、λＨｃ２及びλＬｃ２の部分を一緒に合わせることにより構築した。得られる結合性ｐＣｏｍｂベクターは二つのＳｐｅ　Ｉ制限部位（即ち、一つはλＨｃ２により与えられ、一つは間にＥｃｏＲ　Ｉ部位を含んで、λＬｃ２により与えられた）を含んでいた。二つのＳｐｅ　Ｉ制限部位の存在にもかかわらず、Ｓｐｅ　Ｉ及びＥｃｏＲ　Ｉ付着末端を有するＤＮＡ同族体を、下記の実施例１ｂに記載されたようにしてＳｐｅ　Ｉ及びＥｃｏＲ　Ｉで先に消化されたｐＣｏｍｂ発現ベクターに成功して方向性結合した。Ｌｃ２ベクターにより与えられた３’Ｓｐｅ　Ｉ部位へのＥｃｏＲ　Ｉ制限部位の近接は、３’Ｓｐｅ　Ｉ部位の完全消化を抑制した。こうして、ｐＣｏｍｂをＳｐｅ　Ｉ及びＥｃｏＲ　Ｉで消化することは、二つのＳｐｅ　Ｉ部位間のＥｃｏＲ　Ｉ部位の除去をもたらさなかった。
【００７１】
第二Ｓｐｅ　Ｉ制限部位の存在は、Ｓｐｅ　Ｉのみで消化されたｐＣｏｍｂベクターへの結合に望ましくないかもしれない。何となれば、二つの部位間の領域が除去されるからである。それ故、λＬｃ３と称される、第二Ｓｐｅ　Ｉ部位または３’Ｓｐｅ　Ｉ部位を欠いているλＬｃ２の誘導体は、まずλＬｃ２をＳｐｅ　Ｉで消化して直線状にされたベクターを生成することにより生産される。これらの末端はフィル・インされて（ｆｉｌｌｅｄ　ｉｎ）ブラントエンドを形成し、これらが一緒につながれてＳｐｅ　Ｉ部位を欠いているλＬｃ３を生じる。λＬｃ３は、下記の結合性ベクターを構築するのに使用するのに好ましいベクターである。
（ｉｖ）ｐＣｏｍｂの調製
ファージミドを、上記の生体内切除プロトコルを使用して発現ベクターλＨｃ２またはλＬｃ２から切除した。二本鎖ＤＮＡを、Ｈｏｌｍｅｓら，Ａｎａｌ．Ｂｉｏｃｈｅｍ．，１１４：１９３（１９８１）により記載された方法に従ってファージミドを含む細胞から調製した。生体内切除から生じるファージミドは、親ベクターと同じ抗体フラグメントクローニング及び発現のためのヌクレオチド配列を含んでおり、夫々、λＨｃ２及びＬｃ２に対応して、ファージミドＨｃ２及びＬｃ２と称される。
ファージミドＨｃ２及びファージミドＬｃ２の部分を合わせることにより生産される結合性ファージミドベクターｐＣｏｍｂの構築のために、ファージミドＨｃ２を最初にＳａｃ　Ｉで消化してＬａｃＺプロモーターに対し５’に配置された制限部位を除去した。直線状にされたファージミドをＴ４ポリメラーゼで平滑断端し、つないでＳａｃ　Ｉ部位を欠いているＨｃ２ファージミドを得た。次いで修飾Ｈｃ２ファージミド及びＬｃ２ファージミドを別々にＳｃａ　Ｉ及びＥｃｏＲ　Ｉで制限消化して５’から３’にＳｃａ　Ｉ制限部位、Ｎｏｔ　Ｉ　Ｘｈｏ　Ｉ制限部位、Ｓｐｅ　Ｉ制限部位及びＥｃｏＲ　Ｉ制限部位を有するＨｃ２フラグメントと、５’から３’にＥｃｏＲ　Ｉ制限部位、Ｓｃａ　Ｉ制限部位、Ｘｂａ　Ｉ制限部位及びＳａｃ　Ｉ制限部位を有するＬｃ２フラグメントを得た。次いで、直線状にされたファージミドをそれらの夫々の付着末端で一緒につないでｐＣｏｍｂ、即ち、Ｎｏｔ　Ｉ、Ｘｈｏ　Ｉ、Ｓｐｅ　Ｉ、ＥｃｏＲ　Ｉ、Ｓａｃ　Ｉ、Ｘｂａ　Ｉ、Ｎｏｔ　Ｉ、Ａｐａ　Ｉ及びＳｃａ　Ｉの制限部位の直線配置を有する環状にされたファージミドを生成した。次いでつながれたファージミドベクターを適当なバクテリア宿主に挿入し、形質転換体を抗生物質アンピシリンにつき選択した。
【００７２】
選択されたアンピシリン耐性形質転換体を二つのＮｏｔ　Ｉ部位の存在につきスクリーニングした。得られるアンピシリン耐性結合性ファージミドベクターをｐＣｏｍｂと称し、その構成図を図５に示す。得られる結合性ベクター、ｐＣｏｍｂは、二つの融合タンパク質を発現するための二つのカセットを有し、また５’から３’方向にリストされた下記の操作により結合された要素のためのヌクレオチド残基配列を有するＤＮＡ分子からなっていた。ＬａｃＺ遺伝子から上流の誘導ＬａｃＺプロモーターからなる第一カセット；Ｎｏｔ　Ｉ制限部位：リボソーム結合部位；ｐｅｌＢリーダー：スぺーサー；５’Ｘｈｏ及び３’Ｓｐｅ　Ｉ制限部位により境界形成されたクローニング領域；デカペプチドｔａｇ、続いて発現調節終止配列；発現調節リボソーム形成部位からなる第二カセットに５’に配置されたＥｃｏＲ　Ｉ制限部位；ｐｅｌＢリーダー；スペーサー領域：５’Ｓａｃ　Ｉ及び３’Ｘｂａ　Ｉ制限部位により境界形成されたクローニング領域、続いて発現調節終止配列及び第二Ｎｏｔ　Ｉ制限部位。
ｐＣｏｍｂ２と称される本発明に使用するのに好ましい結合性ベクターを、ｐＣｏｍｂにつき上記されたようにして、ファージミドＨｃ２及びファージミドＬｃ３の部分を合わせることにより構築する。得られる結合性ベクター、ｐＣｏｍｂ２は、第二カセット中の第二Ｓｐｅ　Ｉ制限部位が排除されている以外は、ｐＣｏｍｂと同様に二つの融合タンパク質を発現するためのｐＣｏｍｂと同一の二つのカセットを有するＤＮＡ分子からなる。
【００７３】
ｂ．バクテリオファージ外殼タンパク質膜アンカーを有する融合タンパク質を発現するためのベクターｐＣｏｍｂＶＩＩＩ及びｐＣｏｍｂＩＩＩの構築
多数のエンドヌクレアーゼ制限クローニング部位のために、先に調製したｐＣｏｍｂファージミド発現ベクターは、本発明の発現ベクターの調製のための修飾に有益なクローニングビヒクルである。その目的のために、ｐＣｏｍｂをＥｃｏＲ　Ｉ及びＳｐｅ　Ｉで消化し、続いてホスファターゼ処理して直線状にされたｐＣｏｍｂを生産する。
（ｉ）ｐＣｏｍｂＶＩＩＩの調製
実施例２ｇで生産され、かつ繊維状バクテリオファージ外殻タンパク質ＶＩＩＩ（ｃｐＶＩＩＩ）膜アンカードメインを形成するヌクレオチド配列並びに付着末端Ｓｐｅ　Ｉ及びＥｃｏＲ　Ｉを有するＰＣＲ生産物を、直線状にされたｐＣｏｍｂと混合して結合混合物を生成した。ｃｐＶＩＩＩ膜アンカーをコードするＰＣＲフラグメントを相当する付着末端でｐＣｏｍｂファージミド発現ベクターに方向性結合し、これはｐＣｏｍｂＶＩＩＩ（また、ｐＣｏｍｂ８と称される）の形成をもたらした。ｐＣｏｍｂＶＩＩＩは、ヌクレオチド塩基１からヌクレオチド塩基２０８までの配列番号８９に示されたヌクレオチド配列により形成されたカセットを含み、またｃｐＶＩＩＩ膜アンカーに操作により結合されたｐｅｌＢ分泌シグナルを含む。
ｐＣｏｍｂ２−ＶＩＩＩまたはｐＣｏｍｂ２−８と称される、本発明に使用するのに好ましいファージミド発現ベクターを、上記のようにして、ｃｐＶＩＩＩ膜アンカーをコードするＰＣＲフラグメントをＳｐｅ　Ｉ及びＥｃｏＲ　Ｉ付着末端を介してｐＣｏｍｂ２ファージミド発現ベクターに方向性結合することにより調製した。ｐＣｏｍｂ２−８は唯一のＳｐｅ　Ｉ制限部位を有していた。
【００７４】
（ｉｉ）ｐＣｏｍｂＩＩＩの調製
別のファージミド発現ベクターを、バクテリオファージｃｐＩＩＩ膜アンカードメインをコードする配列を使用して構築した。Ｌ鎖の発現のための膜アンカーに対し３’のＬａｃＺプロモーター領域配列並びにＳｐｅ　Ｉ及びＥｃｏＲ　Ｉ付着末端を含むｃｐＩＩＩ膜アンカーを形成するＰＣＲ生産物を、ｃｐＶＩＩＩにつき記載されたようにして調製し、その詳細が実施例２ｇに記載される。次いでｃｐＩＩＩ誘導ＰＣＲ生産物を、唯一のＳｐｅ　Ｉ部位を有する直線状にされたｐＣｏｍｂ２ベクターにつないでベクターｐＣｏｍｂ２−３（また、ｐＣｏｍｂ２−ＩＩＩと称される）を生成した。
ｐＣｏｍｂ−ＩＩＩ’またはｐＣｏｍｂ２−３’と称される、付加的な制限酵素クローニング部位を有する本発明に使用するのに更に好ましいファージミド発現ベクターを、ｐＣｏｍｂ２−３につき上記されたようにして、Ｓｈｏｒｔら，Ｎｕｃ．Ａｃｉｄｓ　Ｒｅｓ．，１６：７５８３−７６００（１９８８）に記載され、またストラタゲンから市販されているｐブルースクリプトからの５１の塩基対フラグメントの添加により調製した。ｐＣｏｍｂ２−３’を調製するために、ｐＣｏｍｂ２−３を最初にＸｈｏ　Ｉ制限酵素及びＳｐｅ　Ｉ制限酵素で消化して直線状にされたｐＣｏｍｂ２−３を生成した。ベクターｐブルースクリプトを、制限酵素部位、Ｓａｌ　Ｉ、Ａｃｃ　Ｉ、Ｈｉｎｃ　ＩＩ、Ｃｌａ　Ｉ、Ｈｉｎｄ　ＩＩＩ、ＥｃｏＲ　Ｖ、Ｐｓｔ　Ｉ、Ｓｍａ　Ｉ及びＢａｍＨ　Ｉを含む５１の塩基対フラグメントを放出する同酵素で消化した。その５１の塩基対フラグメントを付着末端Ｘｈｏ　Ｉ及びＳｐｅ　Ｉを介して直線状にされたｐＣｏｍｂ２−３ベクターにつないでｐＣｏｍｂ２−３’を生成した。
【００７５】
ｃ．クロラムフェニコール耐性マーカーを有するｐＣＢＡＫベクターの構築
本発明のベクターで形質転換されたバクテリアの選択につき、クロラムフェニコールアセチルトランスフェラーゼ（ＣＡＴ）の如き異なる選択可能なマーカー遺伝子を使用するために、ＣＡＴをコードする遺伝子を有するｐＣｏｍｂをベースとする発現ベクターを開発し、ｐＣＢＡＫベクターと称する。ｐＣＢ及びｐＣｏｍｂの部分を合わせることによりｐＣＢＡＫベクターを調製する。
（ｉ）ｐＣＢの調製
ｐブルースクリプトファージミドベクター、ｐＢＣ　ＳＫ（−）及びｐＢＳ　ＳＫ（−）（ストラタゲン）を修飾し、合わせて下記のｐＣＢと称される第三ベクターを生成した。
ｐＢＣ　ＳＫ（−）（これはクロラムフェニコール耐性の選択可能なマーカー遺伝子を含む）をＢｓｔ　ＢＩで消化し、Ｔ４ポリメラーゼで平滑断端した。Ｐｖｕ　Ｉによる第二の消化は、ＣＡＴ選択可能な耐性マーカー遺伝子、ＬａｃＺ遺伝子から上流の誘導ＬａｃＺプロモーター及びＣｏｌＥｌ開始点領域を保持する２．４　ｋｂの直線状にされたベクターを残す１キロベース（ｋｂ）フラグメントの除去を可能にした。２．４　ｋｂのフラグメントを回収した。ｐＢＣ　ＳＫ（−）ベクターをＡａｔ　ＩＩで消化し、Ｔ４ポリメラーゼで平滑断端した。Ｐｖｕ　Ｉによる第二の消化は、ｆｌ複製開始点を含む８００の塩基対（ｂｐ）フラグメントの単離を可能にした。ｐＢＳ誘導８００ｂｐ　ｆｌフラグメントと２．４　ｋｂのｐＢＣフラグメントの結合は、Ｓａｃ　Ｉ部位、ｆｌ複製開始点、ＣＡＴ選択可能な耐性マーカー遺伝子、ＣｏｌＥｌ開始点、Ｔ３プロモーター及びＴ７プロモーターにより隣接された多重クローニング部位（ＭＣＳ）、及びＬａｃＺ遺伝子から上流の誘導ＬａｃＺプロモーターを含むｐＣＢ前駆体ベクターを生じた。
次いでｐＣＢ前駆体ベクターをＳａｃ　Ｉで消化し、Ｔ４ポリメラーゼで平滑断端した。次いで、Ｔ４ポリメラーゼで処理したｐＣＢベクターを再度つないで、ｐＣＢベクターを生成し、これはＳａｃ　Ｉ部位を欠いている。
【００７６】
（ｉｉ）ｐＣＢＡＫＯの調製
ＣＡＴ選択可能な耐性マーカー遺伝子を含むｐＣＢベクターをＳａｃ　ＩＩ及びＡｐａ　Ｉで消化し、ホスファターゼで処理して再結合を防止し、直線状にされたｐＣＢベクターを生成した。実施例１（ａ）（ｉｖ）で調製されたｐＣｏｍｂベクターをＳａｃ　ＩＩ及びＡｐａ　Ｉで制限消化して、ＬａｃＺプロモーターに対し５’で開始し、第二Ｎｏｔ　Ｉ部位の３’末端を過ぎて延びるヌクレオチド残基配列を含むフラグメントを放出した。次いで、Ｓａｃ　ＩＩ及びＡｐａ　Ｉ　ｐＣｏｍｂ　ＤＮＡフラグメントを、同様に消化されたｐＣＢベクターに方向性結合してファージミド発現ベクターｐＣＢＡＫＯを生成した。好ましいｐＣＢＡＫ発現ベクターをｐＣｏｍｂ２で構築する。得られるｐＣＢＡＫ発現ベクターは唯一のＳｐｅ　Ｉ制限部位を含んでいた。
（ｉｉｉ）ｐＣＢＡＫ８の調製
発現された融合タンパク質中にバクテリオファージ外殻タンパク質膜アンカードメインをコードするｐＣＢＡＫをベースとするファージミド発現ベクターを調製するために、実施例１ｃ（ｉｉ）で調製されたｐＣＢファージミドクローニングベクターをＳａｃ　ＩＩ及びＡｐａ　Ｉによる消化により直線状にした。実施例１ｂ（ｉ）で調製されたｐＣｏｍｂＶＩＩＩファージミド発現ベクターをＳａｃ　ＩＩ及びＡｐａ　Ｉで制限消化して、ＬａｃＺプロモーターに対し５’で開始し、第二Ｎｏｔ　ｌ部位の３’末端を過ぎて延びるヌクレオチド残基配列を含むフラグメントを生成した。そのフラグメントを、直線状にされたｐＣＢクローニングベクターに方向性結合してファージミド発現ベクターｐＣＢＡＫ８を生成した。
（ｉｖ）ｐＣＢＡＫ３の調製
ｃｐＩＩＩ膜アンカードメインを有する融合タンパク質の発現のためのファージミド発現ベクター、ｐＣＢＡＫ３を、ｐＣｏｍｂＩＩＩからのＳａｃ　ＩＩ及びＡｐａ　Ｉで制限消化されたフラグメントをＳａｃ　ＩＩ及びＡｐａ　Ｉで直線状にされたｐＣＢクローニングベクターに方向性結合することにより同様に構築した。
【００７７】
２．ファージ表面で抗ＮＰＮヘテロダイマーを発現するためのジシストロニック発現ベクターの構築
本発明を実施するに際して、抗体のＨ鎖（ＶＨ及びＣＨ１からなるＦｄ）及びＬ（カッパー）鎖（ＶＬ、ＣＬ）を最初にヘテロダイマーＦａｂ分子のアセンブリーのためにＥ．ｃｏｌｉの周辺質に標的した。ファージ表面で抗体Ｆａｂライブラリーの発現を得るために、ＦｄまたはＬ鎖をコードするヌクレオチド残基配列を、繊維状バクテリオファージ外殼タンパク質膜アンカーをコードするヌクレオチド残基配列に操作により結合する必要がある。膜アンカーを得るのに本発明で使用するための二つの好ましい外殻タンパク質はＶＩＩＩ及びＩＩＩ（夫々、ｃｐＶＩＩＩ即ちｃｐ８及びｃｐＩＩＩ即ちｃｐ３）である。本明細書に記載された実施例において、Ｆｄ鎖をコードするヌクレオチド残基配列を本発明の融合タンパク質中でｃｐＶＩＩＩ膜アンカーまたはｃｐＩＩＩ膜アンカーに操作により結合する方法が記載される。
ファージミドベクター中で、翻訳可能なＤＮＡ配列からなる第一シストロン及び第二シストロンを操作により結合してジシストロニックＤＮＡ分子を生成する。ジシストロニックＤＮＡ分子中の夫々のシストロンを、融合タンパク質、Ｆｄ−ｃｐＶＩＩＩまたはＦｄ−ｃｐＩＩＩ及びカッパーＬ鎖の協調発現のためにＤＮＡ発現調節配列に結合する。
第一シストロンは、融合タンパク質、Ｆｄ−ｃｐＶＩＩＩまたはＦｄ−ｃｐＩＩＩに操作により結合された周辺質分泌シグナル（ｐｅｌＢリーダー）をコードする。第二シストロンはカッパーＬ鎖に操作により結合された第二ｐｅｌＢリーダーをコードする。ｐｅｌＢリーダーの存在は、バクテリア周辺質から細胞周辺腔への融合タンパク質及びＬ鎖の両方の協調されているが、別々の分泌を促進する。
上記の方法を図６に図示する。簡単には、ファージミド発現ベクターは、Ｆｄ−ｃｐＶＩＩＩ融合及びカッパー鎖に加えてクロラムフェニコールアセチルトランスフェラーゼ（ＣＡＴ）選択可能な耐性マーカー遺伝子を有する。複製のｆｌファージ開始点は、一本鎖ファージミドの生成を促進する。Ｆｄ−ｃｐＶＩＩＩ融合（ＶＨ、ＣＨ１、ｃｐＶＩＩＩ）及びＬ鎖（ＶＬ、ＣＬ）をコードするジシストロニックメッセージのイソプロピルチオガラクトピラノシド（ＩＰＴＧ）誘導発現は、Ｈ鎖及びＬ鎖の形成をもたらす。夫々の鎖をｐｅｌＢリーダー配列により細胞周辺腔に送出し、続いてこれを開裂する。Ｈ鎖はｃｐＶＩＩＩ膜アンカードメインにより膜中につなぎ止められ、一方、Ｌ鎖は周辺質に分泌される。Ｌ鎖の存在下のＨ鎖は集合してＦａｂ分子を生成する。この同じ結果は、別法で、Ｌ鎖が膜アンカーを有するＬ鎖融合タンパク質を介して膜中につなぎ止められ、そしてＨ鎖がｐｅｌＢリーダーにより周辺質に分泌される場合に得られる。
【００７８】
へルパーファージによるＥ．ｃｏｌｉのその後の感染により、繊維状バクテリオファージの集合が進行するにつれて、外殻タンパク質ＶＩＩＩは図６に示されるように繊維状ファージ粒子の全長に沿ってとり込まれる。管状アレイで集合された約２７００のｃｐＶＩＩＩモノマーからなる多数の結合部位が粒子表面に沿って存在し、その構築物はファージ感染性を妨害しない。ｃｐＩＩＩを使用する場合、蓄積がバクテリオファージの尾部で起こる。
ａ．ポリヌクレオチド選択
免疫グロブリンタンパク質ＣＤＲをコードするヌクレオチド配列は高度に可変である。しかしながら、例えば、Ｌ鎖またはＨ鎖のＶ領域ドメインに隣接し、また実質的に保存されたヌクレオチド配列、即ち、同じプライマー配列にハイブリッドを形成する配列を含む保存配列の幾つかの領域がある。
保存配列にハイブリッドを形成し、生産されたＤＮＡ同族体に制限部位をとり込み、それ故、合成ＤＮＡフラグメントをベクターに操作により結合するのに適するポリヌクレオチド合成（増幅）プライマーを構築した。更に詳しくは、プライマーは、生産された得られるＤＮＡ同族体が方向性結合手段を含むベクターの領域で上流の翻訳可能なＤＮＡ配列と共に読み取り枠中で本発明の発現ベクターに挿入し得るように設計される。本明細書に記載されたプライマーによる増幅は、下記の実施例２ｂ及び２ｃに記載されるように、ＮＰＮ−ＫＬＨ−免疫マウスから単離されたｍＲＮＡから生産されたｃＤＮＡ鋳型で行われる。
（ｉ）ＶＨプライマー　ＶＨドメインの増幅のために、プライマーは、ファージミドＨｃ２発現ベクターの特有のＸｈｏ　Ｉ部位及びＳｐｅ　Ｉ部位への方向性結合と適合性の付着末端を導入するように設計される。全ての場合、配列番号４０−４９にリストされた５’プライマーは保存Ｎ末端領域中の第一ストランドｃＤＮＡ（アンチセンスストランド）に相補性であるように選択される。初期に、増幅を５つの位置で変性した３２のプライマー（配列番号４０）の混合物で行う。ハイブリドーマｍＲＮＡを混合プライマーで増幅できたが、牌臓からのｍＲＮＡを増幅しようとする初期の試みは種々の結果を生じる。それ故、混合５’プライマーを使用する増幅の幾つかの別法を比較する。
【００７９】
第一の別法は、混合プライマープールの個々の員に相当する多数の特異なプライマー（そのうちの８つが表５に示される）を構築することである。配列番号４１〜４８にリストされた個々のプライマーを、二つの可能なヌクレオチドのいずれかを５つの変性位置のうちの３つでとり込むことにより構築する。
第二の別法は、Ｔａｋａｈａｓｈｉら，Ｐｒｏｃ．Ｎａｔｌ．Ａｃａｄ．Ｓｃｉ．，ＵＳＡ，８２：１９３１−１９３５，（１９８５）及びＯｈｔｓｕｋａら，Ｊ．Ｂｉｏｌ．Ｃｈｅｍ．，２６０：２６０５−２６０８，（１９８５）の公表された研究に基いて可変位置の４つでイノシンを含むプライマー（配列番号４９）を構築することである。このプライマーは、それが変性されず、同時にＭａｒｔｉｎら，Ｎｕｃ．Ａｃｉｄｓ　Ｒｅｓ．，１３：８９２７（１９８５）により説明されているような保存されていない位置で不適正の負の効果を最小にするという利点を有する。しかしながら、イノシンヌクレオチドの存在がクローン化ＶＨ領域中の望ましくない配列のとり込みをもたらすことは知られていない。それ故、イノシンは、制限部位の開裂後に増幅フラグメント中に残る一つの位置で含まれない。結果として、イノシンはクローン化インサート中にはない。
特異な３’プライマーを含む付加的なＶＨ増幅プライマーは、γＩＨ鎖ｍＲＮＡ（配列番号５４及び５５）の第一の一定の領域ドメインの部分に相補性であるように設計される。これらのプライマーは、ＶＨ及びＨ鎖の第一の一定の領域ドメインからのアミノ酸をコードするポリヌクレオチドを含むＤＮＡ同族体を生産するであろう。それ故、これらのＤＮＡ同族体はＦｖではなくＦａｂフラグメントを生産するのに使用し得る。
免疫グロブリンＨ鎖の別のクラスの同様の領域、例えば、ＩｇＭ、ＩｇＥ及びＩｇＡにハイブリッドを形成するように設計された付加的な特異な３’プライマーが意図されている。また、ＣＨ１一定領域の特定のクラスの特定の領域にハイブリッドを形成し、かつこのプライマーを使用して増幅されたＶＨドメインをＨ鎖またはＬ鎖の一定領域の異なるクラスを含むＶＨドメインを発現できる発現ベクターに転移するのに適するその他の３’プライマーが意図されている。
【００８０】
牌臓またはハイブリドーマｍＲＮＡからの増幅の調節として、一定領域ＩｇＧ、Ｈ鎖遺伝子内に高度に保存された領域にハイブリッドを形成する一組のプライマーを構築する。５’プライマー（配列番号５０）はＣＨ２領域中のｃＤＮＡに相補性であり、一方、３’プライマー（配列番号５２）はＣＨ３領域中のｍＲＮＡに相補性である。不適正がこれらのプライマーとそれらの鋳型の間に存在しないと考えられる。
増幅が８種の別々の反応で行われ、夫々が配列番号４１〜４８に示された５’プライマー及び配列番号５４に示された３’プライマーの一つを含む。単一反応において増幅に使用される残りの５’プライマーは変性プライマー（配列番号４０）または配列番号４９、６９及び７０に示された四つの変性位置でイノシンをとり込むプライマーである。残りの３’プライマー（配列番号６８）はＦｖフラグメントを構築するのに使用される。５’プライマーの多くはＸｈｏ　Ｉ部位をとり込み、また３’プライマーはファージミドＨｃ２発現ベクター（図２）へのＶＨＤＮＡ同族体の挿入のためのＳｐｅ　Ｉ制限部位をとり込む。
ヒトＨ鎖可変部を増幅するように設計されたＶＨ増幅プライマーが意図されている。５’Ｈ鎖プライマーの一つは、変性ヌクレオチド位置でイノシン残基を含み、単一プライマーが多数の可変部配列にハイブリッドを形成することを可能にする。種々のＩｇＧ　ｍＲＮＡの一定領域配列にハイブリッドを形成するように設計されたプライマーがまた意図されている。
（ｉｉ）ＶＬプライマー
ＶＬ　ＣＤＲをコードするヌクレオチド配列は高度に可変性である。しかしながら、ＪＬ、ＶＬ骨格領域及びＶＬリーダー／プロモーターを含むＶＬ　ＣＤＲドメインに隣接する保存配列の幾つかの領域がある。それ故、保存配列にハイブリッドを形成し、そして増幅フラグメントをＳａｃ　Ｉ及びＸｂａ　Ｉで切断されたファージミドＬｃ２ベクターにクローン化することを可能にする制限部位をとり込む増幅プライマーを構築する。
【００８１】
ＶＬ　ＣＤＲドメインの増幅につき、５’プライマー（配列番号５６〜６３）が保存Ｎ末端領域中の第一ストランドｃＤＮＡに相補性であるように設計される。また、これらのプライマーはＳａｃ　Ｌ制限エンドヌクレアーゼ部位を導入して、ＶＬ　ＤＮＡ同族体がファージミドＬｃ２発現ベクターにクローン化されることを可能にする。３’ＶＬ増幅プライマー（配列番号６４）は、ＪＬ領域中のｍＲＮＡに相補性であり、かつＶＬＤＮＡ同族体をファージミドＬｃ２発現ベクター（図４）に挿入するのに必要とされるＸｂａ　Ｉ制限エンドヌクレアーゼ部位を導入するように設計される。
付加的な３’ＶＬ増幅プライマーが、カッパーまたはλｍＲＮＡ（配列番号６５及び６６）の一定領域にハイブリッドを形成するように設計される。これらのプライマーは、カッパー鎖またはλ鎖の一定領域アミノ酸をコードするポリヌクレオチド配列を含むＤＮＡ同族体が生産されることを可能にする。これらのプライマーは、ＦｖではなくＦａｂフラグメントを生産することを可能にする。
Ｆａｂの構築のためのカッパーＬ鎖配列の増幅に使用されるプライマーを配列表にリストする。これらのプライマーによる増幅は５つの別々の反応において行われ、夫々が５’プライマー（配列番号５８〜６１）の一つまた３’プライマー（配列番号６７）の一つを含む。残りの３’プライマー（配列番号６４）はＦｖフラグメントを構築するのに使用された。５’プライマーはＳａｃ　Ｉ制限部位を含み、また３’プライマーはＸｂａ　Ｉ制限部位を含む。
λイソタイプ及びカッパーイソタイプの両方のヒトＬ鎖可変部を増幅するように設計されたＶＬ増幅プライマーがまた意図されている。
本明細書に記載された全てのプライマー及び合成ポリヌクレオチドを、アラバマ、フンツビルにあるリサーチ・ゲネチックスから購入し、または製造業者の指示を使用してアプライド・バイオシステムズＤＮＡ合成装置、型式３８１Ａで合成した。ｂ．免疫グロブリン可変ドメインをコードする遺伝子のレパートリーの調製
ニトロフェニルホスホンアミデート（ＮＰＮ）が、本発明の方法によりヘテロダイマーレセプターを調製する際のレセプター結合のためのリガンドの一つとして選ばれる。本発明の実施に使用されるその他のリガンドが実施例６に記載される。キーホールリンペットヘモシアニン（ＫＬＨ）をＮＰＮに接合して、マウスを免疫して抗ＮＰＮ免疫応答を生じ、それによりリガンド特異性ヘテロダイマーレセプター遺伝子の源を与えるのに使用されるＮＰＮ−ＫＬＨ接合体を生成する。
【００８２】
ジメチルホルムアミド中ＮＰＮ２．５ｍｇを含む溶液２５０μｌを０．０１モル（Ｍ）のリン酸ナトリウム緩衝液（ｐＨ７．２）中ＫＬＨ２ｍｇを含む溶液７５０μｌと混合することによりＮＰＮ−ＫＬＨ接合体を調製する。ＫＬＨ溶液を回転攪拌棒により攪拌しながらＮＰＮ溶液をＫＬＨ溶液に徐々に添加することにより二つの溶液を混合する。その後、その混合物を同様に攪拌しながら４℃で１間保って接合を進行させる。接合されたＮＰＮ−ＫＬＨをセファデックスＧ−２５によるゲル濾過により接合されていないＮＰＮ及びＫＬＨから分離する。分離されたＮＰＮ−ＫＬＨ接合体を、下記のようにしてマウスに注射する。
ＮＰＮ−ＫＬＨ接合体を、その接合体１００μｇを食塩加リン酸緩衝液（ＰＢＳ）２５０μｌに添加することによりマウスへの注射のために調製する。等容積の完全フロイントアジュバントを添加し、全溶液を５分間乳化する。１２９１ｘ＋マウスに乳化液３００μｌを注射する。２１ゲージの針を使用して、注射を幾つかの部位で皮下投与する。ＮＰＮ−ＫＬＨによる第二免疫感作を２週間後に与える。この注射液は、下記のようにして調製する。ＮＰＮ−ＫＬＨ５０マイクログラム（μｇ）をＰＢＳ２５０μｌ希釈し、等容積のミョウバンをＮＰＮ−ＫＬＨ溶液に混合する。次いでその溶液５００μｌを、２３ゲージの針を使用して、マウスに腹腔内注射する。１ケ月後に、マウスにＰＢＳ中で２００μｌに希釈したＮＰＮ−ＫＬＨ接合体５０μｇの最終注射を施す。３０ゲージの針を使用して、この注射を側尾部静脈に静脈内投与する。この最後の注射の５日後にマウスを犠牲にし、全細胞ＲＮＡをそれらの牌臓から単離する。
【００８３】
全細胞ＲＮＡを、Ｃｈｏｍｃｚｙｎｓｋｉら，Ａｎａｌ　Ｂｉｏｃｈｅｍ．，１６２：１５６−１５９（１９８７）により記載されたＲＮＡ調製方法を使用し、また製造業者の指示に従ってＲＮＡ単離キット（ストラタゲン）を使用して、上記のＫＬＨ−ＮＰＮで免疫した単一マウスの牌臓から調製する。簡単には、免疫されたマウスから牌臓を除去した直後に、その組織を、ガラスホモジナイザーを使用して、４．０Ｍのグアニンイソチアシアネート、０．２５Ｍのクエン酸ナトリウム、ｐＨ７．０、及び０．１Ｍのβ−メルカプトエタノールを含む変性溶液１０ｍｌ中で均一にする。ｐＨ４．０の２Ｍの濃度の酢酸ナトリウム１ｍｌを均一にされた牌臓と混合する。また、前もってＨ２Ｏで飽和したフェノール１ｍｌを、均一にされた牌臓を含む変性溶液に混合する。クロロホルム：イソアミルアルコール（２４：１　ｖ／ｖ）混合物２ｍｌを、このホモジネートに添加する。ホモジネートを１０秒間激しく混合し、氷の上に１５分間保つ。次いでそのホモジネートを肉厚の５０ｍｌのポリプロピレン遠心分離管（フィッシャー・サイエンティフィック社、ピッツバーグ、ＰＡ）に移す。その溶液を１０，０００　ｘ　ｇで４℃で２０分間遠心分離する。上部のＲＮＡを含む水層を新しい５０ｍｌのポリプロピレン遠心分離管に移し、等容積のイソプロピルアルコールと混合する。この溶液を−２０℃で少なくとも１時間保ってＲＮＡを沈殿させる。沈殿したＲＮＡを含む溶液を１０，０００　ｘ　ｇで４℃で２０分間遠心分離する。ペレット化した全細胞ＲＮＡを集め、上記の変性溶液３ｍｌに溶解する。イソプロピルアルコール３ｍｌを、再度懸濁した全細胞ＲＮＡに添加し、激しく混合する。この溶液を−２０℃で少なくとも１時間保ってＲＮＡを沈殿させる。沈殿したＲＮＡを含む溶液を１０，０００　ｘ　ｇで４℃で１０分間遠心分離する。ペレット化したＲＮＡを、７５％のエタノールを含む溶液で１回洗浄した。ペレット化したＲＮＡを真空下で１５分間乾燥させ、次いでジメチルピロカーボネート（ＤＥＰＣ）で処理したＨ２Ｏ（ＤＥＰＣ−Ｈ２Ｏ）に再度懸濁させる。
【００８４】
長いポリＡトラクトを含む配列につき濃縮されたメッセンジャーＲＮＡ（ｍＲＮＡ）をＭｏｌｅｃｕｌａｒ　Ｃｌｏｎｉｎｇ：　Ａ　Ｌａｂｏｒａｔｏｒｙ　Ｍａｎｕａｌ，Ｍａｎｉａｔｉｓら編集，Ｃｏｌｄ　Ｓｐｒｉｎｇ　Ｈａｒ−ｂｏｒ，ＮＹ，（１９８２）に記載された方法を使用して全細胞ＲＮＡから調製する。簡単には、上記のようにして調製された単一の免疫されたマウス牌臓から単離された全ＲＮＡの半分をＤＥＰＣ−Ｈ２Ｏ　１ｍｌに再度懸濁させ、６５℃で５分間保つ。１００　ｍＭのトリス−ＨＣｌ、１ＭのＮａＣｌ、２．０　ｍＭのＥＤＴＡ、ｐＨ７．５、及び０．２％のドデシル硫酸ナトリウム（ＳＤＳ）からなる２Ｘ高食塩負荷緩衝液１ｍｌを再度懸濁されたＲＮＡに添加し、その混合物を室温に冷却する。次いでその混合物を、オリゴ−ｄＴを０．１Ｍの水酸化ナトリウム及び５ｍＭのＥＤＴＡを含む溶液で洗浄し、次いでカラムをＤＥＰＣ−Ｈ２Ｏで平衡にすることにより前もって調製されたオリゴ−ｄＴ（コラボラティブ・リサーチ型２または型３）カラムに適用する。溶離液を無菌ポリプロピレン管中で集め、溶離液を６５℃で５分間加熱した後に同カラムに再度適用する。次いでオリゴ−ｄＴカラムを、５０ｍＭのトリス−ＨＣｌ、ｐＨ７．５、５００ｍＭのＮａＣｌ、１ｍＭのＥＤＴＡ及び０．１％のＳＤＳからなる高食塩負荷緩衝液２ｍｌで洗浄する。次いでオリゴ−ｄＴカラムを、５０ｍＭのトリス−ＨＣｌ、ｐＨ７．５、１００ｍＭ、１ｍＭのＥＤＴＡ及び０．１％のＳＤＳからなる１Ｘ中間食塩緩衝液２ｍｌで洗浄する。メッセンジャーＲＮＡを、１０ｍＭのトリス−ＨＣＩ，ｐＨ７．５、１ｍＭのＥＤＴＡ及び０．０５％のＳＤＳからなる緩衝液１ｍｌでオリゴ−ｄＴカラムから溶離する。この溶液をフェノール／クロロホルムで抽出し、続いて１００％のクロロホルムで１回抽出することによりメッセンジャーＲＮＡを精製する。メッセンジャーＲＮＡをエタノール沈殿により濃縮し、ＤＥＰＣ　Ｈ２Ｏ中に再度懸濁させる。
【００８５】
上記の方法により単離されたメッセンジャーＲＮＡ（ｍＲＮＡ）は、複数の異なるＶＨコードポリヌクレオチド、即ち、約１０４より大きい異なるＶＨコード遺伝子を含み、また同様の数のＶＬコード遺伝子を含む。こうして、ｍＲＮＡ集団は可変部コード遺伝子のレパートリーに相当する。また、異なる抗原、例えば、破傷風トキソイド、γグロブリン、種々のハプテン−抗原接合体、等による免疫感作により得られる可変部コード遺伝子のレパートリーが、本発明における使用に意図されている。使用に好ましい抗原特異性ライブラリーが実施例６に記載されている。
ｃ．ＤＮＡ同族体の調製
ＲＣＲ増幅のための調製において、先に調製されたｍＲＮＡがプライマー伸長反応によるｃＤＮＡ合成の鋳型として使用される。典型的な５０μｌの転写反応において、水中の牌臓ｍＲＮＡ５〜１０μｇを最初に６５℃で５分間にわたって配列番号５１にリストされた３’ＶＨプライマー５００ｎｇ（５０．０　ｐモル）とハイブリッドを形成（アニール）する。続いてその混合物を１．５　ｍＭのｄＡＴＰ、ｄＣＴＰ、ｄＧＴＰ及びｄＴＴＰ、４０ｍＭのトリス−ＨＣＩ、ｐＨ８．０、８ｍＭのＭｇＣｌ２、５０ｍＭのＮａＣｌ、及び２ｍＭのスペルミジンに調節する。モロニーマウス白血病ウイルス逆転写酵素（ストラタゲン）、２６単位を添加し、その溶液を３７℃で１時間保つ。
ＲＣＲ増幅を、逆転写反応の生成物（ｃＤＮＡ／ＲＮＡハイブリッド約５μｇ）、３’ＶＨプライマー（配列番号５１）３００ｎｇ、５’ＶＨプライマー（配列番号４１〜４９）の夫々３００ｎｇ２００　ｍＭのｄＮＴＰの混合物、５０ｍＭのＫＣｌ、１０ｍＭのトリス−ＨＣｌ、ｐＨ８．３、１５ｍＭのＭｇＣｌ２、０．１％のゼラチン及び２単位のテルムス・アクアチクス（Ｔｈｅｒｍｕｓ　ａｑｕａｔｉｃｓ）（Ｔａｑ）ＤＮＡポリメラーゼ（パーキン−エルマー−セタス、エメリービル、カリフォルニア）を含む反応液１００μｌ中で行う。その反応混合物を鉱油で覆い、４０サイクルの増幅にかける。夫々の増幅サイクルは、９２℃で１分間の変性、５２℃で２分間のアニーリング、及び７２℃で１．５分間のプライマー伸長によるポリヌクレオチド合成を含む。次いで、増幅されたＶＨコードＤＮＡ同族体を含む試料をフェノール／クロロホルムで２回、クロロホルムで１回抽出し、エタノールで沈殿させ、１ｍＭのＥＤＴＡを含む１０ｍＭのトリス−ＨＣｌ、ｐＨ７．５中で−７０℃で貯蔵する。
【００８６】
特異な５’プライマー（配列番号４１〜４８）を使用して、有効なＶＨコードＤＮＡ同族体合成及び牌臓ｍＲＮＡからの増幅を、アガロースゲル電気泳動により示されるように得る。増幅ｃＤＮＡ（ＶＨコードＤＮＡ同族体）は、予想されたサイズ（３６０ｂｐ）の主要バンドとして見られる。夫々の反応において増幅されたＶＨコードポリヌクレオチドフラグメントの量は同様であり、これはこれらのプライマーの全てが増幅を開始するのにほぼ同等に有効であったことを示す。これらのプライマーによる増幅の歩留り及び品質は再現性がある。
また、イノシンを含むプライマーは、増幅されたＶＨコードＤＮＡ同族体を牌臓ｍＲＮＡから再現可能に合成し、その他の増幅ｃＤＮＡの強さと同様の強さの予想されたサイズのフラグメントの生産をもたらす。また、イノシンの存在は、有効なＤＮＡ同族体合成及び増幅を可能にし、これはこのようなプライマーが複数のＶＨコードＤＮＡ同族体を生成するのに有益であることを明らかに示す。一定領域プライマー（配列番号５０及び５２）から得られた増幅産物は更に強く、これは増幅がおそらく鋳型とプライマーの間の高度の相同性のために更に有効であったことを示す。上記の操作後に、ＶＨコード遺伝子ライブラリーを、夫々異なる５’プライマーで行った８種の増幅の生産物から構築する。夫々のプライマー伸長反応からの生産物の等しい部分を混合し、次いで混合生産物を使用してＶＨコードＤＮＡ同族体を含むベクターのライブラリーを生成する。
また、ＶＬのＤＮＡ同族体を、上記のようにして調製された精製ｍＲＮＡから調製する。ＰＣＲ増幅のための調製において、上記の実施例に従って調製されたｍＲＮＡをｃＤＮＡ合成の鋳型として使用する。典型的な５０μｌの転写反応において、水中の牌臓ｍＲＮＡ５〜１０μｇを最初に６５℃で５分間にわたって３’ＶＬプライマー（配列番号５３）３００ｎｇ（５０．０　ｐモル）でアニールする。続いて、その混合物を１．５ｍＭのｄＡＴＰ、ｄＣＴＰ、ｄＧＴＰ及びｄＴＴＰ、４０ｍＭのトリス−ＨＣｌ、ｐＨ８．０、８ｍＭのＭｇＣｌ２、５０ｍＭのＮａＣｌ、及び２ｍＭのスペルミジンに調節する。モロニーマウス白血病ウイルス逆転写酵素（ストラタゲン）、２６単位を添加し、その溶液を３７℃で１時間保つ。ＲＣＲ増幅を、上記のようにして生成されたｃＤＮＡ／ＲＮＡハイブリッド約５μｇ、３’ＶＬプライマー（配列番号５３）３００ｎｇ、５’ＶＬプライマー（配列番号５４）３００ｎｇ、２００　ｍＭのｄＮＴＰの混合物、５０ｍＭのＫＣｌ、１０ｍＭのトリス−ＨＣｌ、ｐＨ８．３、１５ｍＭのＭｇＣｌ２、０．１％のゼラチン及び２単位のＴａｑ　ＤＮＡポリメラーゼを含む反応液１００μｌ中で行う。その反応混合物を鉱油で覆い、４０サイクルの増幅にかける。夫々の増幅サイクルは、９２℃で１分間の変性、５２℃で２分間のアニーリング、及び７２℃で１．５分間の伸長を含む。次いで、増幅試料をフェノール／クロロホルムで２回、クロロホルムで１回抽出し、エタノールで沈殿させ、１０ｍＭのトリス−ＨＣｌ、ｐＨ７．５及び１ｍＭのＥＤＴＡ中で−７０℃で貯蔵する。
【００８７】
ｄ．ＤＮＡ発現ベクターへのＤＮＡ同族体の挿入
ＶＨ配列の濃縮された発現ライブラリーを調製するために、ＶＨ配列の濃縮されたＤＮＡ同族体を実施例２ｃに従って同じ組の５’プライマーを使用するが、３’プライマーとして配列番号５３のプライマーを用いて調製する。得られるＰＣＲ増幅産物（２．５μｇ／３０μｌの１５０ｍＭのＮａＣｌ、８ｍＭのトリス−ＨＣｌ、ｐＨ７．５、６ｍＭのＭｇＣｌ２、１ｍＭのＤＴＴ、２００　μｇ／ｍｌのＢＳＡ）を３７℃で制限酵素Ｘｈｏ　Ｉ（１２５単位）及びＳｐｅ　Ｉ（１２５単位）で消化する。増幅反応の生産物の混合物を必要としたクローニング実験において、等容積（５０μｌ、１〜１０μｇの濃度）の夫々の反応混合物を、増幅の後で、制限消化の前に合わせる。ＶＨ同族体を、Ｍｏｌｅｃｕｌａｒ　Ｃｌｏｎｉｎｇ　Ａ　ＬａｂｏｒａｔｏｒｙＭａｎｕａｌ，Ｍａｎｉａｔｉｓら編集，Ｃｏｌｄ　Ｓｐｒｉｎｇ　Ｈａｒｂｏｒ，ＮＹ，（１９８２）に記載された通常の電気溶離技術を使用して１％のアガロースゲルで精製する。消化されたＰＣＲ増幅牌臓ｍＲＮＡのゲル電気泳動後に、約３５０　ｂｐのＤＮＡフラグメントを含むゲルの領域を切除し、透析膜に対し電気溶離し、エタノールで沈殿させ、１０ｍＭのトリス−ＨＣｌ、ｐＨ７．５及び１ｍＭのＥＤＴＡを含むＴＥ溶液中で５０ｎｇ／μｌの最終濃度まで再度懸濁させる。得られるＶＨ　ＤＮＡ同族体は、ベクターλＨｃ２への方向性結合に適した付着末端を有するポリペプチド遺伝子のレパートリーに相当する。次いでこれらの調製されたＶＨ　ＤＮＡ同族体を、上記のようにして調製された直線状にされたλＨｃ２発現ベクターに方向性結合する。
λＨｃ２発現ＤＮＡベクターを、このＤＮＡ　１００　μｇを制限エンドヌクレアーゼＸｈｏＩ及びＳｐｅ　Ｉ（両方とも、ベーリンガー・マンハイム、インジアナポリス、ＩＮから入手）の夫々２５０単位及び製造業者により推奨された緩衝液を含む溶液に混合することによりＤＮＡ同族体を挿入するために調製する。この溶液を３７℃で１．５時間保つ。その溶液を６５℃で１５分間加熱して制限エンドヌクレアーゼを不活化する。その溶液を３０℃に冷却し、熱死滅可能な（ＨＫ）ホスファターゼ（エピセンター、マジソン、ＷＩ）及びＣａＣｌ２を製造業者の仕様に従ってそれに混合する。この溶液を３０℃で１時間保つ。その溶液をフェノールとクロロホルムの混合物で抽出し、続いてエタノールで沈殿させることによりそのＤＮＡを精製する。
【００８８】
今、λＨｃ２発現ベクターが、先の実施例で調製されたＶＨ　ＤＮＡ同族体への結合のために用意される。次いでこれらの調製されたＶＨ　ＤＮＡ同族体を、ＶＨ　ＤＮＡ同族体インサート３モルを５℃で一夜にわたってＨｃ２発現ベクターの各１モルと結合することにより先に調製したＸｈｏ　Ｉ及びＳｐｅ　Ｉで制限消化されたλＨｃ２発現ベクターに直接挿入する。そのＤＮＡをギガパックＩＩボールド（ストラタゲン）でパッケージした後に約３．０　ｘ　１０５のプラーク形成単位を得、その内の５０％が組換え体である。ＶＨ　ＤＮＡ同族体を含む結合混合物を、ギガパックゴールドＩＩパッキングエキストラクト（ストラタゲン）を使用して、製造業者の仕様に従ってパッケージする。次いで、得られるλＨｃ２発現ライブラリーをＸＬｌ−ブルー細胞に形質転換する。
ＶＬ配列の濃縮されたライブラリーを調製するために、ＶＬ配列の濃縮されたＰＣＲ増幅産物を実施例２ｃに従って調製する。これらのＶＬ　ＤＮＡ同族体を制限酵素Ｓａｃ　Ｉ及びＸｂａ　Ｉで消化し、消化されたＶＬ　ＤＮＡ同族体をＶＨ　ＤＮＡ同族体につき上記されたようにして１％のアガロースゲルで精製して方向性結合に適したＶＬポリペプチド遺伝子のレパートリーを形成する。次いで、調製されたＶＬ　ＤＮＡ同族体を、λＨｃ２につき記載されたようにして制限酵素Ｓａｃ　Ｉ及びＸｂａ　Ｉで先に消化されたλＬｃ２発現ベクターに方向性結合する。ＶＬ　ＤＮＡ同族体を含む結合混合物を、上記されたようにしてパッケージしてλＬｃ２発現ライブラリーを形成し、ＸＬｌ−ブルー細胞への塗布に供する。
【００８９】
ｅ．同じ発現ベクターでＶＨ
ＤＮＡ同族体及びＶＬ　ＤＮＡ同族体をランダムに合わせること　Ｈ鎖及びＬ鎖を発現する二つのシストロンを発現するためのベクターを含むライブラリーの構築を二工程で行う。第一工程において、別個のＨ鎖ライブラリー及びＬ鎖ライブラリーを、記載されたようにして、上記のＮＰＮ−ＫＬＨで免疫されたマウスから得られた遺伝子レパートリーを使用して、夫々、発現ベクターλＨｃ２及びλＬｃ２中で構築する。第二工程において、これらの二つのライブラリーを夫々のベクター中に存在する非対称の（ａｎｔｉｓｙｍｍｅｔｒｉｃ）ＥｃｏＲＩ部位で合わせる。これはクローン（その夫々がＨ鎖及びＬ鎖を潜在的に同時発現する）のライブラリーを生じた。実際の組み合わせはランダムであり、親動物中のＢ細胞集団中に存在する組み合わせを必ずしも反映しない。
上記の免疫感作（実施例２ｂ）から生じる牌臓ｍＲＮＡを単離し、λＨｃ２発現ベクターを使用してＶＨ遺伝子配列の一次ライブラリーをつくるのに使用する。一次ライブラリーは１．３　ｘ　１０６のプラーク形成単位（ｐｆｕ）を含み、デカペプチドｔａｇの発現につきスクリーニングしてＶＨ配列及びＣＨ　１（Ｆｄ）配列を発現するクローンの比率（％）を測定し得る。このペプチドの配列は、発現、続いてベクターへのＦｄ（またはＶＨ）フラグメントのクローニングのための枠中のみにある。ライブラリー中のクローンの少なくとも８０％が、デカペプチドｔａｇの免疫検出に基いてＦｄフラグメントを発現する。
Ｌ鎖ライブラリーをＨ鎖ライブラリーと同じ方法で構築し、これは２．５　ｘ　１０６の員を含む。抗カッパー鎖抗体を使用するプラークスクリーニングは、含まれるライブラリーの６０％がＬ鎖インサートを発現することを示す。小比率のインサートが、Ｓａｃ　Ｉ及びＸｂａ　Ｉによる開裂後にベクターの不完全脱ホスホリル化により生じる。
【００９０】
一旦得られると、二つのライブラリーを使用して、それらをＥｃｏＲ　Ｉ部位で交差することにより結合性ライブラリーを構築する。交差を行うために、ＤＮＡを最初に夫々のライブラリーから精製する。
実施例２ｄで調製したλＬｃ２ライブラリーを増幅し、λＬｃ２発現ライブラリーファージＤＮＡ　５００μｇを、Ｍｏｌｅｃｕｌａｒ　Ｃｌｏｎｉｎｇ：　Ａ　Ｌａｂｏｒａｔｏｒｙ　Ｍａｎｕａｌ，Ｍａｎｉａｔｉｓら編集，Ｃｏｌｄ　Ｓｐｒｉｎｇ　Ｈａｒｂｏｒ，ＮＹ（１９８２）に記載された操作を使用して増幅ファージ系統から調製する。この増幅発現ライブラリーファージＤＮＡ　５０μｇを、エンドヌクレアーゼ製造業者により供給された緩衝液２００　μｌ中のＭＬｕ　Ｉ制限エンドヌクレアーゼ１００単位を含む溶液（ベーリンガー・マンハイム、インジアナポリス、ＩＮ）中で３７℃で１．５時間保つ。次いでその溶液をフェノールとクロロホルムの混合物で抽出する。次いでＤＮＡをエタノールで沈殿させ、水１００　μｌ中に再度懸濁させる。この溶液を製造業者により特定された成分を含む最終容積２００　μｌの緩衝液中の制限エンドヌクレアーゼＥｃｏＲ　Ｉ（ベーリンガー）１００単位と混合する。この溶液を３７℃で１．５時間保ち、次いでその溶液をフェノールとクロロホルムの混合物で抽出する。ＤＮＡをエタノールで沈殿させ、次いでＴＥ中に再度懸濁させる。
実施例２ｄで調製したλＨｃ２発現ライブラリーを増幅し、λＨｃ２発現ライブラリーファージＤＮＡ　５００μｇを、先に詳しく説明した方法を使用して調製する。この増幅ライブラリーファージＤＮＡ　５０μｇを、エンドヌクレアーゼ製造業者により供給された緩衝液２００　μｌ中のＨｉｎｄ　ＩＩＩ制限エンドヌクレアーゼ１００単位を含む溶液（ベーリンガー）中で３７℃で１．５時間保つ。次いでその溶液を０．１Ｍのトリス一ＨＣｌ、ｐＨ７．５で飽和したフェノールとクロロホルムの混合物で抽出する。次いでＤＮＡをエタノールで沈殿させ、水１００μｌ中に再度懸濁させる。この溶液を製造業者により特定された成分を含む最終容積２００　μｌの緩衝液中の制限エンドヌクレアーゼＥｃｏＲ　Ｉ（ベーリンガー）１００単位と混合する。この溶液を３７℃で１．５時間保ち、次いでその溶液をフェノールとクロロホルムの混合物で抽出する。ＤＮＡをエタノールで沈殿させ、次いでＴＥ中に再度懸濁させる。
【００９１】
制限消化したＨｃ２発現ライブラリー及びＬｃ２発現ライブラリーを一緒につなぐ。その目的のために、Ｈｃ２　ｌμｇ及びＬｃ２ファージライブラリーＤＮＡ　１μｇからなるＤＮＡ混合物を、結合キット（ストラタゲン）中に供給された試薬を使用して１０μｌの反応液中で調製する。そのＤＮＡ混合物を５分間で４５℃に温め、再アニールし得る付着末端を融解する。次いでその混合物を０℃に冷却して再結合を防止する。バクテリオファージＴ４　ＤＮＡリガーゼ（エキソヌクレアーゼ耐性アッセイで測定して０．０２単位に相当する０．１ワイス単位）を５ｍＭのＡＴＰ　１μｌ及び１０ＸバクテリオファージＴ４　ＤＮＡリガーゼ緩衝液（１０Ｘ緩衝液は２００　ｍＭのトリス−ＨＣｌ、ｐＨ７．６、５０ｍＭのＭｇＣｌ２、５０ｍＭのＤＴＴ、及び５００　μｇ／ｍｌのＢＳＡを混合することにより調製される）１μｌと共に冷却ＤＮＡ溶液に混合して結合混合物を生成する。４℃で１６時間結合した後、その結合ファージＤＮＡ　１μｌをギガパックゴールドＩＩパッケージングエキストラクトでパッケージし、製造業者の指示に従って調製したＸＬｌ−ブルーセルに塗布して、ＮＰＮ免疫マウスに由来するＨ鎖及びＬ鎖を発現できるジシストロニック発現ベクターのλファージライブラリーを形成する。得られたクローンの一部を使用してその組み合わせの有効性を測定する。
ｆ．抗ＮＰＮ反応性ヘテロダイマーを生産するジシストロニックベクターの選択
実施例２ａで先に調製した結合性Ｆａｂ発現ライブラリーをスクリーニングしてＮＰＮに対するアフィニティーを有するクローンを同定する。Ｌ鎖フラグメント及びＨ鎖フラグメントを同時発現したファージクローンの頻度を測定するために、Ｌ鎖、Ｈ鎖及び結合性ライブラリーの二重リフトを、上記のようにしてＬ鎖及びＨ鎖発現につきスクリーニングする。約５００の組換えファージのこの研究において、約６０％がＬ鎖タンパク質及びＨ鎖タンパク質を同時発現した。
全ての三つのライブラリー、即ち、Ｌ鎖、Ｈ鎖及び結合性ライブラリーをスクリーニングして、それらがＮＰＮを結合した抗体フラグメントを発現した組換えファージを含んでいたかどうかを測定する。典型的な操作において、３０，０００のファージをＸＬｌ−ブルーセルに塗布し、ニトロセルロースによる二重リフトを１２５Ｉ標識ＢＳＡにカップリングしたＮＰＮへの結合につきスクリーニングする。ＢＳＡは、Ｂｏｌ−ｔｏｎら，Ｂｉｏｃｈｅｍ．，１３３：５２９−５３４（１９７３）により記載されたクロラミン−Ｔ方法に従ってヨウ素化される。
【００９２】
多数のクローンをスクリーニングし、結合性ライブラリー中の抗原結合クローンの頻度の更に定量的な推測を得る能力を評価するために、１００万のファージプラークをスクリーニングし、抗原に結合した約１００のクローンを同定する。ＮＰＮを結合すると考えられる６のクローンにつき、６の陽性のバクテリオファージプラーク及び約２０の周囲のバクテリオファージプラークを含むプレートの領域を選択し、夫々のプラークをコアーにし、再度塗布し、二重リフトでスクリーニングする。
ＮＰＮと反応するプラークの一つであるクローン２ｂを生体内切除プロトコルに従って切除し、この場合、ファージ系統２００　μｌ及びＸＬＩ−ブルーのＦ＋誘導体（Ａ６００＝１．００）（ストラタゲン）２００　μｌをＭｌ３ｍｐ８ヘルパーファージ（１　Ｘ１０１０ｐｆｕ／ｍｌ）１μｌと混合し、３７℃で１５分間保つ。ルリアーベルタニ（ＬＢ）培地中で４時間保ち、７０℃で２０分間加熱してＸＬｌ−ブルーセルを加熱死滅した後、ファージミドをＸＬｌ−ブルーセルに再度感染し、アンピシリンを含むＬＢプレートに塗布する。この操作は、λＺａｐ　ＩＩベクターからプラスミドベクターへクローン化インサートを変換して容易な操作及び配列決定（ストラタゲン）を可能にする。次いで、ＶＨ及びＶＬの一部をコードするファージミドＤＮＡを、Ｓａｎｇｅｒら，Ｐｒｏｃ．Ｎａｔｌ．Ａｃａｄ．Ｓｃｉ．，７４：５４６３−５４６７（１９７７）に記載されたサンガー・ジデオキシ方法を使用して、製造業者の指示（ＵＳバイオケミカル社、クレーブランド、オハイオ）に従ってシーケナーゼ（Ｓｅｑｕｅｎａｓｅ）キットを使用してＤＮＡ配列決定により測定する。クローン２ｂ　Ｆｄ鎖のヌクレオチド残基配列を配列番号７１として配列表にリストする。カッパーＬ鎖可変部及び一定領域のヌクレオチド残基配列を、夫々配列番号７２及び配列番号７３として配列表にリストする。
【００９３】
ｇ．繊維状ファージ外殻タンパク質膜アンカーをコードするＤＮＡ配列の調製
ｃｐＶＩＩＩ膜アンカー：　市販のバクテリオファージベクター（ファーマシア、ピスキャットアウェー、ニュージャージー）であるＭ１３ｍｐ１８を、ｃｐＶＩＩＩをコードする遺伝子を単離するための源として使用した。配列番号７４として配列表にリストされたｃｐＶＩＩＩの膜アンカードメインをコードする遺伝子の配列をＰＣＲ増幅により修飾して制限エンドヌクレアーゼ部位、Ｓｐｅ　Ｉ及びＥｃｏＲ　Ｉ、並びにＥｃｏＲ　Ｉ部位の前の二つの終止コドンをとり込んだ。ｃｐＶＩＩＩの膜アンカードメインの相当するアミノ酸残基配列を配列番号１７としてリストする。
修飾ｃｐＶＩＩＩを調製するために、Ｍ１３ｍｐ１８からの複製型ＤＮＡを最初に単離した。簡単には、ＬＢ（ルリアーベルタニ培地）２ｍｌに、Ｆ’エピソーム（ＪＭ１０７、ＪＭ１０９またはＴＧ１）を有するバクテリア株の培養液５０μｌを単一プラークから誘導されたバクテリオファージ粒子の１／１０の懸濁液と共に混合した。その混合物を絶えず攪拌しながら３７℃で４〜５時間インキュベートした。次いでその混合物を１２，０００　ｘ　ｇで５分間遠心分離して感染バクテリアをペレット化した。上澄みを除去した後、ペレットを激しく攪拌しながら１００μｌの氷冷溶液Ｉ中に再度懸濁させた。溶液Ｉは、５０ｍＭのグルコース、１０ｍＭのＥＤＴＡ及び２５ｍＭのトリス−ＨＣｌ、ｐＨ８．０を混合し、１５分間オートクレーブ処理することにより調製した。
バクテリア懸濁液に、新たに調製した溶液ＩＩ　２００μｌを混合し、その管を５回迅速に倒立させた。溶液ＩＩは、０．２ＮのＮａＯＨ及び１％のＳＤＳを混合することにより調製した。バクテリア懸濁液に、１５０　μｌの氷冷溶液ＩＩＩを混合し、管を倒立位置で１０秒間軽く攪拌して溶液ＩＩＩを粘稠なバクテリア溶解産物に分散させた。溶液ＩＩＩは、５Ｍの酢酸カリウム６０ｍｌ、氷酢酸１１．５ｍｌ及び水２８．５ｍｌを混合することにより調製した。次いで、得られたバクテリア溶解産物を氷の上で５分間貯蔵し、続いて小型遠心分離機中で１２，０００　ｘ　ｇで４℃で５分間遠心分離した。得られた上澄みを回収し、新しい管に移した。上澄みに、等容積のフェノール／クロロホルムを添加し、その混合物を攪拌した。次いでその混合物を小型遠心分離機中で１２，０００　ｘ　ｇで２分間遠心分離した。得られた上澄みを新しい管に移し、二本鎖バクテリオファージＤＮＡを室温で２倍の容積のエタノールで沈殿させた。その混合物を室温で２分間放置した後、その混合物を遠心分離してＤＮＡをペレット化した。上澄みを除去し、ペレット化された複製型ＤＮＡを２５μｌのトリス−ＨＣｌ、ｐＨ７．６、及び１０ｍＭのＥＤＴＡ（ＴＥ）中に再度懸濁させた。
【００９４】
次いで二本鎖Ｍ１３ｍｐ１８複製型ＤＮＡをＰＣＲの鋳型として使用した。プライマー、ＡＫ５（配列番号７５）及びＡＫ６（配列番号７６）（これらの配列が下記の表５にリストされる）をＰＣＲ反応に使用してｃｐＶＩＩＩ膜アンカードメインの成熟遺伝子を増幅し、二つのクローニング部位、Ｓｐｅ　Ｉ及びＥｃｏＲ　Ｉをとり込んだ。ＰＣＲ反応につき、Ｍ１３ｍｐ１８複製型ＤＮＡ　１ｎｇを含む２μｌを０．５　ｍｌの小型遠心分離管中で市販の１０Ｘ　ＰＣＲ緩衝液（プロメガ・バイオテク、マジソン、ウィスコンシン）１０μｌと混合した。そのＤＮＡ混合物に、ｄＮＴＰ（ｄＡＴＰ、ｄＣＴＰ、ｄＧＴＰ、ｄＴＴＰ）の２．５ｍＭの溶液８μｌを混合して２００μＭの最終濃度を生じた。５’前方ＡＫ５プライマー３μｌ（６０ピコモル（ｐＭ）に相当する）及び３’後方ＡＫ６プライマー３μｌ（６０ｐＭ）をＤＮＡ溶液に混合した。その混合物に、滅菌水７３μｌ及びポリメラーゼ（プロメガ・バイオテク）１μｌ５単位を添加した。鉱油２滴を混合物の上部に入れ、サーモサイクラー中の４０ラウンドのＰＣＲ増幅を行った。増幅サイクルは、５２℃で２分間、７２℃げ１．５分間そして９１℃で２分間からなっていた。次いで、Ｍ１３ｍｐ１８を含む試料から得られたＰＣＲ修飾ｃｐＶＩＩＩ膜アンカードメインＤＮＡフラグメントをジーン・クリーン（Ｇｅｎｅ　Ｃｌｅａｎ）（ＢＩＯｌＯｌ、ラ・ジョラ、カリフォルニア）で精製し、フェノール／クロロホルムで２回抽出し、クロロホルムで１回抽出し、続いてエタノールで沈殿させ、そして１０ｍＭのトリス−ＨＣｌ、ｐＨ７．５、及び１ｍＭのＥＤＴＡ中で−７０℃で貯蔵した。
【００９５】
2004000238.tif 000006
Ｆ　　前方プライマー
Ｂ　　後方プライマー
１　５’から３’へ：ＣＨ１３’末端のオーバーラップ配列が二重の下線を施されている。ＳｐｅＩ制限部位配列が一本の下線を施されている。ｃｐＶＩＩＩのオーバーラップ配列が二重の下線を施されている。
２　ＥｃｏＲＩ制限部位配列が一本の下線を施されている。
３　ＸｈｏＩ制限部位配列が下線を施されている。
４　５’から３’へ：ｃｐＶ　ＩＩＩのオーバーラップ配列が二重の下線を施されている。ＳｐｅＩ制限部位配列が一本の下線を施されている。ＣＨ１３’末端のオーバーラップ配列が二重の下線を施されている。
５　５’から３’へ：ＳｐｅＩ制限部位配列が一本の下線を施されている。ｃｐ　ＩＩＩの５’末端とのオーバーラップ配列が二重の下線を施されている。
６　５’から３’へ：ＮｈｅＩ制限部位配列が一本の下線を施されている。ｃｐ　ＩＩＩの３’末端とのオーバーラップ配列が二重の下線を施されている。
７　５’から３’へ：ｃｐ　ＩＩＩの３’末端とのオーバーラップ配列が二重の下線を施されている。ＮｈｅＩ制限部位配列は位置４でヌクレオチド残基“Ｇ”で開始し、更に５の残基＝ＧＣＴＡＧＣだけ延びている。
８　ＥｃｏＲＩ制限部位配列が一本の下線を施されている。
９　ＬａｃＺを増幅するためのオルタナティブ後方プライマー；ＥｃｏＲＩ制限部位配列が一本の下線を施されている。
【００９６】
修飾ｃｐＶＩＩＩ膜アンカードメインの増幅を確かめるために、ＰＣＲ精製ＤＮＡ生産物を１％のアガロースゲル中で電気泳動にかけた。ｃｐＶＩＩＩの予想サイズは約１５０の塩基対であった。修飾ｃｐＶＩＩＩ　ＤＮＡフラグメントを含むアガロース中の領域を、上記のようにしてアガロースから単離した。単離した修飾ｃｐＶＩＩＩ　ＤＮＡフラグメントの配列を配列番号８４としてリストする。次いで、融合タンパク質Ｆｄ−ｃｐＶＩＩＩをコードするＤＮＡセグメントを形成するために、単離したｃｐＶＩＩＩ　ＤＮＡフラグメントを実施例２ｉに下記される修飾Ｆｄの同様に調製されたフラグメントと混合した。
ｃｐＶＩＩＩ膜アンカー：　また、Ｍ１３ｍｐ１８を、ｃｐＩＩＩで膜アンカーをコードする遺伝子を単離するための源として使用し、その配列が配列表中に配列番号８５としてリストされる。膜アンカードメインｃｐＩＩＩのアミノ酸残基配列を配列番号１６にリストする。Ｍ１３ｍｐ１８複製型ＤＮＡを上記のようにして調製し、Ｌａｃ　Ｚプロモーターをコードする配列に対し５’に配置されたｃｐＩＩＩ膜アンカードメインの成熟遺伝子、オペレーター及びＬ鎖発現を調節するためのｃａｐ結合部位からなるＤＮＡフラグメントの構築のために二つのＰＣＲ増幅の鋳型として使用した。制限部位、Ｓｐｅ　Ｉ及びＥｃｏＲ　Ｉを増幅反応中につくり、夫々フラグメントの５’末端及び３’末端に配置されていた。二つの別個のＰＣＲ増幅の生産物を組み合わせることによりこのフラグメントをつくる操作を、以下に記載する。
【００９７】
プライマー対、即ち、表５にリストされたＧ−３（Ｆ）（配列番号７９）及びＧ−３（Ｂ）（配列番号８０）を、先に行ったような第一ＰＣＲ反応に使用してｃｐＩＩＩ膜アンカー遺伝子を増幅し、Ｓｐｅ　Ｉ制限部位及びＮｈｅ　Ｉ制限部位をフラグメントにとり込んだ。また、増幅ＰＣＲフラグメントは、Ｈ鎖とｃｐＩＩＩをコードするドメインの間に並置された四つのグリセリン残基及び一つのセリンを含む５アミノ酸テサー（ｔｅ−ｔｈｅｒ）をコードするヌクレオチド配列を含んでいた。一旦発現されると、規則的な二次構造を欠いている５アミノ酸配列は、ＦａｂドメインとｃｐＩＩＩドメインの間の相互作用を最小にするのに利用できた。フラグメントの夫々５’末端及び３’末端にＳｐｅ　Ｉ部位及びＮｈｅ　Ｉ部位を有する得られたＰＣＲ修飾ｃｐＩＩＩ　ＤＮＡフラグメントを上記のようにして確認し、精製した。ＰＣＲ修飾ｃｐＩＩＩ膜アンカードメインＤＮＡフラグメントの配列を配列表中に配列番号８６としてリストする。表７にリストされたプライマー対、Ｌａｃ−Ｆ（配列番号８１）及びＬａｃ−Ｂ（配列番号８２）を使用する第二ＰＣＲ増幅を、Ｍ１３ｍｐ１８複製型鋳型ＤＮＡの別個のアリコートにつき行って、ＬａｃＺプロモーター、オペレーター及び５’Ｎｈｅ　Ｉ部位と３’ＥｃｏＲ　Ｉ部位とを有するＣａｐ結合部位を増幅した。この増幅に使用したプライマーは、増幅フラグメントの５’末端にＮｈｅ　Ｉ部位をとり込んでｃｐＩＩＩ遺伝子フラグメントの３’末端及び増幅ｃｐＩＩＩフラグメントに対し３’のＮｈｅ　Ｉ部位の一部とオーバーラップするように設計した。ＰＣＲ生産物の反応及び精製を上記のようにして行った。５’Ｎｈｅ　Ｉ制限部位と３’ＥｃｏＲ　Ｉ制限部位とを有する得られたＰＣＲ修飾ｃｐＩＩＩ　ＤＮＡフラグメントの配列を配列表中に配列番号８７としてリストする。
【００９８】
ｃｐＩＩＩ膜アンカー及びＬａｃＺプロモーター領域を構築するのに使用するための別のＬａｃ−Ｂプライマーは、表５に示されたＬａｃ−Ｂ’であった。第二ＰＣＲ増幅において、Ｌａｃ−Ｂに代えてＬａｃ−Ｂ’をＬａｃ−Ｆと共に使用した以外は、増幅反応を上記のようにして行った。増幅反応からの生産物を配列表中にヌクレオチド位置１からヌクレオチド位置１７２までの配列番号８７としてリストする。Ｌａｃ−Ｂ’の使用は、３’末端で２９のヌクレオチドを欠いているＬａｃＺ領域を生じたが、Ｌａｃ−Ｆプライマー及びＬａｃ−Ｂプライマーで生産された更に長いフラグメントと機能上均等であった。
次いで、プライマー対６−３（Ｆ）と６−３（Ｂ）及びＬａｃ−ＦとＬａｃ−Ｂを使用する第一ＰＣＲ増幅及び第二ＰＣＲ増幅の生産物を、ｃｐＩＩＩ膜アンカーオーバーラップ及びＮｈｅ　Ｉ制限部位に相当するヌクレオチドで組換えて、Ｇ３−Ｆ（配列番号７９）とＬａｃ−Ｂ（配列番号８２）のプライマー対を使用するＰＣＲの第二ラウンドにかけて、下記のものからなる組換えＰＣＲ　ＤＮＡフラグメント生産物を生成した。５’Ｓｐｅ　Ｉ制限部位；全成熟ｃｐＩＩＩタンパク質のアミノ酸残基１９８に相当するヌクレオチド残基配列で開始するｃｐＩＩＩ　ＤＮＡ膜アンカードメイン；アミノ酸残基番号１１２にある膜アンカーにより与えられる内在性終止部位；Ｎｈｅ　Ｉ制限部位、ＬａｃＺプロモーター、オペレーター及びＣａｐ結合部位配列；並びに３’ＥｃｏＲ　Ｉ制限部位。次いで、組換えＰＣＲ修飾ｃｐＩＩＩ膜アンカードメインＤＮＡフラグメントをＳｐｅ　Ｉ及びＥｃｏＲ　Ｉで制限消化して、実施例１ａ（ｉｖ）で調製された唯一のＳｐｅ　Ｉ部位を有するｐＣｏｍｂ２ファージミド発現ベクターへの方向性結合のためのＤＮＡフラグメントを生産して、実施例１ｂ（ｉｉ）に記載されたようにしてｐＣｏｍｂ２−ＩＩＩ（また、ｐＣｏｍｂ２−ＩＩＩと称される）ファージミド発現ベクターを生成した。
【００９９】
ｈ．抗ＮＰＮコードＶＨ　ＤＮＡセグメントの単離
ＰＣＲ修飾ｃｐＶＩＩＩ膜アンカードメインフラグメントによる組換えのための修飾Ｆｄフラグメントを調製して、Ｆｄ−ｃｐＶＩＩＩ　ＤＮＡ融合生産物を生成するために、上記のＰＣＲ増幅を、実施例２ｆで調製したクローン２ｂを鋳型として使用して行った。プライマー、Ｈｃ３（配列番号７７）及びＡＫ７（配列番号７８）（これらの配列が表５にリストされている）をＰＣＲに使用してクローン２ｂのＦｄ部分を増幅し、ｃｐＶＩＩＩオーバーラップ配列と共にＸｈｏ　Ｉクローニング部位及びＳｐｅ　Ｉクローニング部位をとり込んだ。増幅ＰＣＲ修飾Ｆｄ生産物を精製し、電気泳動にかけ、上記のようにして１％のアガロースゲルから単離した。Ｆｄフラグメントのサイズは６８０の塩基対であった。
ｉ．融合タンパク質Ｆｄ−ｃｐＶＩＩＩの一部をコードするＤＮＡセグメントの調製
先に調製したｃｐＶＩＩＩオーバーラップヌクレオチド配列を含む精製ＰＣＲ修飾ＦｄＤＮＡフラグメントをＰＣＲ修飾ｃｐＶＩＩＩ膜アンカードメインフラグメントと混合して混合物を生成した。混合物中のフラグメントをそれらの相補領域で組換えた。次いで、組換えＰＣＲフラグメントを含む混合物を、末端プライマー対、ＡＫ６（配列番号７６）とＨｃ３（配列番号７７）（表５）を使用して上記のようにＰＣＲの第二ラウンドにかけた。ＰＣＲ増幅の相当する生産物を、上記のように精製し、アガロースゲルによる電気泳動にかけた。ＰＣＲ生産物を測定したところ、約８３０の塩基対（Ｆｄ＝６８０＋１５０）であり、ＦｄとｃｐＶＩＩＩの融合を確認した。Ｆｄ配列を５’から３’の方向に枠中のｃｐＶＩＩＩ配列と結合するＰＣＲ生産物の配列を、配列番号８８としてリストする。次いでＦｄ−ｃｐＶＩＩＩ融合生産物を、ｐＣＢＡＫ８−２ｂジシストロニックファージミド発現ベクターの構築につき実施例２ｊに記載された方向性結合に使用した。
【０１００】
ｊ．ｐＣＢＡＫ８−２ｂジシストロニック発現ベクターの構築
カッパーＬ鎖とのＦｄ−ｃｐＶＩＩＩ融合タンパク質の協調発現のためのファージミドベクターを構築するために、実施例２ｉで先に調製したＰＣＲ増幅Ｆｄ−ｃｐＶＩＩＩ融合生産物を最初に実施例２ｆで調製したＮＰＮ結合性ライブラリーから単離されたクローン２ｂファージミド発現ベクターにつないだ。その結合につき、Ｆｄ−ｃｐＶＩＩＩ　ＰＣＲ融合生産物を最初にＸｈｏ　Ｉ及びＥｃｏＲ　Ｉで制限消化した。クローン２ｂファージミドベクターを同様に消化して、クローニング領域及びデカペプチド領域を除去した。消化したＦｄ−ｃｐＶＩＩＩフラグメントを、消化クローン２ｂと混合し、Ｘｈｏ　Ｉ及びＥｃｏＲ　Ｉ制限消化により生じた付着末端でそれにつなぐ。その結合は、Ｆｄ−ｃｐＶＩＩＩポリペプチド融合タンパク質をコードするヌクレオチド残基配列を、クローン２ｂ中に既に存在するリボソーム結合部位、ｐｅｌＢリーダー配列及びカッパーＬ鎖をコードするヌクレオチド残基配列を有する第二カセットに操作により結合して最初のクローン２ｂファージミド発現ベクター中にジシストロニックＤＮＡ分子を生成することをもたらす。
次いで、Ｅ．ｃｏｌｉ、株ＴＧｌを、ジシストロニックＤＮＡ分子を含むファージミドで形質転換し、形質転換体をアンピシリンで選択する。何となれば、最初のクローン２ｂは、アンピシリン選択可能な耐性マーカー遺伝子を含んでいたからである。Ｅ．ｃｏｌｉの高効率の電気形質転換につき、ＴＧｌ細胞の一夜培養物１：１００容積をＬ−ブロース（１％のバクトトリプトファン、０．５％のバクト酵母エキス、０．５％のＮａＣｌ）１リットルに接種する。細胞懸濁液を激しく振とうしながら３７℃で０．５〜１．０の６００ｎｍにおける吸光度に保つ。次いで対数期増殖の細胞懸濁液を、最初にフラスコを氷の上で１５〜３０分間冷却し、続いて低温ローター中で４０００　ｘ　ｇで１５分間遠心分離してバクテリアをペレット化することにより回収する。得られた上澄みを除去し、バクテリア細胞ペレットを合計１リットルの冷水中で再度懸濁させて細胞懸濁液を生成する。遠心分離及び再懸濁操作をもう２回繰り返し、最後の遠心分離後に、細胞ペレットを冷却した１０％のグリセロール２０ｍｌ中で再度懸濁させる。次いで、再度懸濁された細胞懸濁液を遠心分離して細胞ペレットを形成した。
【０１０１】
得られた細胞ペレットを冷却した１０％のグリセロール中で２〜３ｍｌの最終容積まで再度懸濁させて（１〜３）Ｘ　１０１０細胞／ｍｌの細胞濃度を生じる。電気形質転換操作につき、調製した細胞懸濁液４０μｌをファージミドＤＮＡ　１〜２μｌと混合して細胞−ファージミドＤＮＡ混合物を生成する。得られた混合物を混合し、氷の上に１分間載せる。エレクトロポレーション装置、例えば、ジーン・パルサーを２５μＦ及び２．５ｋＶにセットする。パルスコントローラーを２００オームにセットする。細胞−ＤＮＡ混合物を低温の０．２ｃｍのエレクトロポレーションキュベットに移す。次いでキュベットを冷却した安全チャンバーに入れ、上記のセッティングで１回パルスにかける。次いで、パルス化混合物に、ＳＯＣ培地１ｍｌを混合し、細胞をパスツールピペットで再度懸濁させる（ＳＯＣ培地は、２％のバクトトリプトファン、０．５％のバクト酵母エキス、１０ｍＭのＮａＣｌ、２．５ｍＭのＫＣｌ、１０ｍＭのＭｇＣｌ２、１０ｍＭのＭｇＳＯ４、及び２０ｍＭのグルコースを混合することにより調製する）。次いで細胞懸濁液を１７　Ｘ　１００ｍｍのポリプロピレン管に移し、３７℃で１時間保つ。その維持期間後に、形質転換ＴＧｌ細胞を、選択可能なマーカー遺伝子を与えるファージミドを含むアンピシリン耐性コロニーの選択のためにアンピシリンＬＢプレートに塗布する。
アンピシリン耐性コロニーを選択し、Ｆａｂの正確なインサートサイズ及び発現につき分析する。簡単には、選択コロニーのＤＮＡミニプレプ（ｍｉｎｉｐｒｅｐ）をファージミドＤＮＡの単離のために調製する。夫々のミニプレプからの単離ファージミドＤＮＡをＸｈｏ　Ｉ及びＥｃｏＲ　Ｉで制限消化し、消化産物を１％のアガロースゲルによる電気泳動にかけた。クローンＡＫ１６は８３０ｂｐのフラグメントとして選択され、そのゲルで視覚化されて、消化クローン２ｂへのＦｄ−ｃｐＶＩＩＩ　ＰＣＲ融合生産物の挿入を確認する。
【０１０２】
次いでクローンＡＫ１６ファージミドをＸｈｏ　Ｉ及びＸｂａ　Ｉで制限消化し、Ｆｄ−ｃｐＶＩＩＩ融合タンパク質、リボソーム結合部位及びＬ鎖の発現のためのｐｅｌＢリーダー配列、スペーサー領域並びに２ｂカッパーＬ鎖をコードするジシストロニックＤＮＡ分子のヌクレオチド残基配列をアガロースゲル電気泳動により単離する。次いで単離されたジシストロニックＤＮＡフラグメントを、実施例１ｃ（ｉｉ）で調製したＸｈｏ　Ｉ及びＸｂａ　Ｉで制限消化したｐＣＢＡＫＯ発現ベクターにつないでｐＣＢＡＫ８−２ｂと称されるジシストロニックファージミド発現ベクターを生成する。
得られたｐＣＢＡＫ８−２ｂ発現ベクターは、下記の要素をコードするヌクレオチド残基配列からなる。複製のｆｌ繊維状ファージ開始点；クロラムフェニコールアセチルトランスフェラーゼ選択可能な耐性マーカー遺伝子；ＬａｃＺ遺伝子から上流の誘導ＬａｃＺプロモーター；Ｔ３ポリメラーゼプロモーター及びＴ７ポリメラーゼプロモーターにより隣接された多重クローニング部位；及びジシストロニックＤＮＡ分子（リボソーム結合部位、ｐｅｌＢリーダーと、第二結合部位、第二ｐｅｌＢリーダー、及びカッパーＬ鎖からなる第二カセットに操作により結合されたＦｄ−ｃｐＶＩＩＩ　ＤＮＡ融合生産物とからなる第一カセット）
【０１０３】
ｋ．ｐＣＢＡＫ３−２ｂジシストロニック発現ベクターの構築
カッパーＬ鎖とのＦｄ−ｃｐＶＩＩＩ融合タンパク質の協調発現のためのファージミドベクターを構築するために、５’Ｓｐｅ　Ｉ制限部位及び３’ＥｃｏＲ　Ｉ制限部位を有する実施例２ｇで調製したＰＣＲ増幅され、組換えたｃｐＩＩＩ膜アンカー及びＬａｃＺプロモーター領域フラグメントを最初に実施例１ａ（ｉｖ）で調製したＳｐｅ　Ｉ及びＥｃｏＲ　Ｉで既に消化されたｐＣｏｍｂ２ファージミド発現ベクターに方向性結合してｐＣｏｍｂ２−３（また、ｐＣｏｍｂ２−ＩＩＩと称される）ファージミドベクターを生成する。ベクター構築の詳細につき実施例１ｂ（ｉｉ）を参照のこと。アンピシリン耐性ベクターが好ましい場合に、このベクターが本発明に使用される。こうして、唯一のＳｐｅ　Ｉ制限部位を有する得られたｐＣｏｍｂ２−３ベクターは、Ｈ鎖（Ｆｄ）−ｃｐＩＩＩ融合生産物及びＬ鎖タンパク質の別々の発現を誘導するための別個のＬａｃＺプロモーター配列／オペレーター配列を含む。発現タンパク質を、膜における機能性アセンブリーのためのｐｅｌＢリーダー配列により細胞周辺腔に誘導する。ベクター中のファージＦ１遺伝子間領域の封入は、ヘルパーファージの助けにより一本鎖ファージミドのパッケージングを可能にする。ヘルパーファージ重感染の使用はｃｐＩＩＩの二つの形態の発現をもたらす。こうして、正常なファージ形態形成は、Ｆａｂ−ｃｐＶＩＩＩ融合につき図６に図示されるように、Ｆａｂ−ｃｐＩＩＩ融合とウイルス粒子へのとり込みのためのヘルパーファージの天然ｃｐＩＩＩとの間の競合により乱される。
本発明に使用するためのクロラムフェニコール耐性ベクターを生産するために、得られたｐＣｏｍｂ２−３ファージミドベクターをＳａｃ　ＩＩ及びＡｐａ　Ｉで制限消化して単離フラグメントを生成する。次いで、発現調節配列及びｃｐＩＩＩ配列を含む得られた単離フラグメントを、実施例１ｃ（ｉｉ）で調製した同様に消化されたｐＣＢＡＫＯファージミドベクターに方向性結合してｐＣＢＡＫ３ファージミド発現ベクターを生成する。このベクターはＦｄ及びカッパーＬ鎖配列を欠いている。
【０１０４】
次いで、融合タンパク質及びカッパーＬ鎖の発現のためのクロラムフェニコール耐性ファージミド発現ベクター、ｐＣＢＡＫ３−２ｂを構築する。簡単には、先に調製したｐＣＢＡＫ３ファージミド発現ベクターを最初にＸｈｏ　Ｉ及びＳｐｅ　Ｉで消化して直線状にされたｐＣＢＡＫ３ファージミド発現ベクターを生成する。続いて、Ｘｈｏ　Ｉ部位及びＳｐｅ　Ｉ部位を含む実施例２ｈで調製したＰＣＲ増幅、修飾ＦｄフラグメントをＸｈｏ　Ｉ及びＳｐｅ　Ｉで制限消化する。次いで、得られたＦｄフラグメントを付着末端を介してＸｈｏ　Ｉ及びＳｐｅ　Ｉで制限消化されたｐＣＢＡＫ３ファージミド発現ベクターに方向性結合して、ＰＣＲ修飾ＦｄフラグメントがｃｐＩＩＩをコードするヌクレオチド残基配列に枠中で操作により結合されている第二ファージミド発現ベクターを生成する。次いでＥ．ｃｏｌｉ株ＸＬｌ−ブルー（ストラタゲン）を、Ｆｄ−ｃｐＩＩＩを含む上記のファージミドベクターで形質転換する。ファージミドをコードするＦｄ−ｃｐＩＩＩを含む形質転換体をクロラムフェニコールで選択する。ファージミドＤＮＡをクロラムフェニコール耐性クローンから単離し、Ｓａｃ　Ｉ及びＸｂａ　Ｉで制限消化して、以下に調製されたＳａｃ　Ｉ及びＸｂａ　Ｉ　Ｌ鎖フラグメントが方向性結合されている直線状にされたファージミド発現ベクターを生成する。
【０１０５】
実施例２ａに記載されたようにして最初の結合性ライブラリーから単離されたファージミドクローン２ｂをＳａｃ　Ｉ及びＸｂａ　Ｉで制限消化してカッパーＬ鎖をコードするヌクレオチド残基配列を単離する。次いで、単離カッパーＬ鎖配列を、Ｆｄ−ｃｐＩＩＩを含む先に調製したＳａｃ　Ｉ及びＸｂａ　Ｉで制限消化されたファージミド発現ベクターに方向性結合してファージミド発現ベクター、ｐＣＢＡＫ３−２ｂを生成する。得られたベクターは、カッパーＬ鎖とのＦｄ−ｃｐＩＩＩ融合タンパク質の協調発現のためのジシストロニックＤＮＡ分子のヌクレオチド残基配列を含む。得られたファージミド発現ベクターは、下記の要素をコードするヌクレオチド残基配列からなる。複製のｆｌ繊維状ファージ開始点；クロラムフェニコールアセチルトランスフェラーゼ選択可能な耐性マーカー遺伝子；ＬａｃＺ遺伝子から上流の誘導ＬａｃＺプロモーター；Ｔ３ポリメラーゼプロモーター及びＴ７ポリメラーゼプロモーターにより隣接された多重クローニング部位；及びジシストロニック分子（第一リボソーム結合部位と、第二ＬａｃＺ、第二リボソーム結合部位、及びカッパーＬ鎖に操作により結合された第二ｐｅｌＢリーダーからなる第二カセットに操作により結合されたＦｄ−ｃｐＩＩＩに操作により結合されたｐｅｌＢリーダーとからなる第一カセット）
次いで、ＸＬ１−ブルー細胞をファージミド発現ベクターｐＣＢＡＫ３−２ｂで形質転換する。クロラムフェニコール耐性ファージミドを含む形質転換コロニーを上記のようにして選択し、実施例２ｊに記載されたようにしてＦａｂの正確なサイズインサート及び発現につき分析する。ｐＣＢＡＫ３−２ｂファージミドベクターにおけるＦａｂのインサート及び発現の確認後に、ＸＬｌ−ブルー細胞を、実施例３及び４に記載されたようなＦａｂ抗体の発現のために形質転換し、誘導する。
Ｆａｂ−ｃｐＩＩＩ融合の発現、選択及びスクリ−ニングの結果は、Ｆａｂ−ｃｐＶＩＩＩ融合により与えられた多価ディスプレイに対しＦａｂ−ｃｐＩＩＩ融合により与えられた一価ディスプレイの利点を明らかにする。何となれば、それは、免疫系と同様に、アフィニティーだけでなく特異性に基くクローンの選別を可能にしたからである。弱い結合クローン７Ｅに対し緊密結合クローン１０Ｃの２５３倍の濃縮を、Ｂａｒｂａｓら，Ｐｒｏｃ．Ｎａｔｌ．Ａｃａｄ．Ｓｃｉ．，ＵＳＡ，８８：７９７８−７９８２（１９９１）に記載されたｐＣｏｍｂ３系を使用して得た。ファージ表面でペプチドの４〜５のコピーをディスプレイしたファージに関するペプチドライブラリーによる研究は、高アフィニティーペプチド（１０−９Ｍ）をディスプレイするファージから中間アフィニティーペプチド（１０−６Ｍ）をディスプレイするファージの分離を多価結合により阻止することを示した。Ｃｗｉｒｌａら，Ｐｒｏｃ．Ｎａｔｌ．Ａｃａｄ．Ｓｃｉ．，ＵＳＡ，８７：６３７８−６３８２（１９９０）。多価結合は、高アフィニティーＦａｂを有するファージと低アフィニティーＦａｂを有するファージを区別する能力を低下するキレート化効果をもたらす。
【０１０６】
その系の使用を、Ｐｅｒｓｓｏｎら，Ｐｒｏｃ．Ｎａｔｌ．Ａｃａｄ．Ｓｃｉ．，ＵＳＡ，８８：２４３２−２４３６（１９９１）に記載された既に特性決定された（５０００のクローン当たり一つのバインダー）ヒト結合性抗破傷風トキソイドＦａｂライブラリーを選別することにより更に実証した。最初にλファージベクター系中のライブラリーを、Ｈ鎖及びＬ鎖の最初の対合を保持するｐＣＢＡＫ３−２ｂ中で再構築した。ライブラリーサイズ、１０７のクローンは最初のλファージライブラリーの１０倍大きかった。パンニングの単一ラウンド後に、採取した１３または５７のクローンを測定したところ、破傷風トキソイドバインダーであり、これは１０３倍の濃縮に相当した。３回目のパンニング後に、ファージ収率は２００倍に増大し、これは特異性ファージの濃縮を示した。こうして、全てのクローンは抗原特異性バインダーであった。こうして、１０８の員の大きな結合性ライブラリーが、この系を使用して利用可能である。更に大きなライブラリーを、突然変異誘発により得ることができる。
３．ファージ表面における抗ＮＰＮヘテロダイマーの発現
ファージ表面でＮＰＮに対し誘導された抗体Ｆａｂの発現につき、ＸＬｌ−ブルー細胞をファージミドベクター、夫々、実施例２ｉ及び２ｋで調製したｐＣＢＡＫ８−２ｂ及びｐＣＢＡＫ３−２ｂで別々に形質転換する。形質転換体を、３０μｇ／ｍｌのクロラムフェニコールを含むＬＢプレートで選択する。抗生物質耐性コロニーを夫々のファージミド形質転換につき選択し、ファージミド及びＦ’エピソームの夫々の抗生物質選択のために３０μｇ／ｍｌのクロラムフェニコール及び１２．５μｇ／ｍｌのテトラサイクリンを含むスーパーブロース（スーパーブロースは下記の成分を混合することにより調製する：３［Ｎ−モルホリノ］プロパン−スルホン酸（ＭＯＰＳ）２０ｇ；トリプトン６０ｇ；酵母エキス４０ｇ；及び水２リットル；ｐＨを１０ＭのＮａＯＨで７．０に調節）中の３７℃の培養液中で増殖させる。抗生物質耐性の形質転換したＸＬｌ−ブルー細胞をスーパーブロース中で０．４の光学密度（ＯＤ６００ｎｍ）まで希釈する。インデューサー、イソプロピルチオガラクトピラノシド（ＩＰＴＧ）を１ｍＭの最終濃度にバクテリア懸濁液に混合し、その混合物を３７℃で１時間保ってＬａｃＺプロモーターからの融合タンパク質及びカッパーＬ鎖の発現を誘導する。次いでへルパーファージ、Ｒ４０８またはＶＣＳ　Ｍ１３（ストラタゲン）を誘導バクテリア懸濁液に１０〜２０のヘルパーファージ対１の形質転換バクテリア細胞の比で混合してファージミドＤＮＡのセンスストランドのコピーの発生を開始する。次いで、ヘルパーファージを含む混合物を３７℃で更に２時間保って繊維状バクテリオファージアセンブリーを可能にし、この場合、ｃｐＶＩＩＩまたはｃｐＩＩＩのバクテリオファージ膜アンカードメインに融合された発現された抗ＮＰＮ　Ｆａｂ抗体がバクテリオファージ粒子の表面にとり込まれた。次いでバクテリア懸濁液を遠心分離してバクテリア細胞ペレットと、ファージを含む上澄みとを得る。上澄みを除去し、回収し、以下に記載されるように、ｃｐＶＩＩＩまたはｃｐＩＩＩによりファージ粒子につなぎ止められた機能性抗ＮＰＮ　Ｆａｂ分子の存在につき分析する。
【０１０７】
４．繊維状ファージの表面における抗ＮＰＮヘテロダイマーの存在及び機能を確認するためのファージＥｌｉｓａアッセイ
微量定量プレートをＮＰＮ−ＢＳＡ接合体（０．１ｍｌ、０．１Ｍのトリス−ＨＣｌ、ｐＨ９．２中１μｇ／ｍｌ）で被覆し、ＰＢＳ中１％のＢＳＡでブロックする。実施例３で調製したｐＣＢＡＫ８−２ｂ誘導ファージ（０．１ｍｌ）の連続２倍希釈液を、前もって被覆された微量定量プレートに混合し、室温で３時間または４℃で１６時間保つ。これらのプレートをＰＢＳで洗浄し、ヤギ抗カッパーアルカリ性ホスファターゼ接合体（フィッシャーバイオテク、ピッツバーグ、ペンシルバニア）を添加し（０．１％のＢＳＡを含むＰＢＳ中で１／１０００に希釈したもの、０．１ｍｌ）、室温で２時間インキュベートする。プレートをＰＢＳで洗浄し、基質を添加する（５０ｍＭのＭｇＣｌ２を含む０．１ＭのトリスーＨＣｌ、ｐＨ９．５中１ｍｇ／ｍｌのパラ−ニトロフェニルホスフェート、０．１ｍｌ）。シグナル発生のために３７℃でインキュベートした後、４００ｎｍにおける光学密度を測定する。競合アッセイを、０から５ｍｇ／ウェルまでの範囲の次第に増加する量の遊離ＮＰＮハプテンを添加して行う。
シグナルがこのアッセイで発生されるためには、ファージ粒子は（ｉ）Ｆｄ鎖及びカッパーＬ鎖と機能上関連し、かつ（ｉｉ）多価である必要がある。次第に増加する濃度の遊離ハプテンの存在下でプレートへの結合を抑制することにより、粒子の特異性を評価した。発生したファージ粒子はＥＬＩＳＡの固相への結合を示し、そしてハプテンの添加により抑制し得る。そのアッセイを使用して、ファージ粒子の表面に存在し、かつエピトープを含む前もって選択されたリガンドチャプター（ｃｈａｐｔｅｒ）を結合できるエピトープ結合複合体を形成する抗体Ｈ鎖ポリペプチド及びＬ鎖ポリペプチドの機能性アセンブリーを実証する。
５．ＰｈｏＰｈａｂ系に使用するためのファージミド発現ベクターを含むアルカリ性ホスファターゼの調製
今、本発明の系を、アルカリ性ホスファターゼ及び結合性ライブラリーからの抗体Ｆａｂ’を繊維状ファージ骨格にとり込むことによりつくった。更に結合性抗体ライブラリーを生産し、またイムノアッセイ操作を促進するために、ＰｈｏＰｈａｂ（ホスファターゼ−繊維状ファージ−抗体Ｆａｂフラグメント）系を開発した。本発明の方法により生産されたＰｈｏＰｈａｂは抗原特異性であり、また抗体を置換し得る。更に多い時間を消費する従来の方法とは違って、ＰｈｏＰｈａｂ系及び方法は高価な細胞培養を必要とせず、しかも可溶性抗体を単離しないでＥＬＩＳＡの如き免疫化学技術を行うことが可能である。最も重要なことに、ＰｈｏＰｈａｂが半合成繊維状ファージライブラリー［Ｂａｒｂａｓら，Ｐｒｏｃ．Ｎａｔｌ．Ａｃａｄ．Ｓｃｉ．，ＵＳＡ，８９：４４５７−４４６１（１９９２）、その開示が参考として本明細書に含まれる］から生産される場合には、免疫感作が抗原特異性試薬を生成するのに必要とされない。
【０１０８】
ファージディスプレイ系は、抗原を結合する能力のためにランダムに組み合わされたＨ鎖フラグメント及びＬ鎖フラグメントの大きなライブラリー（１０７〜１０８の員）のスクリーニングを促進するのに使用されていた。Ｂａｒｂａｓら，Ｐｒｏｃ．Ｎａｔｌ．Ａｃａｄ．Ｓｃｉ．，ＵＳＡ，８８：７９７８−７９８２（１９９１）及びＣｌａｃｋｓｏｎら，Ｎａｔｕｒｅ，３５２：６２４−６２８（１９９１）を参照のこと。これらのライブラリー及び実施例１〜３に記載されたライブラリーの如きライブラリーを、免疫された被検者の組織またはランダム化配列を含む先に構築されたライブラリーからの別個の可変Ｈ鎖及びＬ鎖のＰＣＲクローニングにより構築した。これらの鎖を、本明細書に記載されたファージミド発現ベクターｐＣｏｍｂ３またはｐＣｏｍｂ８中でランダムに対合し、繊維状ファージ外殻タンパク質３または８のフラグメントへのＨ鎖の夫々の融合を得た。続いてＥ．ｃｏｌｉをファージミド発現ベクターで形質転換し、こうして、Ｆａｂを含むディスプレイされたＨ鎖及びＬ鎖のヌクレオチド配列をコードするベクターＤＮＡの一本鎖を含んでいた。形質転換Ｅ．ｃｏｌｉから排出されたファージは、ファージ粒子の領域に融合されたＦａｂフラグメントを有し、その位置はアンカータンパク質に依存する。こうして、このファージミド発現系は、単一ファージ粒子中の認識及び複製の両方のプロセスをリンクする。
Ｐａｒｍｌｅｙら，Ｇｅｎｅ，７４：３０５−３１８（１９８８）により記載されたパンニングと称される方法において、Ｈ鎖及びＬ鎖の抗原結合対を発現するファージが濃縮され、単離される。Ｂｕｒｔｏｎら，Ｐｒｏｃ．Ｎａｔｌ．Ａｃａｄ．Ｓｃｉ．，ＵＳＡ，８８：１０１３４−１０１３７（１９９１）により記載されたＨＩＶのヒトＦａｂ’だけでなく、種々の抗原のマウスＦａｂ’が、これらの方法により単離されていた。後者につき、Ｋａｎｇら，Ｐｒｏｃ．Ｎａｔｌ．Ａｃａｄ．Ｓｃｉ．，ＵＳＡ，８８：４３６３−４３６６（１９９１）を参照のこと。抗体の他に、バクテリアのアルカリ性ホスファターゼ（また、ＢＡＰと称される）（Ｅ．Ｃ．３．１．３．１、ＰｈｏＡ遺伝子産物）が遺伝子ＩＩＩタンパク質に結合されており、ＭｃＣａｆｆｅｒｔｙら，Ｐｒｏｔｅｉｎ　Ｅｎｇ．，４：９５５−９６１（１９９１）により記載されているように活性であることが示され、その開示が参考として本明細書に含まれる。得られた酵素ファージがホスファターゼ活性を示し、アフィニティーカラムで精製できた。これらの結果は重要である。何となれば、ＢＡＰは、通常、活性を示すためにはダイマーであることが必要とされるからである（ＭｃＣｒａｃｋｅｎら，Ｊ．Ｂｉｏｌ．Ｃｈｅｍ．，２５５：２３９６−２４０４（１９８０））。ファージに関する活性を説明するために、ＭｃＣａｆｆｅｒｔｙら（上記文献、（１９９１））は、二つのＢＡＰ−遺伝子ＩＩＩ融合がファージで会合して酵素活性ダイマーを生じることを示唆した。
【０１０９】
繊維状ファージ粒子の先端に位置された遺伝子ＩＩＩタンパク質の５つのコピーの他に、粒子のシャフトを含み、かつｃｐＶＩＩＩタンパク質の約２７００のコピーを有する遺伝子ＶＩＩＩタンパク質（ｃｐ８即ちｃｐＶＩＩＩ）が、本明細書に示され、またＫａｎｇら，上記文献（１９９１）及びＧｒａｍら，Ｐｒｏｃ．Ｎａｔｌ．Ａｃａｄ．Ｓｃｉ．，ＵＳＡ，８９：３５７６−３５８０（１９９２）により記載されているように、タンパク質を繊維状ファージの表面につなぎ止めるのに使用し得る。今、ファージは、図７に示されるように、Ｆａｂ−ｃｐＶＩＩＩ融合をアルカリ性ホスファターゼ−ｃｐＶＩＩＩ融合の多重コピーにリンクするための骨格として使用し得ることが発見された。ＰｈｏＰｈａｂと称される本発明のＦａｂ−ファージ−アルカリ性ホスファターゼ接合体はＥＬＩＳＡ用の特異的な一工程試薬である。本発明の二重接合ファージを生産するために、ｐＣｏｍｂ３系からの抗原結合クローンがＰｈｏＰｈａｂに直接変換し得るように、ｐＰｈｏ８ｃａｔと称される第二発現ベクターを構築した。本発明に使用するためのｐＰｈｏ８ｃａｔ発現ベクターの構築を下記の実施例５ａに示す。また実施例５ａに記載される好ましいベクターは、複製の外来のｆｌ開始点を含むＢｓｐ　Ｈｌ及びＨｉｎｄ　ＩＩＩ　１２２ｌｂｐフラグメントを欠いている修飾ｐＰｈｏ８ｃａｔである。この修飾ベクターは、図１４Ａに示されるようにｐＰｈｏ８Ｂと称される。加えて、ｐＰｈｏＬ８と称される発現ベクターがまた二重接合ファージの生産における使用に意図されている。このベクターは、アルカリ性ホスファターゼ指示薬タンパク質をコードする配列とファージ外殼タンパク質８アンカーをコードする配列の間に位置された６０のヌクレオチドのリンカー領域を有する点でｐＰｈｏ８ｃａｔの修飾体である。そのリンカーは、反復アミノ酸残基配列（Ｇｌｕ−Ｇｌｙ−Ｇｌｙ−Ｇｌｙ−Ｓｅｒ）４（配列番号９１）をコードする。リンカーの存在は、ファージの表面における発現アルカリ性ホスファターゼタンパク質の好ましい二量化を与え、これが検出可能なシグナルの増幅を可能にする。本発明に使用するためのｐＰｈｏＬ８発現ベクターの構築を下記の実施例５ｂに示す。ｐＰｈｏＬ８Ｂと称される更に別の修飾ベクターは、上記のリンカー配列を含むｐＰｈｏ８Ｂベクターである。このベクターを実施例５ｄに記載し、図１４Ｂに示す。
【０１１０】
本発明に使用するための別の好ましいベクターは、可溶性アルカリ性ホスファターゼ指示薬タンパク質の発現を与えるアルカリ性ホスファターゼ遺伝子の末端に対し３’に位置されたアンバー終止を含むｐＰｈｏＣである。ｐＰｈｏＣ発現ベクターを実施例８に記載し、図１４Ｃに示す。
ａ．ｐＰｈｏ８ＣＡＴの構築　本発明に使用するためのｐＰｈｏ８ＣＡＴ発現ベクターを生産するために、アルカリ性ホスファターゼ遺伝子ｐＰｈｏＡを最初にオリゴヌクレオチド５’プライマー、ＰＨＯ５５’−ＣＡＧＣＴＧ　ＣＴＣＧＡＧＣＧＧＡＣＡＣＣＡＧＡＡＡＴＧＣＣＴＧＴＴ−３’　（配列番号９２）
及び３’プライマー、ＰＨＯ３５’−ＡＧＧＣＴＴ　ＡＣＴＡＧＴＴＴＴＣＡＧＣＣＣＣＡＧＡＧＣＧＧＣＴＴＴ−３’　（配列番号９３）
を用いて、実施例２ｃに記載されたようなＰＣＲによりＥ．ｃｏｌｉ株ＸＬｌ−ブルー（ストラタゲン）からクローン化した。オペロン・テクノロジーズ、アラメダ、ＣＡにより合成されたプライマーは、Ｃｈａｎｇら，Ｇｅｎｅ，４４：１２１−１２５（１９８６）（その開示が参考として本明細書に含まれる）に記載されたように、以下ｐＰｈｏＡと称されるアルカリ性ホスファターゼ遺伝子の公表された配列に基いていた。加えて、これらのプライマーを、制限エンドヌクレアーゼクローニング部位、Ｘｈｏ　Ｉ及びＳｐｅ　Ｉ（これらは夫々５’プライマー及び３’プライマー中で下線を施されている）をｐＰｈｏＡヌクレオチド配列の末端にとり込むように設計した。Ｘｈｏ　Ｉ及びＳｐｅ　Ｉによる消化後に、インサートを実施例１ｂ（ｉ）で調製したｐＣｏｍｂ２−８発現ベクターに方向性結合して、５’ｐｅｌＢシグナルペプチドとＣ末端に融合されたｃｐＶＩＩＩをコードする３’ヌクレオチド配列の間にｐＰｈｏＡ　ＰＣＲ増幅インサートのポジショニングを得た。次いで得られた発現ベクターＤＮＡをＸＬｌ−ブルー細胞に形質転換した。ＸＬｌ−ブルー細胞中の形質転換体を、アンピシリン耐性のための１００ｍｇ／ｍｌのカルベニシリン、０．１ｍＭのホスフェート、及び４０μｇ／ｍｌの濃度のアルカリ性ホスファターゼの基質である５−ブロモ−４−クロロインドリルホスフェート（Ｘ−Ｐ）を含むＬＢ寒天に塗布することにより選択した。
挿入ベクターを有する青色のコロニーを選択し、プラスミドＤＮＡを単離した。次いで得られたプラスミドＤＮＡをＥａｇ　Ｉで消化し、５’から３’の方向にリストした下記の要素を有するｐＣｏｍｂ２−８の転写単位を含む２４５８ｂｐのフラグメントを単離した。
【０１１１】
リボソーム結合部位；ｐｅｌＢリーダー配列；５のアミノ酸をコードするスペーサー配列；Ｘｈｏ　Ｉ制限部位、続いてＰｈｏＡヌクレオチド配列：Ｓｐｅ　Ｉ制限部位、続いてｃｐＶＩＩＩヌクレオチド配列；及びヌクレオチド終止シグナル、続いて制限部位ＥｃｏＲＩ及びＸｂａ　Ｉ。
次いでこの操作フラグメントを発現ベクターｐＦＬ２６１中のＥａｇ　Ｉ部位につないだ。ｐＦＬ２６１に挿入されたフラグメントの略図を図８に示す。ＰｈｏＡアミノ酸残基配列のアミノ末端及びカルボキシ末端が、ＲＴＰ（Ａｒｇ−Ｔｈｒ−Ｐｒｏ）で開始し、ＬＫ（Ｌｅｕ−Ｌｙｓ）で終了するＸｈｏ　Ｉ部位とＳｐｅ　Ｉ部位の間に示される。本発明に使用されるｐＦＬ２６１発現ベクターは、Ｌａｒｉｍｅｒら，Ｐｒｏｔｅｉｎ　Ｅｎｇ．，３：２２７−２３１（１９９０）（その開示が参考として本明細書に含まれる）により記載されていた。ｐＦＬ２６１の完全ヌクレオチド配列は、受理番号Ｍ２９３６３としてＥＭＢＬ、ＧｅｎＢａｎｋ及びＤＤＢＪヌクレオチド配列データベース中にある。正確な配向を有するクローンを、Ｘｂａ　Ｉによる制限消化物及びＭｃＣａｆｆｅｒｔｙら，Ｐｒｏｔｅｉｎ　Ｅｎｇ．，４：９５５−９６１（１９９１）により記載されたようなＸ−Ｐを加水分解する能力により同定した。正確な配向でアンカータンパク質ｃｐＶＩＩＩをコードするヌクレオチド配列に操作により結合されたＰｈｏＡ遺伝子を有する６３４６ｂｐの得られたプラスミドをｐＰｈｏ８ｃａｔと称した。このプラスミドは、複製のｐ１５Ａ開始点及びクロラムフェニコール耐性を与えるクロラムフェニコールアセチルトランスフェラーゼ（ＣＡＴ）遺伝子だけでなく、ｔａｃプロモーターの制御下のＰｈｏＡ−ｃｐＶＩＩＩ融合を含んでいた。ｐＰｈｏ８ｃａｔ構築物の略図を図９に示す。ｐ１５Ａ開始点は、ｐＣｏｍｂ３だけでなくｐＣｏｍｂ２−３のｃｏｌＥ１開始点と適合性であり、安定な二重形質転換体、ＰｈｏＰｈａｂが生じることを可能にする。ｐＦＬ２６１と同様のその他の宿主ベクターが、ＰｈｏＰｈａｂをつくるための本発明における使用に意図されている。
【０１１２】
ｂ．ｐＰｈｏ８Ｂの構築　本発明に使用するのに好ましいベクターは、複製の外来のｆｌ開始点を含むＢａｓｐＨｌ及びＨｉｎｄ　ＩＩＩ　１２２ｌｂｐフラグメントを欠いている修飾ｐＰｈｏ８ｃａｔである。５１２７ｂｐのこの修飾ベクターをｐＰｈｏ８Ｂと称する。ｐＰｈｏ８Ｂ構築物の略図を図１０そしてまた図１４Ａに示す。ｐＰｈｏ８Ｂベクターは複製のｆｌ開始点を欠いているので、ヘルパーファージによる救済後に生産された一本鎖ＤＮＡは得られたファージにとり込まれず、それにより、本発明で調製され、下記の実施例７に記載されるｐＣｏｍｂ２−３ヘテロダイマーポリペプチド発現ベクターからの一本鎖ＤＮＡを有するファージのスクリーニングを改良する。ｐＰｈｏ８Ｂベクターの選択及びスクリーニングを、ｐＰｈｏ８ｃａｔにつき先に記載されたようにして行った。
ｃ．ｐＰｈｏＬ８の構築　ｐＰｈｏＬ８と称される発現ベクターがまた二重接合ファージの生産において本発明に使用するのに意図されている。このベクターは、それがアルカリ性ホスファターゼ指示薬タンパク質をコードする配列とＰｈｏＡ、ファージ外殻タンパク質８アンカーをコードする配列の間に配置された６０のヌクレオチドのリンカー領域を有する点でｐＰｈｏ８ｃａｔの修飾である。そのリンカーは反復アミノ酸残基配列（Ｇｌｕ−Ｇｌｙ−Ｇｌｙ−Ｇｌｙ−Ｓｅｒ）４（配列番号９１）をコードする。リンカーの存在は、ファージの表面における発現アルカリ性ホスファターゼタンパク質の好ましい二量化を与える。
ｐＰｈｏＬ８を構築するために、ｐＣｏｍｂ２−８を最初にＳｐｅ　Ｉで消化し、一本鎖ヌクレオチド懸垂をムング・ビーン（Ｍｕｎｇ　Ｂｅａｎ）ヌクレアーゼで消化して直線状にされた平滑断端されたｐＣｏｍｂ２−８発現ベクターを生産した。ヌクレオチド配列５’−ＣＴＡＧＴＧＡＧＧＧＴＧＧＴＧＧＣＴ　［ＣＴＧＡＧＧＧＴＧＧＣＧＧＴＴ］３−３’（配列番号９４）を有する合成の６３ｂｐのヌクレオチドインサート及びその相当する相補鎖を調製し、アニールして二本鎖６３ｂｐヌクレオチド二本鎖ＤＮＡフラグメントを生成した。続いて、得られたフラグメントを直線状にされたｐＣｏｍｂ２−８発現ベクターにつないでｐＣｏｍｂ２−８Ｌと称される環状ベクターを生成した。ＰｈｏＡをコードする配列をｐＣｏｍｂ２−８の操作フラグメントと合わせるために、ｐＰｈｏ８ｃａｔをＳａｃ　Ｉ及びＳｐｅ　Ｉで消化して、ｃｐＶＩＩＩをコードする配列を含むフラグメントを放出し、そして直線状にされたｐＰｈｏ８ｃａｔベクターを生成した。次いで、先に調製したリンカー配列、ｐＣｏｍｂ２−８Ｌを含むｐＣｏｍｂ２−８発現ベクターをＳａｃ　Ｉ及びＳｐｅ　Ｉで消化して、ｃｐＶＩＩＩをコードする配列に操作により結合されたリンカーを含むフラグメントを単離した。次いで、ｐＣｏｍｂ２−８から単離されたフラグメントを直線状にされたｐＰｈｏ８ｃａｔベクターに挿入して発現ベクターｐＰｈｏＬ８を生産した。
【０１１３】
次いで、得られたｐＰｈｏＬ８発現ベクターを、実施例５ａに記載されたようにしてＸＬｌ−ブルー細胞に形質転換した。ＸＬｌ−ブルー細胞中の形質転換体を、先に記載されたようにして選択した。
６４０６ｂｐのこのプラスミドは、複製のｐ１５Ａ開始点及びクロラムフェニコール耐性を与えるクロラムフェニコールアセチルトランスフェラーゼ（ＣＡＴ）遺伝子だけでなく、ｔａｃプロモーターの制御下のＰｈｏＡ−リンカー−ｃｐＶＩＩＩ融合を含んでいた。ｐＰｈｏＬ８構築物の略図を図１１に示す。ｐ１５Ａ開始点は、ｐＣｏｍｂ３だけでなくｐＣｏｍｂ２−３のｃｏｌＥｌ開始点と適合性であり、安定な二重形質転換体、ＰｈｏＰｈａｂが生じることを可能にする。
ｄ．ｐＰｈｏＬ８Ｂの構築　ｐＰｈｏＬ８Ｂと称される別の発現ベクターをｐＰｈｏＬ８から誘導し、それにより実施例５ｃに記載されたリンカー配列を有していた。そのベクターの略図を図１４Ｂに示す。
加えて、ｐＰｈｏＬ８Ｂベクターは、ｐＰｈｏ８ｃａｔ及びｐＰｈｏＬ８中に存在するが、ｐＰｈｏ８Ｂ中では不在であるｆｌ開始点を欠いているように構築した。ｆｌ開始点を、ＢｓｐＨ　Ｉ及びＨｉｎｄ　ＩＩＩによるｐＰｈｏＬ８ベクターの消化、続いてクレノーフラグメントによる詰め込み（ｆｉｌｌｉｎｇ　ｉｎ）そして平滑断端したベクターの結合により除去した。ｔａｃプロモーターの制御下のＰｈｏＡ−リンカー−ｃｐＶＩＩＩ融合を含むｐＰｈｏＬ８Ｂは、クロラムフェニコール耐性マーカー及び実施例５ａに記載されたような親発現ベクターｐＦＬ２６１に由来するｐ１５Ａレプリコンを有していた。ｐ１５Ａ開始点は、ｐＣｏｍｂ３だけでなくｐＣｏｍｂ２−３のｃｏｌＥ１開始点と適合性であり、安定な二重形質転換体、ＰｈｏＰｈａｂが生じることを可能にする。
次いで、得られたｐＰｈｏＬ８Ｂを実施例５ａに記載されたようにしてＸＬｌ−ブルー細胞に形質転換した。ＸＬｌ−ブルー細胞中の形質転換体を、先に記載されたようにして選択した。
【０１１４】
６．安定な二重形質転換体、ＰｈｏＰｈａｂの調製　分析試薬としてのＰｈｏＰｈａｂの利用可能性を試験するために、幾つかの異なる抗原に特異的なＰｈｏＰｈａｂを単一クローンまたはパンニングにより抗原につき濃縮されたライブラリーからつくった。Ｐａｒｍｌｅｙら，Ｇｅｎｅ，７４：３０５−３１８（１９８８）及びＢｕｒｔｏｎら，Ｐｒｏｃ．Ｎａｔｌ．Ａｃａｄ．Ｓｃｉ．，ＵＳＡ，８８：１０１３４−１０１３７（１９９１）を参照のこと。使用した抗原は、ＢＳＡに接合されたフルオレセインイソチオシアネート（Ｂａｒｂａｓら，Ｐｒｏｃ．Ｎａｔｌ．Ａｃａｄ．Ｓｃｉ．，ＵＳＡ，８９：４４５７−４４６１（１９９２））、ホスホンアミデートハプテンＰＰＣ（Ｂｒｉｎｋｗｏｒｔｈら，Ｂｉｏｏｒｇ．Ｍｅｄ．Ｃｈｅｍ．Ｌｅｔｔ．，１：６５３−６５８（１９９１））及びＰｒｏｌ（Ｂｒｉｎｋｗｏｒｔｈら，上記文献）並びに破傷風トキソイドであった。Ｐｒｏｌライブラリー及びＰＰＣライブラリーを、ＮＰＮ特異性ライブラリーにつき実施例１〜４に記載されたようにして免疫マウスから構築し、またＫａｎｇら，Ｍｅｔｈｏｄｓ：　Ａ　Ｃｏｍｐａｎｉｏｎ　ｔｏＭｅｔｈｏｄｓ　ｉｎ　Ｅｎｚｙｍｏｌｏｇｙ，２：１１１−１１８（１９９１）及びＢａｒｂａｓら，Ｍｅｔｈｏｄｓ：　Ａ　Ｃｏｍｐａｎ−ｉｏｎ　ｔｏ　Ｍｅｔｈｏｄｓ　ｉｎ　Ｅｎｚｙｍｏｌｏｇｙ，２：１１９−１２４（１９９１）により記載された公表された操作により構築し、また破傷風トキソイドクローンＰ３１３を、免疫されたヒトから構築されたＰｅｒｓｓｏｎら，Ｐｒｏｃ．Ｎａｔｌ．Ａｃａｄ．Ｓｃｉ．，ＵＳＡ，８８：２４３２−２４３６（１９９１）により記載されたライブラリーから単離した。これらのライブラリーの構築の開示が、本発明における使用につき参考として本明細書に含まれる。フルオレセインライブラリーをハプテンによる免疫感作を用いないで半合成方法により構築し、この場合、破傷風バインダー７ＥのＣＤＲ３領域をランダム化した。フルオレセイン−ＢＳＡに対するランダム化ライブラリーのパンニングは、Ｂａｒｂａｓら，Ｐｒｏｃ．Ｎａｔｌ．Ａｃａｄ．Ｓｃｉ．，ＵＳＡ，８９：４４５７−４４６１（１９９２）（その開示が参考として本明細書に含まれる）により記載されたようにフルオレセイン特異性バインダーを与えた。これらの半合成ライブラリーは、免疫感作しないで抗原特異性Ｆａｂ’を得ることを可能にする。
それ故、この抗フルオレセインライブラリーから構築されたＰｈｏＰｈａｂは合成試薬である。
ＰｈｏＰｈａｂを、ｐＰｈｏ８ｃａｔを夫々のｐＣｏｍｂ２−３ライブラリーで同時形質転換し、二重形質転換体を３０μｇ／ｍｌのクロラムフェニコールと５０μｇ／ｍｌのカルベニシリンとを含むＬＢプレートで選択することにより生産した。次いで、抗生物質培地中に維持された株ＸＬｌ−ブルー中の二重形質転換体の新しい一夜培養液１ｍｌを、実施例３に記載されたようにして、５ｍＭのＭｇＣｌ２、０．２５μＭのＺｎＣｌ２並びに１２．５μｇ／ｍｌの濃度の抗生物質カルベニシリン、３．８μｇ／ｍｌの濃度のクロラムフェニコール及び２．５μｇ／ｍｌの濃度のテトラサイクリンを含む３７℃のスーパーブロース１０ｍｌ中の液体培養液中で増殖させた。
【０１１５】
１時間後に、一つの二重形質転換体（モノクローナル）または約２０（ポリクローナル）の培養液を１．２　Ｘ　１０１０ｐｆｕのヘルパーファージＲ４０８（ストラタゲン）で感染し、１ｍＭのＩＰＴＧで誘導して、一本鎖ＤＮＡを含み、かつファージ表面でｃｐＩＩＩにつなぎ止められたヘテロダイマーレセプターとｃｐＶＩＩＩにつなぎ止められたＰｈｏＡ指示薬ポリペプチドの両方を発現するファージ粒子を生産した。次いでその混合物を３７℃で２０分間振とうした。次いで、感染混合物を、１０ｍＭのＭｇＣｌ２、１μＭのＺｎＣｌ２及び２５μｇ／ｍｌの濃度の抗生物質カルベニシリン及び５μｇ／ｍｌのクロラムフェニコールを含むＳＢ１ｍｌに混合した。次いでその混合物を８．５時間にわたって良好な通気のもとに２リットルのじゃま板付きのフラスコ中で３００ｒｐｍで振とうした。その維持期間後に、懸濁液を１４，０００　Ｘ　ｇ（ＪＡ−１０遠心分離機中で９ｋｒｐｍ、１５分間）で遠心分離した。
夫々の培養からの得られたファージを含む（ＰｈｏＰｈａｂ）上澄みを１時間にわたって４℃で４％の最終濃度のＰＥＧ−８０００及び５００ｍＭのＮａＣｌで上澄みから沈殿させた。次いでファージを上記のようにして１５，０００ｒｐｍでペレット化し、ＴＢＳ４００μｌ中で再度懸濁させ、実施例７に記載されるＥＬＩＳＡに直接使用した。
加えて、同時形質転換は、本明細書に記載された一工程操作に限定されない。
意図された形質転換は、誘導ヘルパーファージ（その中で、カナマイシン耐性を与えるための配列がＰｈｏＬ８ベクターをコードする配列と共に存在する）のとり込みを含む二工程の単一形質転換を含む。
また、同時形質転換を、夫々、実施例５ａ及び５ｂで調製したＰｈｏＡ発現ベクター、ｐＰｈｏ８Ｂ及びｐＰｈｏＬＢを使用して行った。同時形質転換工程及び選択工程を、ｐＰｈｏ８ｃａｔにつき上記された操作と同じ方法で行った。
【０１１６】
７．安定な二重形質転換体、ＰｈｏＰｈａｂのスクリーニング　実施例６で生産したＰｈｏＰｈａｂを、その後、ＥＬＩＳＡに使用して抗原特異性を確認し、またＰｈｏＰｈａｂの表面で発現されたＦａｂ’の特異的結合特性を測定した。
ＥＬＩＳＡを、抗原フルオレセイン−ＢＳＡ接合体（ＦＬ−ＢＳＡ）、Ｐｒｏｌ−ＢＳＡ、ＰＰＣ−ＢＳＡ、破傷風トキソイドタンパク質（Ｔｅｔ−ｔｏｘ）、Ｐ３１３　Ｆａｂ−ｇＩＩＩをディスプレイするが、Ａｐ−ｇＶＩＩＩ接合体をディスプレイしないファージ（Ｔｅｔ　ｎｏ　ｐｈｏ）及びＢＳＡに対しＰｈｏＰｈａｂを用いて行った。抗原を２５ｍｌの０．１ＭのＮａＨＣＯ３、ｐＨ８．６またはＰＢＳ、ｐＨ７．４中で０．２μｇの濃度で４℃で一夜にわたってコスターブランドのＥＩＡプレート＃３６９０に別々に被覆した。次いでウェルをＰＢＳ中１％のＢＳＡで３７℃で１時間にわたってブロックし、水洗し、次いで１％のＢＳＡ１０ｍｌで洗浄し、実施例６で調製した濃縮ファージ２５μｌを３７℃で３０分間にわたって別々に混合した。プレート洗浄機で１０サイクルにわたって洗浄した後、発色液（１ｍｇ／ｍｌのｐ−ニトロフェニルホスフェート、１０％ｖ／ｖのジエタノールアミン、１ｍＭのＭｇＣｌ２、３ｍＭのＮａＮ３、ｐＨ９．８）を混合し、プレートを一夜にわたって３７℃に保った。
ｐＰｈｏ８ｃａｔベクターで調製した本発明のＰｈｏＰｈａｂを用いるＥＬＩＳＡの結果を図１２に示す。図中に差し込みボックスで示されたＰｈｏＰｈａｂは、ライブラリーがパンニングされた抗原と同じ抗原（図のＸ軸に示される）に対し特異性であった。ＰＰＣｍｏｎｏとラベルされた、ＰＰＣ−ＢＳＡに対し誘導されたもの以外の、ＥＬＩＳＡに使用したＰｈｏＰｈａｂの全てが明らかなシグナルを生じた。
破傷風トキソイドに対し先にパンニングされたｐＣｏｍｂ２−３破傷風トキソイドクローンＰ３１３によるｐＰｈｏ８ｃａｔ、ｐＰｈｏ８Ｂ及びｐＰｈｏＬ８の別々の同時形質転換により生産されたファージを用いる付加的なＥＬＩＳＡアッセイにおいて、本発明の三つのアルカリ性ホスファターゼ発現ファージの全てが破傷風トキソイド抗原に対し特異性免疫反応性を示した。ＥＬＩＳＡを、０．１ＭのＮａＨＣＯ３、ｐＨ８．６中でウェル当たり０．２μｇの破傷風トキソイドを結合した以外は上記のようにして行った。非特異性部位を３７℃で１時間にわたって３％のＢＳＡでブロックした。ファージ製剤５μｌを、３％のＢＳＡと共に夫々のウェルに別々に混合した。これらのプレートを３７℃で１時間保ち、洗浄し、上記のようにして発色させた。
【０１１７】
結果は、ｐＰｈｏ８Ｂが２．０の４０５ｎｍ吸光度を有し、一方、ｐＰｈｏ８ｃａｔ及びｐＰｈｏＬ８が夫々１．０及び０．５の吸光度を有することを示した。こうして、本発明の三つのＰｈｏＰｈａｂの全てが検出可能なシグナルを生じたが、アルカリ性ホスファターゼベクターで生産されたＰｈｏＰｈａｂ、即ち、ｐＰｈｏ８ｃａｔ中に存在する外来のｆｌ開始点を欠いたｐＰｈｏ８Ｂが最高の検出可能なシグナルを生じ、破傷風トキソイドへの特異性結合を示した。
８．繊維状ファージの表面における増強された酵素活性を有する二量化アルカリ性ホスファターゼの調製　先に調製したバクテリアのアルカリ性ホスファターゼ発現ベクター系は抗体発現ベクター系、ＰｈｏＰｈａｂと連係して検出可能なシグナルを生じたが、ＰｈｏＰｈａｂの活性のレベルは、ファージがｇ８ｐ外殻タンパク質の２７００を越えるコピーを有することを考えると、ファージにおけるＢＡＰのとり込みが予想されたよりも極めて低いことを示唆した。
低下した活性の一つの説明は、ＢＡＰダイマーがｇ８ｐ融合のようにファージで集合できなかったことである。別の説明は、ファージの外殻タンパク質８と約９０ｋＤであるＢＡＰの如き大きなタンパク質との融合のとり込みの分子機構が単に存在しないことであった。更にありそうな可能性は、対合されていないＢＡＰ−外殻タンパク質８モノマーがまたその他のファージのモノマーと会合して不溶性の無用の凝集物を生じ得ることであった。これらの可能性を調べるために、ＢＡＰダイマーをファージに付着する種々の方法を設計した。
二量化アルカリ性ホスファターゼの改良されたシグナル検出系が今得られた。
以下に記載されるように、最大のシグナルは、アルカリ性ホスファターゼの可溶性モノマーが、可撓性リンカーによりバクテリオファージ外殻タンパク質８（また、ｇ８ｐと称される）につなぎ止められたアルカリ性ホスファターゼとダイマーを形成することの結果であった。
【０１１８】
ＢＡＰ−ｇ８ｐが二量化により束縛し得るが、一方、ＢＡＰ−リンカー−ｇ８ｐ融合がファージ表面における二量化に充分な空間及び融通性を与え得るという概念で、可撓性リンカー／アンカー戦略を探究した。ファージ表面におけるＢＡＰ−ｇ８ｐ融合ホモダイマーまたはＢＡＰ−リンカー−ｇ８ｐ融合ホモダイマーのアセンブリーが可能ではなかったというイベントにおいて、第二の戦略を探究した。第二の戦略は、ＢＡＰ−ｇ８ｐ融合モノマーと対合して、ファージ表面でＢＡＰ：ＢＡＰ−ｇ８ｐまたはＢＡＰ：ＢＡＰ−リンカー−ｇ８ｐのヘテロダイマーを得ることができる遊離ＢＡＰモノマーを提供することであった。これらの二つのディスプレイ戦略は、図１３Ａ−Ｄに示されるような四つの可能な組み合わせを与える。
異なるモノマーを発現するために、三つの異なるモノマーの夫々につき一つのベクターとして、三つのベクターを構築した。遊離ＢＡＰモノマーを、以下に記載され、また図１４Ｃに示されたようにしてｐＰｈｏＣにより発現し、またＢＡＰ−ｇ８ｐ融合の不在下で、遊離モノマーが対合して遊離ＢＡＰダイマーを生成する。加えて、ｐＰｈｏＣはｂ−ラクタマーゼ耐性マーカー及びｃｏｌＥｌ不適合性群のレプリコンを有していた。ＢＡＰ−ｇ８ｐ融合をｐＰｈｏ８Ｂから発現し、これはクロラムフェニコール耐性マーカー及びｐ１５Ａレプリコンを使用する。異なる耐性マーカー及びレプリコンは、ｐＰｈｏＣ及びｐＰｈｏ８Ｂの安定な二重形質転換体を生じることを可能にする。こうして遊離モノマ−ＢＡＰ及びＢＡＰ−ｇ８ｐを二つのプラスミドから同じ細胞中で発現した。
ＢＡＰドメインとｇ８ｐドメインの間に可撓性を加えるように選択したリンカーを実施例５のようにして調製した。アミノ酸残基配列リピート（ＥＧＧＧＳ）４（配列番号
９１）をコードする合成オリゴヌクレオチドをｐＰｈｏ８ＢのＢＡＰコード領域とｇ８ｐコード領域の間に挿入して、ＢＡＰ−リンカー−ｇ８ｐ発現ベクターｐＰｈｏＬ８Ｂを得た。再度、ｐＰｈｏＣ及びｐＰｈｏＬ８Ｂの安定な二重形質転換体をつくり、ＢＡＰ及びＢＡＰ−リンカー−ｇ８ｐがファージ生産中に同じ細胞中で発現されることを可能にした。
これらのプラスミドを使用して、図１３Ａ−Ｄに示されるような、ファージにおけるＢＡＰダイマーのとり込みに関する仮説的可能性を調べた。例えば、ＢＡＰ−ｇ８ｐを生産するｐＰｈｏ８Ｂのみを含む細胞から生産されたファージは、ファージ表面でＢＡＰ−ｇ８ｐホモダイマーをとり込み、そのダイマーの夫々の半分が、図１３Ａにより示されるようにファージ外殻ｇ８ｐにつなぎ止められた。同様に、誘導ｐＰｈｏＬＢの存在下で生産されたファージは、図１３Ｂに示されるように、ＢＡＰ−リンカー−ｇ８ｐホモダイマーをとり込んだ。その酵素がｇ８ｐへのそのダイマーの半分のうちの一つの融合によりファージに付着されたにすぎなかった場合の可能性につき、二重プラスミド系を使用した。例えば、ｐＰｈｏＣ及びｐＰｈｏ８Ｂを含む細胞から生産されたファージは、図１３Ｃに示されるように、ＢＡＰ：ＢＡＰ−ｇ８ｐへテロダイマーを有していた。
【０１１９】
所望のヘテロダイマーに加えて、二重プラスミド系はまた望ましくないホモダイマーを生産した。例えば、ｐＰｈｏＣ　＋ｐＰｈｏ８Ｂ系は三つの異なる酵素ダイマー：ＢＡＰ：ＢＡＰ、ＢＡＰ：ＢＡＰ−ｇ８ｐ、及びＢＡＰ−ｇ８ｐ：ＢＡＰ−ｇ８ｐを潜在的に生産する。理論上、二重プラスミド系の存在下で生産されたファージは、それらの表面にヘテロダイマーとホモダイマーのこのような混合物を有し得る。しかしながら、二重プラスミド系の副生物として生産された望ましくないホモダイマー対のとり込みは、ヘテロダイマー程には良好にとり込まれなかった。
ａ．モノマーのバクテリアアルカリ性ホスファターゼを発現するためのｐＰｈｏＣ発現ベクターの調製　発現ベクターｐＰｈｏＣを、ｐＣｏｍｂ２−８誘導発現ベクター、ｐＣ８ＰｈｏＡｍから誘導した。
ベクターｐＣ８ＰｈｏＡｍは、実施例１ｂで調製したＸｈｏ　Ｉ及びＳｐｅ　Ｉ消化ｐＣｏｍｂ２−８発現ベクターへのアンバー突然変異を含む配列の結合により生じた。増幅されたＸｈｏ　Ｉ及びＳｐｅ　Ｉ制限部位を含むアンバー突然変異を含む配列は、プライマー５’−ＧＣＣＧＣＧＴＣＴＡＧＡＣＣＴＡＧＧＧＧＴＧＧＣＧＧＡＧＧＴＡＣＡＣＣＡＧＡＡＡＴＧＣＣＴＧＴＴＣＴＧ−３’（配列番号９５）及び５’−ＡＧＧＣＴＴＡＣＴＡＧＴＴＴＴＣＡＧＣＣＣＣＡＧＡＧＣＧＧＣＴＴＴ−３’（配列番号９６）
と共にＥ．ｃｏｌｉ　ＸＬｌ−ブルー細胞を煮沸することにより得られた鋳型ゲノムＤＮＡによるＰＣＲにより生じた。製造業者の緩衝液中に５単位のＴａｑポリメラーゼを含むＰＣＲ反応液を９４℃で３０秒間変性にかけ、続いてパーキン・エルマーのジーンアンプ９６００装置を使用して、９４℃で１５秒、５２℃で１５秒、７２℃で２分間の２５のサイクルにかけた。次いで得られたＰＣＲフラグメントをＳｐｅ　Ｉで消化し、ＢｓｐＨ　Ｉで部分消化し、そしてクレノーフラグメントでフィル・インした。アガロースゲル電気泳動後に、大きな３．６キロベースのベクターフラグメントを単離し、Ｔ４リガーゼと自己結合し、Ｓｐｅ　Ｉ及びＸｈｏ　Ｉで消化し、直線状にされたｐＣｏｍｂ２−８ベクターに挿入した。
触媒活性クローンを、Ｌｉｇｈｔら，Ｂｉｏｏｒｇ．Ｍｅｄ．Ｃｈｅｍ．Ｌｅｔｔ．，３：１０７３−１０７８（１９９２）により記載されたようにして、青色のコロニーをＬＢ　Ｘ−Ｐプレートに塗布された結合形質転換から採取することにより得た。ｐＰｈｏＣベクターは、ｂ−ラクタマーゼ耐性マーカーと、ｐ１５Ａと適合性であるｃｏｌＥｌ不適合性群の高コピー数のレプリコンとを含む。
【０１２０】
ｂ．外殻タンパク質８にバクテリアのアルカリ性ホスファターゼを有するファージの調製　ファージをプラスミドｐＰｈｏＣ、ｐＰｈｏ８Ｂ、もしくはｐＰｈｏＬ８Ｂ、またはプラスミドｐＰｈｏＣとｐＰｈｏ８Ｂ、またはｐＰｈｏＣとｐＰｈｏＬ８Ｂを含むＥ．ｃｏｌｉ　ＸＬｌ−ｌブルー細胞中で増殖させた。プラスミドを、実施例５及び８に記載されたようにして調製した。適当な抗生物質（１０ｍｇ／ｍｌのテトラサイクリン、１００ｍｇ／ｍｌのカルベニシリン及び／または３０ｍｇ／ｍｌのクロラムフェニコール）で３７℃で一夜培養した培養液１０ｍｌをＲ４０８ヘルパーファージの６　ｘ　１０１０プラーク形成単位で感染し、１０ｍＭのＭｇＣｌ２、１ｍＭのＺｎＣｌ２、半分の濃度の抗生物質（テトラサイクリンを含まない）、及び１ｍＭのイソ−プロピルチオガラクトシドを含む新しいスーパーブロースで３０倍に希釈し、一夜増殖させた。細胞及びデブリを８６００　Ｘ　ｇで２０分間にわたって遠心分離により除去した。
ベクター組み合わせの一部はまたファージにつなぎ止められていない遊離ＢＡＰダイマーを生産したので、得られたファージを付着されなかった酵素及びその他の汚染物質から沈殿、ＣｓＣｌ浮遊密度遠心分離、そして更に２ラウンドの遠心分離により精製した。夫々の工程において、不溶性凝集物及びデブリを廃棄した。次いで精製ファージを電気泳動により分析し、酵素の量を比色アッセイにより定量化した。
ファージ精製につき、ファージを含む上澄みに、２０％ｗ／ｖのＰＥＧ−８０００及び２．５ＭのＮａＣｌを含む溶液１／５容積を添加した。その混合物を４℃で３０分間インキュベートし、沈殿したファージを１４，０００　Ｘ　ｇで１５分間の遠心分離によりペレットにした。上澄みを廃棄し、ファージを、３０ｍｌの１０ｍＭのトリス−ＨＣｌ、ｐＨ７．５、１０ｍＭのＭｇＣｌ２、１ｍＭのＺｎＣｌ２中で３７℃で３００ｒｐｍで２０〜６０分間振とうすることにより再度懸濁させた。デブリ及び凝集ファージを１４，０００　Ｘ　ｇで１５分間の遠心分離により除去した。沈殿を２０％ｗ／ｖのＰＥＧ−８０００、２．５ＭのＮａＣｌの１／６容積で繰り返し、ファージペレットを１１ｍｌの１０ｍＭのトリス−ＨＣｌ、ｐＨ７．５、１０ｍＭのＭｇＣｌ２、１ｍＭのＺｎＣｌ２中で再度懸濁させ、デブリを上記のようにして除去した。ＣｓＣｌ（４．９４ｇ）を添加し、密度勾配を５℃で４８時間にわたって１４３，０００　Ｘ　ｇの遠心分離により確立した。ファージバンドを２ｍｌの容積中で除去し、１５０ｍＭのＮａＣｌ、１０ｍＭのトリス−ＨＣｌ、ｐＨ７．５、１０ｍＭのＭｇＣｌ２、１ｍＭのＺｎＣｌ２（ＴＢＳＭＺ）で１３ｍｌに希釈し、ファージを５℃で２４時間にわたって１４３，０００　Ｘ　ｇでペレットにした。ファージを上記のようにして２ｍｌのＴＢＳＭＺ中で再度懸濁させ、４℃で２時間にわたって２５９，０００　Ｘ　ｇで再度ペレットにした。最終ファージ製剤をＴＢＳＭＺ　０．５　ｍｌ中で再度懸濁させ、４℃で貯蔵した。
【０１２１】
ｃ．酵素活性に関するアッセイ　ファージにとり込まれた活性アルカリ性ホスファターゼ酵素の量を比較するために、精製ファージ１０ｍｌを、１ｍｇ／ｍｌのパラ−ニトロフェニルホスフェートを含む１ｍｌの１Ｍのトリス−ＨＣＩ、ｐＨ８．０に２３℃で添加した。黄色の外観を４０４ｎｍで追跡し、傾斜を有するラインにフィットする吸光度の変化を加水分解の速度として報告した。これらの条件下で、計算された加水分解の速度は活性酵素の量に直接比例した。
速度をファージの量につき基準化し、バックグラウンドと比較した場合、二つの傾向が明らかであった。第一に、遊離ＢＡＰとＢＡＰ−ｇ８ｐ融合の同時発現は、その活性を６倍に増大した（相対比６．４対３９）。第二に、可撓性リンカーの添加は、そのとり込みを更に３．５倍（３９対１４０）に増大した。ＢＡＰ−リンカー−ｇ８ｐのみ（ｐＰｈｏＬ８Ｂ）の存在下で増殖されたファージとの比較は、リンカー単独がファージの表面で増加されたＢＡＰの原因ではないことを実証した。
反応速度から、ファージの表面にあるＢＡＰの数を推測した。酵素の合計数は、０．０９８　ＡＵ／分の測定速度から１．６ｘ１０４　ＡＵ／ｃｍＭの生産物の吸光率［Ｈａｌｆｏｒｄ，Ｂｉ−ｏｃｈｅｍ．Ｊ．，１２５：３１９−３２７（１９７１）］を割り、約３０ｓ−１のＷＴ　ＢＡＰのＫｃａｔ［Ｍａｔｌｉｎら，Ｂｉｏｃｈｅｍ．，３１：８１９６−８２００（１９９２）］を割ることにより３ｎＭであると推測された。ファージ粒子の合計数は、２６９ｎｍにおける吸光度から６　ｘ　１０１６の粒子／ｍｌを掛け、ゲノム中のヌクレオチドの数、６３９１で割って３ｎＭのファージ粒子の濃度を与えると推測された。酵素濃度をファージ濃度で割って、ファージ当たり１のＢＡＰの平均数を得た。この推測は、遊離ＢＡＰ及びファージにあるＢＡＰが同様の触媒速度定数を有すると仮定する。
【０１２２】
ｄ．ゲル電気泳動
プレキャストしたアクリルアミドトリス−グリシンゲルをノベックス（サンジエゴ、ＣＡ）から購入した。試料を、以下のようにして調製した。培養液を音波処理し、デブリをペレット化し、上澄みを１：５に希釈し、または最終ファージ製剤を直接使用した。試料を５分間にわたって最終濃度１ｍＭのｂ−メルカプトエタノール、１０％の蔗糖、及び１１％のＳＤＳと共に沸騰させた。次いで試料３０μｌを２５ｍＭのトリス−ＨＣｌ、ｐＨ８．３、１９２ｍＭのグリシン、０．１％のＳＤＳ中で１０％のゲルによる電気泳動にかけた。次いでタンパク質をイモビロン（Ｉｍｍｏｂｉｌｏｎ）−Ｐ（商標）（ミリポア社、ベッドフォード、ＭＡ）に移し、ブロックし、ウサギ抗ＢＡＰ　ＩｇＧでインキュベートし、ケミルミネッセンス検出（アメーシャム社、アーリントン・ハイツ、ＩＬ）により視覚化した。バクテリアのアルカリ性ホスファターゼに対し誘導された精製ウサギＩｇＧを通常の方法（Ｈａｒｌｏｗら，Ａｎｔｉｂｏｄｉｅｓ：　Ａ　Ｌａｂｏｒａｔｏｒｙ　Ｍａｎｕａｌ，Ｃｏｌｄ　Ｓｐｒｉｎｇ　Ｈａｒｂｏｒ　Ｌａｂｏｒａｔｏｒｙ　Ｐｒｅｓｓ，Ｃｏｌｄ　Ｓｐｒｉｎｇ　Ｈａｒｂｏｒ（１９８８）により産生し、または５プライム３プライム社（ボウルダー、ＣＯ）から購入した。
抗ＢＡＰウサギＩｇＧで探査したウェスタンブロットの結果は、培養物が予想サイズの融合タンパク質：ＢＡＰモノマー（予想４５ｋＤ）、ＢＡＰ−ｇ８ｐ融合（５０．２ｋＤ）、及びＢＡＰ−リンカー−ｇ８ｐ（５１．７ｋＤ）と、二重プラスミド形質転換体を生産することを示した。また、夫々の培養液からのほぼ等しい量の精製ファージを電気泳動にかけた。定量的ではないが、ブロットは、ダイマーの半分だけｇ８ｐにつなぎ止められているＢＡＰヘテロダイマーが可溶性ファージに最良にとり込まれることを示した。ウエスタンブロットの分析から、ファージへのＢＡＰタンパク質のとり込みに最良の系は、ｐＰｈｏＣ発現ベクター＋ｐＰｈｏＬ８Ｂ発現ベクターの両方を含む安定な形質転換体から得られるＢＡＰ：ＢＡＰ−リンカー−ｇ８ｐ戦略であった。
【０１２３】
ｅ．電子顕微鏡　電子顕微鏡分析につき、ファージを炭素−パーロジオン（ｐａｒｌｏｄｉｏｎ）グリッドに吸収させ、グリッドを洗浄し、次いでウサギ抗ＢＡＰ　ＩｇＧでインキュベートし、洗浄し、次いで１０ｎｍのゴールド・ヤギ抗ウサギ接合体で標識した。試料を３０，０００の相対倍率で調べた。
得られた電子顕微鏡写真は、０から３程度の多さまでのＢＡＰが単一長さのファージ当たりに存在することを明らかにした。４程度に多くのＢＡＰを有する２倍及び３倍の長さのファージがまた見られた。電子顕微鏡により測定されたファージ当たりのＢＡＰの数は、上記の活性測定により測定された数と同様である。
ｆ．二量体化されたバクテリアのアルカリ性ホスファターゼによる増進された検出の分析
繊維状ファージの主要外殻タンパク質ｇ８ｐにおけるＢＡＰダイマーのディスプレイの改良は、外殻タンパク質３ディスプレイ（ｇ３ｐ）と違って、ＢＡＰダイマーの半分が外殻タンパク質８（ｇ８ｐ）に付着される場合にのみ、最大のとり込みが起こることを示した。両方のディスプレイ部位間の重要な類似性は、ｇ８ｐ融合タンパク質につき数千の潜在的な付着部位があるとしても、ＢＡＰ−ｇ３ｐとＢＡＰ：ＢＡＰ−リンカー−ｇ８ｐディスプレイの両方がファージ当たりほぼ一つの活性ＢＡＰを与えることであつた。
【０１２４】
ペプチドエピトープ［Ｇｒｅｅｎｗｏｏｄら，Ｊ．Ｍｏｌ．Ｂｉｏｌ．，２２０：８２１−８２７（１９９１）］、Ｆａｂ［Ｋａｎｇら，Ｐｒｏｃ．Ｎａｔｌ．Ａｃａｄ．Ｓｃｉ．，ＵＳＡ，８７：６３７８−６３８２（１９９１）］、及びウシ膵臓トリプシンインヒビターＢＰＴＩ［Ｍａｒｋｌａｎｄら，Ｇｅｎｅ，１０９：１３−１９（１９９１）］ｇ８ｐ融合ディスプレイの先の研究では、ファージにとり込まれる融合の数に対する融合のサイズの明らかな傾向が見られる。９残基エピトープでは、融合ファージは、ｇ８ｐ外殻の各コピーが融合を含むように構築し得る。１２残基エピトープでは、１０〜３０％のエピトープ−ｇ８ｐ融合（１００〜３００のコピー／ファージ）と残部の野生型ｇ８ｐの混合物からなる外殻を有するハイブリッドファージを得ることができた［Ｇｒｅｅｎｗｏｏｄら，上記文献，（１９９１）］。ＢＰＴＩ、ｇ８ｐに融合された５８残基タンパク質（７ｋＤ）の場合、典型的には、ファージ当たりＢＰＴＩの３０〜６０のコピーがとり込まれた［Ｍ−ａｒｋｌａｎｄら，上記文献，（１９９１）］。約４４０の残基の更に大きなヘテロダイマーＦａｂ（これは約４５ｋＤである）が使用された場合、電子顕微鏡研究はファージ当たり１〜２４のＦａｂ’を示した［Ｋａｎｇら，上記文献，（１９９１）］。その他に、１〜３の９２８残基ＢＡＰダイマー（リンカーを含み、９２ｋＤ）をファージ当たりにとり込むことができた。これらの研究におけるファージの長さは異なるが、タンパク質が大きい程、少ないコピーがファージにとり込まれるという明らかな傾向が見られる。上限サイズ（それが存在する場合）は知られていない。
ウェスタンブロットの更に精密な試験は、ＢＡＰ−ｇ８ｐ融合の分解が起こることを示した。こうして、おそらく、融合のみのファージの観察された活性はｇ８ｐテールが除去されて、或る種の遊離ＢＡＰを残し、ファージ表面でＢＡＰ−ｇ８ｐと対合するためであったと考えられる。第二に、精製スキームが可溶性ファージのみを生じた。異なるファージにおけるＢＡＰ−ｇ８ｐの対合が不溶性凝集物を生じ、これらは廃棄されたであろう。いずれにしても、遊離ＢＡＰモノマーが最大の活性及びファージへのとり込みのためにＢＡＰ−リンカー−ｇ８ｐ融合をキャップするのに必要とされる。
【０１２５】
遊離ＢＡＰモノマーの必要性は、外殻タンパク質８ファージディスプレイの重要な局面を説明する。明らかに、ＢＡＰ−リンカー−ｇ８ｐモノマーはファージ上でダイマーに集合できない。この不安定性がファージに関する立体上の制限のためであるのか、または更にありそうなことに、Ｅ．ｃｏｌｉからのファージ排出プロセスにより課せられる制限のためであるのかは、依然として解決されていない。ＢＡＰ−リンカー−ｇ８ｐは最初に周辺質中で細胞膜と会合したｇ８ｐテールによりダイマーに集合するであろうと想像し得る。次いで、二重につなぎ止められたダイマーが、細胞膜につなぎ止められたまま残ることを有利にする立体上の効果またはキレート型効果により、ファージへのとり込みから阻止され得る。
また、融合のとり込みがファージアセンブリーの速度論または細胞壁中のファージの排出に関する立体上の効果のいずれにより制限されるのかは、まだわからない。速度上の制限は、ファージへのとり込みにつき野生型ｇ８ｐと融合ｇ８ｐの競合により生じる。このような競合効果がｇ８ｐにおけるＢＰＴＩのディスプレイにおいて観察され、この場合、ＢＰＴＩ−ｇ８ｐ融合に対し野生型ｇ８ｐの発現を低下すると、ファージにおけるＢＰＴＩの合計数を増大した［Ｍａｒｋｌａｎｄら，上記文献，（１９９１）］。一方、立体上の制限は、ｇ８ｐ融合タンパク質の形態のフックをファージニードルに付着することとして最も良く説明され、これは外細胞壁を通過して遊離ファージになることが依然として必要である。
【０１２６】
９．ディスプレイされた二量化アルカリ性ホスファターゼポリペプチド及びヘテロダィマーポリペプチドの調製　実施例８に示された外殼タンパク質におけるＢＡＰディスプレイの改良は、実施例１〜４で調製したＰｈｏＰｈａｂ系に改良を与える。本明細書に記載された二つの方法は、二量化異種ポリペプチド指示薬系、特に、二量化アルカリ性ホスファターゼと同時に、バクテリオファージの表面におけるヘテロダイマーレセプターの発現を与える。
実施例１〜８に記載されたバクテリオファージの表面へのＢＡＰのとり込みの結果から、ファージのｐ８ｐでディスプレイされる活性バクテリオファージアルカリ性ホスファターゼ（ＢＡＰ）のとり込みを増大する二つの特徴を同定した。本質的に、改良は、酵素のその他の点では同一のサブユニットのうちの唯一のサブユニットへの２０アミノ酸リンカーにより酵素を遺伝子ＶＩＩＩ外殻タンパク質（ｇ８ｐ）に付着することにより生じた。これは、二つのプラスミドを使用して二つの異なるサブユニットを発現することにより達成された。プラスミドｐＰｈｏＬ８ＢはＢＡＰ−リンカー−ｇ８サブユニットを与え、またプラスミドｐＰｈｏＣは遊離の可溶性ＢＡＰモノマーを与えた。これらの二つの半分がダイマーを形成し、これは、先のｐＰｈｏ８ｃａｔプラスミドによるよりも極めて良好にファージにとり込まれた。
これらの結果は、ＰｈｏＰｈａｂ系を改良するための新しい設計を示し、これは一見して二量化指示薬検出系によりＰｈｏＰｈａｂを生産するために発現ベクター、ｐＰｈｏＣ、ｐＰｈｏＬ８Ｂ及びヘテロダイマーＦａｂ生産ｐＣｏｍｂ３を添加することであろう。しかしながら、この戦略は、うまくいかないであろう。何となれば、ｐＰｈｏＣとｐＣｏｍｂ３は同じ不適合性群の複製開始点を有し、それによりこのような形質転換を不安定にするからである。それ故、遊離ＢＡＰモノマーを生成してＢＡｐ−リンカー−ｇ８ｐモノマーと対合するアンカ一方法が、先に記載された発現ベクタ一系に基いて設計された。二つのこのような方法が本明細書に記載される。
【０１２７】
ａ．二重アルカリ性ホスファターゼ発現ベクターの構築
バクテリオファージの表面における発現のために二量化異種指示薬ポリペプチドを調製する一つの方法は、バクテリオファージ外殻タンパク質膜アンカーにつなぎ止められたモノマーの不溶性アルカリ性ホスファターゼと同時に、ＢＡＰのモノマーの可溶性形態の発現を可能にするように特別に設計された発現ベクターの使用である。好ましい外殻タンパク質膜アンカーは、外殻タンパク質８及び外殻タンパク質３、夫々ｃｐ８及びｃｐ３（また、ｇ８ｐ及びｇ３ｐと称される）である。
アルカリ性ホスファターゼの可溶性形態だけでなく、つなぎ止められた形態の両方の二重発現を与えるための単一ベクターにつき、部分抑制されたアンバーコドンの使用が、Ｍｉｌｌｅｒ，Ｍｅｔｈｏｄｓ　Ｅｎｚ．，２５５：２３９６−２４０４（１９９１）（その開示が参考として本明細書に含まれる）により記載されたように必要とされる。適当なサプレッサーｔＲＮＡの存在下で、一つの遺伝子は遊離モノマーＢＡＰと外殼タンパク質につなぎ止められたＢＡＰの融合タンパク質の両方を与えるであろう。二重発現に関するサプレッサーｔＲＮＡ遺伝子の使用は当業者に公知である。ＰｈｏＰｈａｂ検出系に使用するのに好ましいつなぎ止められたアルカリ性ホスファターゼタンパク質は、発現ベクタ−ｐＰｈｏＬ８Ｂから生じる、実施例５に記載されたようなリンカーポリぺプチドによる外殻タンパク質８へのＢＡＰのつなぎ止め（ａｎｃｈｏｒａｇｅ）である。ｐＰｈｏ８Ｂ及びｐＰｈｏＬ８を含む、つなぎ止められたＢＡＰを発現するためのその他のベクターがまた本発明における使用に意図されている。
アンバー終止（ＴＡＧ）コドンをＰｈｏＡコード領域とｇ８ｐコード領域の間のリンカーコード配列に挿入することにより、一つのプラスミドを使用してＢＡＰ及びＢＡＰ−リンカー−ｇ８ｐ（この場合、二つのプラスミドが先に使用された）を生産する。アンバーサプレッサーｔＲＮＡの存在下の、以下のようにして調製されるプラスミドｐＰｈｏＡＬ８を有するアンバーコドンの誘導は、遊離モノマーＢＡＰとＢＡＰ−リンカー−ｇ８ｐの発現を生じ、ＢＡＰ−リンカー−ｇ８ｐはアンバー終止コドンの部分抑制により生じる。サプレッサーｔＲＮＡ及び変性タンパク質を生じるための合成サプレッサーｔＲＮＡの使用は当業界で公知である。Ｍｉｌｌｅｒ，“変性タンパク質を生じるためのナンセンス抑制の使用”，Ｍｅｔｈｏｄｓ　ｉｎ　Ｅｎｚｙｍｏｌｏｇｙ，２０８：５４３−５６３（１９９１）を参照のこと。アンバー終止コドンに代えて種々のアミノ酸を種々の効率で挿入するサプレッサーが知られている。このようなサプレッサーをコードする配列をｐＰｈｏＡＬ８にとり込んで最終発現ベクター、ｐＰｈｏＡＬ８Ｓを生成し、これは、ＦａｂをコードするｐＣｏｍｂプラスミド及びヘルパーファージの存在下で、上記のＢＡＰの更に良好なとり込みのために増大されたシグナルを有する改良されたＰｈｏＰｈａｂを与える。次いで、異なるアミノ酸を挿入する既知のサプレッサーを種々のレベルで試験することにより、その系をＰｈｏＰｈａｂ生産につき最適化し、次いでアンバー終止コドンの位置を移動する。何となれば、抑制がその状況に依存することが知られているからである。
【０１２８】
１）ｐＰｈｏＡＬ８Ｓ発現ベクターの構築　クンケル（Ｋｕｎｋｅｌ）部位誘導突然変異誘発を、バイオーラド（リッチモンド、ＣＡ）から市販されている試験管内突然変異誘発キットにより与えられる通常のプロトコルに従って行う。突然変異誘発につき、ヌクレオチド配列５’−ＴＣＣＡＣＴＡＧＴＴＡＧＧＧＴＧＧＴＧ−３’（配列番号９７）を有するＡＭＬＮＫと称されるオリゴヌクレオチドプライマーをファージミドｐＣｏｍｂ２−８（これに、６３ｂｐリンカーをコードする配列が挿入されてｐＰｈｏＬ８の調製における使用につき実施例５ｃに記載されたｐＣｏｍｂ２−８Ｌを生成する）の一本鎖ＤＮＡ鋳型でＰＣＲに使用した。ｐＪ６Ｌ１１２ｓ５と称される得られたプラスミドは、Ｓｐｅ　Ｉ部位の直後のリンカーの第一コドンがアンバー終止コドン、ＴＡＧである以外は、ｐＣｏｍｂ２−８Ｌと同じであった。
ｐＰｈｏＡＬ８を生成するために、ｐＪ６Ｌ１１２ｓ５のＳｐｅ　Ｉ／Ｓａｃ　Ｉフラグメントを、実施例５ｄで調製したｐＰｈｏＬ８ＢのＳｐｅ　Ｉ／Ｓａｃ　Ｉフラグメントと交換する。
アンバーサプレッサーを導入するために、既存のプラスミド源、例えば、ｐＧＦＩＢ−ｌ−ｇｌｙｌがＫｌｅｉｎａら，Ｊ．Ｍｏｌ．Ｂｉｏｌ．，２１３：７０５−７１７（１９９０）により記載されている。次いで、Ｓａｃ　Ｉで消化し、Ｔ４　ＤＮＡポリメラーゼで平滑断端し、続いてウシ腸アルカリ性ホスファターゼで脱ホスホリル化することによりｐＰｈｏＡＬ８をアンバーサプレッサーｔＲＮＡ配列の挿入のために調製する。次いでサプレッサーｔＲＮＡ遺伝子をＰｖｕ　ＩＩでｐＧＦＩＢ−１−ｇｌｙｌから消化し、Ｔ４　ＤＮＡポリメラーゼで平滑断端する。次いで得られた小フラグメントをゲル電気泳動により単離する。次いでこのフラグメントを消化され、詰め込まれた（ｆｉｌｌｅｄ）ｐＰｈｏＡＬ８につないでｐＰｈｏＡＬ８Ｓを生成する（インサートの両配向が機能性である）。次いで得られたｐＰｈｏＡＬ８Ｓ発現ベクターをダイマーの形態のアルカリ性ホスファターゼ指示薬系と共にヘテロダイマーリガンド結合Ｆａｂの二重発現のために実施例５で記載したようなＰｈｏＰｈａｂ系と共に使用する。
２）ＢＡＰを構成的に発現するＥ．ｃｏｌｉ株の使用　ＢＡＰのモノマーの可溶性形態を構成的に発現するＥ．ｃｏｌｉの変異体が知られている。例えば、Ｋｒｅｕｚｅｒら，Ｇｅｎｅｔｉｃｓ，８１：４５９−４６８（１９７５）により記載されたＥ．ｃｏｌｉ株ｐｈｏＲ８を参照のこと。このような株を、またプラスミドＰｈｏＬ８Ｂ及び実施例６に記載されたようなＦａｂを有するｐＣｏｍｂ３ベクターを含んだヘルパーファージで感染すると、ダイマーＢＡＰの改良されたとり込みによりＰｈｏＰｈａｂを生成し、それにより増強された指示薬ポリペプチド検出シグナルを与えるであろう。この場合、ダイマーはＰｈｏＬ８ＢによりコードされたＢＡＰサブユニットによりファージに付着されるにすぎず、一方、ダイマーの“遊離”の半分がＰｈｏＲ−バクテリアにより与えられる。
【０１２９】
加えて、ほぼあらゆる所望のバクテリア株が当業者に公知の技術によりＰｈｏＲ−表現型に突然変異可能であり、その結果、それはその後ＢＡＰを構成的に発現する。Ｍｉｌｌｅｒ著，“分子遺伝子学における実験”，Ｃｏｌｄ　Ｓｐｒｉｎｇ　Ｈａｒｂｏｒ　Ｌａｂｏｒａｔｏｒｙ　Ｐｒ−ｅｓｓ，（１９７２）は、バクテリア株を突然変異してモノマーの可溶性ＢＡＰの構成的発現を行う方法を記載していた。
二量化指示薬ポリペプチド検出系を有する上記のＰｈｏＰｈａｂ系の他に、変異体−野生型の対の単離のためのファージディスプレイの別の使用がまた意図されている。通常、ホモダイマーであるＢＡＰを、遊離ＢＡＰとＢＡＰ−リンカー−ｇ８ｐ融合によりヘテロダイマーに変換する。このヘテロダイマーを付着ファージの遠心分離により精製する。その正味の効果は、夫々の半分の二重発現により生じた遊離−遊離タンパク質、遊離−融合タンパク質、及び融合−融合タンパク質の三つの可能な対合からの遊離−融合対の精製である。次いで特定のプロテアーゼ部位をリンカーに加えてファージからの酵素の放出を可能にする。こうして、ファージディスプレイを使用することにより、通常ホモダイマーのタンパク質の変異体−野生型の対を遠心分離で分離することが可能であるべきである。
要するに、抗原特異性Ｆａｂをアルカリ性ホスファターゼの多重コピーに結合する本発明のＰｈｏＰｈａｂ系は、通常の技術に対し簡素化と時間の利点を有する。ＥＬＩ−ＳＡ及びウェスタンブロットの如き免疫化学技術の従来の方法は、関係する抗原の抗体及び検出用の二次抗体−酵素接合体を必要とし、これは二つの免疫感作を必要とするだけでなく、モノクローナル特異性が所望される場合にハイブリドーマの生産を必要とする。これに代えて、この新規な技術はファージディスプレイを使用して所望の結合特異性を分離し、二次試薬の必要性を排除するとともに、依然として抗原シグナルの増幅を得る。
【０１３０】
試薬の特異性をパンニング選択方法により測定し、モノクローナル混合物またはポリクローナル混合物のいずれかが使用し得る。少量のヘテロダイマーライブラリーをパンニングし、次いで所望の試薬をバクテリア培養技術により単に増殖させることにより所望の特異性を選択し得る。その可能性は、望ましくない交差反応性をサブトラクチブ（ｓｕｂｔｒａｃｔｉｖｅ）パンニングにより除去することにある。前もってつくられた合成ライブラリーと対にされる場合、抗原特異性試薬は、モノクローナル抗体の産生につき数ケ月に較べて、わずかに二三日で免疫感作しないで生産し得る。また、ファージ試薬は生産するのにそれ程高価ではないと予想される。
繊維状ファージ構造は、ここに説明されたＰｈｏＰｈａｂ実施例を越えて拡張し得る。本発明のＰｈｏＰｈａｂ系は、前もって選択されたリガンドに対し特異性を示す試薬を選択するために特性決定されていないヘテロダイマーライブラリーをスクリーニングすることに拡張し得る。その他の酵素及びタンパク質が、異なる外殻タンパク質を使用して付着の数を変えて、繊維状ファージに結合し得る。例えば、バインダー−ｃｐＩＩＩ−ファージー（ｃｐＶＩＩＩ−酵素）ｎ系が、酵素の多重コピーを試験管内で、そしておそらく生体内で特定の部位に送出して抗原性応答を可能にするのに使用し得る。繊維状ファージの使用は単一ファージに制限されることを要しないが、ファージ構造のネットワークがリンクし得る。一つの方法は、Ｆａｂ＃２−ファージ−抗原＃１に対しＦａｂ♯１−ファージ−酵素を誘導し、それにより抗原＃２に結合された酵素分子の数の大きな増幅を生じることであろう。
【０１３１】
更に、表面ファージディスプレイに関する二量化アルカリ性ホスファターゼが、ＰｈｏＰｈａｂ系中の使用のための増進された検出系をもたらす。こうして、バクテリアのアルカリ性ホスファターゼが、主要ファージ外殻タンパク質に一つのモノマーにより付着されるダイマーとして繊維状ファージにとり込まれた。ｇ３ｐディスプレイと違って、ファージｇ８ｐに集合された活性酵素ダイマーを得るために、遊離モノマーは融合モノマーを補足するのに必要とされる。ＢＡＰ−ｇ８ｐまたはＢＡＰ−リンカー−ｇ８ｐ融合単独は、ファージでは同様にに集合されない。更に、２０残基リンカーはファージにつきＢＡＰダイマーの数を増大した。最良の場合、ファージ当たり平均一つのＢＡＰダイマーがとり込まれ、三つが単一長さのファージで観察された最大数である。
以上の記載は本発明の例示として意図されるが、本発明を限定するものではない。多数の変化及び変更が、本発明の真の精神及び範囲を逸脱しないで、行い得る。
【０１３２】
【配列表】
（１）一般情報
（ｉ）出願人：
（Ａ）名称：ザ・スクリップス・リサーチ・インスティチュート
（Ｂ）通り：１０６６６ノース・トレイ・パインズ・ロード、スート２２０、メイル・ドロップＴＰＣ８
（Ｃ）都市：ラ・ジョラ
（Ｄ）州：カリフォルニア
（Ｅ）国：米国
（Ｆ）郵便番号：９２０３７
（Ｇ）電話番号：６１９−５５４−２９３７
（Ｈ）ファックス番号：６１９−５５４−６３１２
（ｉｉ）発明の名称：表面レセプター及び表面異種タンパク質を同時発現するファージミド
（ｉｉｉ）配列の数：９７
（ｉｖ）コンピュータ読み取り可能形態：
（Ａ）媒体型：フロッピーディスク
（Ｂ）コンピュータ：ＩＢＭ　ＰＣ互換機
（Ｃ）操作システム：ＰＣ−ＤＯＳ／ＭＳ−ＤＯＳ
（Ｄ）ソフトウェア：パテントイン・リリース＃１．０、バージョン＃１．２５（ＥＰＯ）
（ｖ）本件出願データ：
（Ａ）出願番号：ＰＣＴ／ＵＳ／
（Ｂ）出願日：１９９３年９月３日
（ｖｉ）先行出願データ：
（Ａ）出願番号：ＵＳ　０７／９４１，３６９
（Ｂ）出願日：１９９２年９月４日
（２）配列番号１の情報
（ｉ）配列の特徴：
（Ａ）配列の長さ：１７３塩基対
（Ｂ）配列の型：核酸
（Ｃ）鎖の数：一本鎖
（Ｄ）トポロジー：直線状
（ｉｉ）配列の種類：ＤＮＡ（ゲノム）
（ｉｉｉ）ハイポセティカル：ＮＯ
（ｉｖ）アンチセンス：ＮＯ
（ｘｉ）配列の記載：配列番号１：
2004000238.tif 000007
（２）配列番号２の情報
（ｉ）配列の特徴：
（Ａ）配列の長さ：１７３塩基対
（Ｂ）配列の型：核酸
（Ｃ）鎖の数：一本鎖
（Ｄ）トポロジー：直線状
（ｉｉ）配列の種類：ＤＮＡ（ゲノム）
（ｉｉｉ）ハイポセティカル：ＮＯ
（ｉｖ）アンチセンス：ＮＯ
（ｘｉ）配列の記載：配列番号２：
2004000238.tif 000008
（２）配列番号３の情報
（ｉ）配列の特徴
（Ａ）配列の長さ：１３１塩基対
（Ｂ）配列の型：核酸
（Ｃ）鎖の数：一本鎖
（Ｄ）トポロジー：直線状
（ｉｉ）配列の種類：ＤＮＡ（ゲノム）
（ｉｉｉ）ハイポセティカル：ＮＯ
（ｉｖ）アンチセンス：ＮＯ
（ｘｉ）配列の記載：配列番号３：
2004000238.tif 000009
（２）配列番号４の情報
（ｉ）配列の特徴：
（Ａ）配列の長さ：１３９塩基対
（Ｂ）配列の型：核酸
（Ｃ）鎖の数：一本鎖
（Ｄ）トポロジー：直線状
（ｉｉ）配列の種類：ＤＮＡ（ゲノム）
（ｉｉｉ）ハイポセティカル：ＮＯ
（ｉｖ）アンチセンス：ＮＯ
（ｘｉ）配列の記載：配列番号４：
2004000238.tif 000010
（２）配列番号５の情報
（ｉ）配列の特徴：
（Ａ）配列の長さ：２１アミノ酸
（Ｂ）配列の型：アミノ酸
（Ｄ）トポロジー：直線状
（ｉｉ）配列の種類：ペプチド
（ｉｉｉ）ハイポセティカル：ＮＯ
（ｉｖ）アンチセンス：ＮＯ
（ｘｉ）配列の記載：配列番号５：
2004000238.tif 000011
（２）配列番号６の情報
（ｉ）配列の特徴：
（Ａ）配列の長さ：２５アミノ酸
（Ｂ）配列の型：アミノ酸
（Ｄ）トポロジー：不明
（ｉｉ）配列の種類：ペプチド
（ｉｉｉ）ハイポセティカル：ＮＯ
（ｉｖ）アンチセンス：ＮＯ
（ｖｉ）起源：
（Ａ）生物名：エルビニア・カロトボラ
（ｘｉ）配列の記載：配列番号６：
2004000238.tif 000012
（２）配列番号７の情報
（ｉ）配列の特徴：
（Ａ）配列の長さ：２２アミノ酸
（Ｂ）配列の型：アミノ酸
（Ｄ）トポロジー：不明
（ｉｉ）配列の種類：ペプチド
（ｉｉｉ）ハイポセティカル：ＮＯ
（ｉｖ）アンチセンス：ＮＯ
（ｖｉ）起源：
（Ａ）生物名：エルビニア・カロトボラ
（ｘｉ）配列の記載：配列番号７：
2004000238.tif 000013
（２）配列番号８の情報
（ｉ）配列の特徴：
（Ａ）配列の長さ：２８アミノ酸
（Ｂ）配列の型：アミノ酸
（Ｄ）トポロジー：不明
（ｉｉ）配列の種類：ペプチド
（ｉｉｉ）ハイポセティカル：ＮＯ
（ｘｉ）配列の記載：配列番号８：
2004000238.tif 000014
（２）配列番号９の情報
（ｉ）配列の特徴：
（Ａ）配列の長さ：２４アミノ酸
（Ｂ）配列の型：アミノ酸
（Ｄ）トポロジー：不明
（ｉｉ）配列の種類：ペプチド
（ｉｉｉ）ハイポセティカル：ＮＯ
（ｘｉ）配列の記載：配列番号９：
2004000238.tif 000015
（２）配列番号１０の情報
（ｉ）配列の特徴：
（Ａ）配列の長さ：２３アミノ酸
（Ｂ）配列の型：アミノ酸
（Ｄ）トポロジー：不明
（ｉｉ）配列の種類：ペプチド
（ｉｉｉ）ハイポセティカル：ＮＯ
（ｘｉ）配列の記載：配列番号１０：
2004000238.tif 000016
（２）配列番号１１の情報
（ｉ）配列の特徴：
（Ａ）配列の長さ：２５アミノ酸
（Ｂ）配列の型：アミノ酸
（Ｄ）トポロジー：不明
（ｉｉ）配列の種類：ペプチド
（ｉｉｉ）ハイポセティカル：ＮＯ
（ｘｉ）配列の記載：配列番号１１：
2004000238.tif 000017
（２）配列番号１２の情報
（ｉ）配列の特徴：
（Ａ）配列の長さ：２７アミノ酸
（Ｂ）配列の型：アミノ酸
（Ｄ）トポロジー：不明
（ｉｉ）配列の種類：ペプチド
（ｉｉｉ）ハイポセティカル：ＮＯ
（ｘｉ）配列の記載：配列番号１２：
2004000238.tif 000018
（２）配列番号１３の情報
（ｉ）配列の特徴：
（Ａ）配列の長さ：２２アミノ酸
（Ｂ）配列の型：アミノ酸
（Ｄ）トポロジー：不明
（ｉｉ）配列の種類：ペプチド
（ｉｉｉ）ハイポセティカル：ＮＯ
（ｘｉ）配列の記載：配列番号１３：
2004000238.tif 000019
（２）配列番号１４の情報
（ｉ）配列の特徴：
（Ａ）配列の長さ：２３アミノ酸
（Ｂ）配列の型：アミノ酸
（Ｄ）トポロジー：不明
（ｉｉ）配列の種類：ペプチド
（ｉｉｉ）ハイポセティカル：ＮＯ
（ｘｉ）配列の記載：配列番号１４：
2004000238.tif 000020
（２）配列番号１５の情報
（ｉ）配列の特徴：
（Ａ）配列の長さ：１８アミノ酸
（Ｂ）配列の型：アミノ酸
（Ｄ）トポロジー：不明
（ｉｉ）配列の種類：ペプチド
（ｉｉｉ）ハイポセティカル：ＮＯ
（ｘｉ）配列の記載：配列番号１５：
2004000238.tif 000021
（２）配列番号１６の情報
（ｉ）配列の特徴：
（Ａ）配列の長さ：２１１アミノ酸
（Ｂ）配列の型：アミノ酸
（Ｄ）トポロジー：不明
（ｉｉ）配列の種類：タンパク質
（ｉｉｉ）ハイポセティカル：ＮＯ
（ｖ）フラグメント型：中間部フラグメント
（ｘｉ）配列の記載：配列番号１６：
2004000238.tif 000022
（２）配列番号１７の情報
（ｉ）配列の特徴：
（Ａ）配列の長さ：５０アミノ酸
（Ｂ）配列の型：アミノ酸
（Ｄ）トポロジー：不明
（ｉｉ）配列の種類：タンパク質
（ｉｉｉ）ハイポセティカル：ＮＯ
（ｘｉ）配列の記載：配列番号１７：
2004000238.tif 000023
（２）配列番号１８の情報
（ｉ）配列の特徴：
（Ａ）配列の長さ：３０塩基対
（Ｂ）配列の型：核酸
（Ｃ）鎖の数：二本鎖
（Ｄ）トポロジー：直線状
（ｉｉ）配列の種類：ＲＮＡ（ゲノム）
（ｉｉｉ）ハイポセティカル：ＮＯ
（ｉｖ）アンチセンス：ＮＯ
（ｘｉ）配列の記載：配列番号１８：
ＡＡＵＣＵＵＧＧＡＧ　ＧＣＵＵＵＵＵＵＡＵ　ＧＧＵＵＣＧＵＵＣＵ　　　　　　　　　　　　　　　　　　　　　　　　　　　　　　　　　　３０
（２）配列番号１９の情報
（ｉ）配列の特徴：
（Ａ）配列の長さ：３０塩基対
（Ｂ）配列の型：核酸
（Ｃ）鎖の数：二本鎖
（Ｄ）トポロジー：直線状
（ｉｉ）配列の種類：ＲＮＡ（ゲノム）
（ｉｉｉ）ハイポセティカル：ＮＯ
（ｉｖ）アンチセンス：ＮＯ
（ｘｉ）配列の記載：配列番号１９：
ＵＡＡＣＵＡＡＧＧＡ　ＵＧＡＡＡＵＧＣＡＵ　ＧＵＣＵＡＡＧＡＣＡ　　　　　　　　　　　　　　　　　　　　　　　　　　　　　　　　　　３０
（２）配列番号２０の情報
（ｉ）配列の特徴：
（Ａ）配列の長さ：３０塩基対
（Ｂ）配列の型：核酸
（Ｃ）鎖の数：二本鎖
（Ｄ）トポロジー：直線状
（ｉｉ）配列の種類：ＲＮＡ（ゲノム）
（ｉｉｉ）ハイポセティカル：ＮＯ
（ｉｖ）アンチセンス：ＮＯ
（ｘｉ）配列の記載：配列番号２０：
ＵＣＣＵＡＧＧＡＧＧ　ＵＵＵＧＡＣＣＵＡＵ　ＧＣＧＡＧＣＵＵＵＵ　　　　　　　　　　　　　　　　　　　　　　　　　　　　　　　　　　３０
（２）配列番号２１の情報
（ｉ）配列の特徴：
（Ａ）配列の長さ：３０塩基対
（Ｂ）配列の型：核酸
（Ｃ）鎖の数：二本鎖
（Ｄ）トポロジー：直線状
（ｉｉ）配列の種類：ＲＮＡ（ゲノム）
（ｉｉｉ）ハイポセティカル：ＮＯ
（ｉｖ）アンチセンス：ＮＯ
（ｘｉ）配列の記載：配列番号２１：
ＡＵＧＵＡＣＵＡＡＧ　ＧＡＧＧＵＵＧＵＡＵ　ＧＧＡＡＣＡＡＣＧＣ　　　　　　　　　　　　　　　　　　　　　　　　　　　　　　　　　　３０
（２）配列番号２２の情報
（ｉ）配列の特徴：
（Ａ）配列の長さ：３２塩基対
（Ｂ）配列の型：核酸
（Ｃ）鎖の数：一本鎖
（Ｄ）トポロジー：直線状
（ｉｉ）配列の種類：ＤＮＡ（ゲノム）
（ｉｉｉ）ハイポセティカル：ＮＯ
（ｉｖ）アンチセンス：ＮＯ
（ｘｉ）配列の記載：配列番号２２：
ＧＧＣＣＧＣＡＡＡＴ　ＴＣＴＡＴＴＴＣＡＡ　ＧＧＡＧＡＣＡＧＴＣ　ＡＴ　　　　　　　　　　　　　　　　　　　　　　　　　　　　　　　３２
（２）配列番号２３の情報
（ｉ）配列の特徴：
（Ａ）配列の長さ：３６塩基対
（Ｂ）配列の型：核酸
（Ｃ）鎖の数：一本鎖
（Ｄ）トポロジー：直線状
（ｉｉ）配列の種類：ＤＮＡ（ゲノム）
（ｉｉｉ）ハイポセティカル：ＮＯ
（ｉｖ）アンチセンス：ＮＯ
（ｘｉ）配列の記載：配列番号２３：
ＡＡＴＧＡＡＡＴＡＣ　ＣＴＡＴＴＧＣＣＴＡ　ＣＧＧＣＡＧＣＣＧＣ　ＴＧＧＡＴＴ　　　　　　　　　　　　　　　　　　　　　　　　　　　３６
（２）配列番号２４の情報
（ｉ）配列の特徴：
（Ａ）配列の長さ：３２塩基対
（Ｂ）配列の型：核酸
（Ｃ）鎖の数：一本鎖
（Ｄ）トポロジー：直線状
（ｉｉ）配列の種類：ＤＮＡ（ゲノム）
（ｉｉｉ）ハイポセティカル：ＮＯ
（ｉｖ）アンチセンス：ＮＯ
（ｘｉ）配列の記載：配列番号２４：
ＧＴＴＡＴＴＡＣＴＣ　ＧＣＴＧＣＣＣＡＡＣ　ＣＡＧＣＣＡＴＧＧＣ　ＣＣ　　　　　　　　　　　　　　　　　　　　　　　　　　　　　　　３２
（２）配列番号２５の情報
（ｉ）配列の特徴：
（Ａ）配列の長さ：２９塩基対
（Ｂ）配列の型：核酸
（Ｃ）鎖の数：一本鎖
（Ｄ）トポロジー：直線状
（ｉｉ）配列の種類：ＤＮＡ（ゲノム）
（ｉｉｉ）ハイポセティカル：ＮＯ
（ｉｖ）アンチセンス：ＮＯ
（ｘｉ）配列の記載：配列番号２５：
ＣＡＧＴＴＴＣＡＣＣ　ＴＧＧＧＣＣＡＴＧＧ　ＣＴＧＧＴＴＧＧＧ　　　　　　　　　　　　　　　　　　　　　　　　　　　　　　　　　　　２９
（２）配列番号２６の情報
（ｉ）配列の特徴：
（Ａ）配列の長さ：４０塩基対
（Ｂ）配列の型：核酸
（Ｃ）鎖の数：一本鎖
（Ｄ）トポロジー：直線状
（ｉｉ）配列の種類：ＤＮＡ（ゲノム）
（ｉｉｉ）ハイポセティカル：ＮＯ
（ｉｖ）アンチセンス：ＮＯ
（ｘｉ）配列の記載：配列番号２６：
ＣＡＧＣＧＡＧＴＡＡ　ＴＡＡＣＡＡＴＣＣＡ　ＧＣＧＧＣＴＧＣＣＧ　ＴＡＧＧＣＡＡＴＡＧ　　　　　　　　　　　　　　　　　　　　　　　４０
（２）配列番号２７の情報
（ｉ）配列の特徴：
（Ａ）配列の長さ：３８塩基対
（Ｂ）配列の型：核酸
（Ｃ）鎖の数：一本鎖
（Ｄ）トポロジー：直線状
（ｉｉ）配列の種類：ＤＮＡ（ゲノム）
（ｉｉｉ）ハイポセティカル：ＮＯ
（ｉｖ）アンチセンス：ＮＯ
（ｘｉ）配列の記載：配列番号２７：
ＧＴＡＴＴＴＣＡＴＴ　ＡＴＧＡＣＴＧＴＣＴ　ＣＣＴＴＧＡＡＡＴＡ　ＧＡＡＴＴＴＧＣ　　　　　　　　　　　　　　　　　　　　　　　　　３８
（２）配列番号２８の情報
（ｉ）配列の特徴：
（Ａ）配列の長さ：４０塩基対
（Ｂ）配列の型：核酸
（Ｃ）鎖の数：一本鎖
（Ｄ）トポロジー：直線状
（ｉｉ）配列の種類：ＤＮＡ（ゲノム）
（ｉｉｉ）ハイポセティカル：ＮＯ
（ｉｖ）アンチセンス：ＮＯ
（ｘｉ）配列の記載：配列番号２８：
ＡＧＧＴＧＡＡＡＣＴ　ＧＣＴＣＧＡＧＡＴＴ　ＴＣＴＡＧＡＣＴＡＧ　ＴＴＡＣＣＣＧＴＡＣ　　　　　　　　　　　　　　　　　　　　　　　４０
（２）配列番号２９の情報
（ｉ）配列の特徴：
（Ａ）配列の長さ：３８塩基対
（Ｂ）配列の型：核酸
（Ｃ）鎖の数：一本鎖
（Ｄ）トポロジー：直線状
（ｉｉ）配列の種類：ＤＮＡ（ゲノム）
（ｉｉｉ）ハイポセティカル：ＮＯ
（ｉｖ）アンチセンス：ＮＯ
（ｘｉ）配列の記載：配列番号２９：
ＣＧＧＡＡＣＧＴＣＧ　ＴＡＣＧＧＧＴＡＡＣ　ＴＡＧＴＣＴＡＧＡＡ　ＡＴＣＴＣＧＡＧ　　　　　　　　　　　　　　　　　　　　　　　　　３８
（２）配列番号３０の情報
（ｉ）配列の特徴：
（Ａ）配列の長さ：３３塩基対
（Ｂ）配列の型：核酸
（Ｃ）鎖の数：一本鎖
（Ｄ）トポロジー：直線状
（ｉｉ）配列の種類：ＤＮＡ（ゲノム）
（ｉｉｉ）ハイポセティカル：ＮＯ
（ｉｖ）アンチセンス：ＮＯ
（ｘｉ）配列の記載：配列番号３０：
ＧＡＣＧＴＴＣＣＧＧ　ＡＣＴＡＣＧＧＴＴＣ　ＴＴＡＡＴＡＧＡＡＴ　ＴＣＧ　　　　　　　　　　　　　　　　　　　　　　　　　　　　　　３３
（２）配列番号３１の情報
（ｉ）配列の特徴：
（Ａ）配列の長さ：２８塩基対
（Ｂ）配列の型：核酸
（Ｃ）鎖の数：一本鎖
（Ｄ）トポロジー：直線状
（ｉｉ）配列の種類：ＤＮＡ（ゲノム）
（ｉｉｉ）ハイポセティカル：ＮＯ
（ｉｖ）アンチセンス：ＮＯ
（ｘｉ）配列の記載：配列番号３１：
ＴＣＧＡＣＧＡＡＴＴ　ＣＴＡＴＴＡＡＧＡＡ　ＣＣＧＴＡＧＴＣ　　　　　　　　　　　　　　　　　　　　　　　　　　　　　　　　　　　　２８
（２）配列番号３２の情報
（ｉ）配列の特徴：
（Ａ）配列の長さ：３４塩基対
（Ｂ）配列の型：核酸
（Ｃ）鎖の数：一本鎖
（Ｄ）トポロジー：直線状
（ｉｉ）配列の種類：ＤＮＡ（ゲノム）
（ｉｉｉ）ハイポセティカル：ＮＯ
（ｉｖ）アンチセンス：ＮＯ
（ｘｉ）配列の記載：配列番号３２：
ＴＧＡＡＴＴＣＴＡＡ　ＡＣＴＡＧＴＣＧＣＣ　ＡＡＧＧＡＧＡＣＡＧ　ＴＣＡＴ　　　　　　　　　　　　　　　　　　　　　　　　　　　　　３４
（２）配列番号３３の情報
（ｉ）配列の特徴：
（Ａ）配列の長さ：３６塩基対
（Ｂ）配列の型：核酸
（Ｃ）鎖の数：一本鎖
（Ｄ）トポロジー：直線状
（ｉｉ）配列の種類：ＤＮＡ（ゲノム）
（ｉｉｉ）ハイポセティカル：ＮＯ
（ｉｖ）アンチセンス：ＮＯ
（ｘｉ）配列の記載：配列番号３３：
ＡＡＴＧＡＡＡＴＡＣ　ＣＴＡＴＴＧＣＣＴＡ　ＣＧＧＣＡＧＣＣＧＣ　ＴＧＧＡＴＴ　　　　　　　　　　　　　　　　　　　　　　　　　　　３６
（２）配列番号３４の情報
（ｉ）配列の特徴：
（Ａ）配列の長さ：３１塩基対
（Ｂ）配列の型：核酸
（Ｃ）鎖の数：一本鎖
（Ｄ）トポロジー：直線状
（ｉｉ）配列の種類：ＤＮＡ（ゲノム）
（ｉｉｉ）ハイポセティカル：ＮＯ
（ｉｖ）アンチセンス：ＮＯ
（ｘｉ）配列の記載：配列番号３４：
ＧＴＴＡＴＴＡＣＴＣ　ＧＣＴＧＣＣＣＡＡＣ　ＣＡＧＣＣＡＴＧＧＣ　Ｃ　　　　　　　　　　　　　　　　　　　　　　　　　　　　　　　　３１
（２）配列番号３５の情報
（ｉ）配列の特徴：
（Ａ）配列の長さ：３０塩基対
（Ｂ）配列の型：核酸
（Ｃ）鎖の数：一本鎖
（Ｄ）トポロジー：直線状
（ｉｉ）配列の種類：ＤＮＡ（ゲノム〕
（ｉｉｉ）ハイポセティカル：ＮＯ
（ｉｖ）アンチセンス：ＮＯ
（ｘｉ）配列の記載：配列番号３５：
ＧＡＧＣＴＣＧＴＣＡ　ＧＴＴＣＴＡＧＡＧＴ　ＴＡＡＧＣＧＧＣＣＧ　　　　　　　　　　　　　　　　　　　　　　　　　　　　　　　　　　３０
（２）配列番号３６の情報
（ｉ）配列の特徴：
（Ａ）配列の長さ：４８塩基対
（Ｂ）配列の型：核酸
（Ｃ）鎖の数：一本鎖
（Ｄ）トポロジー：直線状
（ｉｉ）配列の種類：ＤＮＡ（ゲノム）
（ｉｉｉ）ハイポセティカル：ＮＯ
（ｉｖ）アンチセンス：ＮＯ
（ｘｉ）配列の記載：配列番号３６：
ＧＴＡＴＴＴＣＡＴＴ　ＡＴＧＡＣＴＧＴＣＴ　ＣＣＴＴＧＧＣＧＡＣ　ＴＡＧＴＴＴＡＧＡＡ　ＴＴＣＡＡＧＣＴ　　　　　　　　　　　　　　４８
（２）配列番号３７の情報
（ｉ）配列の特徴：
（Ａ）配列の長さ：４０塩基対
（Ｂ）配列の型：核酸
（Ｃ）鎖の数：一本鎖
（Ｄ）トポロジー：直線状
（ｉｉ）配列の種類：ＤＮＡ（ゲノム）
（ｉｉｉ）ハイポセティカル：ＮＯ
（ｉｖ）アンチセンス：ＮＯ
（ｘｉ）配列の記載：配列番号３７：
ＣＡＧＣＧＡＧＴＡＡ　ＴＡＡＣＡＡＴＣＣＡ　ＧＣＧＧＣＴＧＣＣＧ　ＴＡＧＧＣＡＡＴＡＧ　　　　　　　　　　　　　　　　　　　　　　　４０
（２）配列番号３８の情報
（ｉ）配列の特徴：
（Ａ）配列の長さ：２７塩基対
（Ｂ）配列の型：核酸
（Ｃ）鎖の数：一本鎖
（Ｄ）トポロジー：直線状
（ｉｉ）配列の種類：ＤＮＡ（ゲノム）
（ｉｉｉ）ハイポセティカル：ＮＯ
（ｉｖ）アンチセンス：ＮＯ
（ｘｉ）配列の記載：配列番号３８：
ＴＧＡＣＧＡＧＣＴＣ　ＧＧＣＣＡＴＧＧＣＴ　ＧＧＴＴＧＧＧ　　　　　　　　　　　　　　　　　　　　　　　　　　　　　　　　　　　　　２７
（２）配列番号３９の情報
（ｉ）配列の特徴：
（Ａ）配列の長さ：２４塩基対
（Ｂ）配列の型：核酸
（Ｃ）鎖の数：一本鎖
（Ｄ）トポロジー：直線状
（ｉｉ）配列の種類：ＤＮＡ（ゲノム）
（ｉｉｉ）ハイポセティカル：ＮＯ
（ｉｖ）アンチセンス：ＮＯ
（ｘｉ）配列の記載：配列番号３９：
ＴＣＧＡＣＧＧＣＣＧ　ＣＴＴＡＡＣＴＣＴＡ　ＧＡＡＣ　　　　　　　　　　　　　　　　　　　　　　　　　　　　　　　　　　　　　　　　２４
（２）配列番号４０の情報
（ｉ）配列の特徴：
（Ａ）配列の長さ：２２塩基対
（Ｂ）配列の型：核酸
（Ｃ）鎖の数：一本鎖
（Ｄ）トポロジー：直線状
（ｉｉ）配列の種類：ＤＮＡ（ゲノム）
（ｉｉｉ）ハイポセティカル：ＮＯ
（ｉｖ）アンチセンス：ＮＯ
（ｘｉ）配列の記載：配列番号４０：
ＡＧＧＴＳＭＡＲＣＴ　ＫＣＴＣＧＡＧＴＣＷ　ＧＧ　　　　　　　　　　　　　　　　　　　　　　　　　　　　　　　　　　　　　　　　　　２２
（２）配列番号４１の情報
（ｉ）配列の特徴：
（Ａ）配列の長さ：２２塩基対
（Ｂ）配列の型：核酸
（Ｃ）鎖の数：一本鎖
（Ｄ）トポロジー：直線状
（ｉｉ）配列の種類：ＤＮＡ（ゲノム）
（ｉｉｉ）ハイポセティカル：ＮＯ
（ｉｖ）アンチセンス：ＮＯ
（ｘｉ）配列の記載：配列番号４１：
ＡＧＧＴＣＣＡＧＣＴ　ＧＣＴＣＧＡＧＴＣＴ　ＧＧ　　　　　　　　　　　　　　　　　　　　　　　　　　　　　　　　　　　　　　　　　　２２
（２）配列番号４２の情報
（ｉ）配列の特徴：
（Ａ）配列の長さ：２２塩基対
（Ｂ）配列の型：核酸
（Ｃ）鎖の数：一本鎖
（Ｄ）トポロジー：直線状
（ｉｉ）配列の種類：ＤＮＡ（ゲノム）
（ｉｉｉ）ハイポセティカル：ＮＯ
（ｉｖ）アンチセンス：ＮＯ
（ｘｉ）配列の記載：配列番号４２：
ＡＧＧＴＣＣＡＧＣＴ　ＧＣＴＣＧＡＧＴＣＡ　ＧＧ　　　　　　　　　　　　　　　　　　　　　　　　　　　　　　　　　　　　　　　　　　２２
（２）配列番号４３の情報
（ｉ）配列の特徴：
（Ａ）配列の長さ：２２塩基対
（Ｂ）配列の型：核酸
（Ｃ）鎖の数：一本鎖
（Ｄ）トポロジー：直線状
（ｉｉ）配列の種類：ＤＮＡ（ゲノム）
（ｉｉｉ）ハイポセティカル：ＮＯ
（ｉｖ）アンチセンス：ＮＯ
（ｘｉ）配列の記載：配列番号４３：
ＡＧＧＴＣＣＡＧＣＴ　ＴＣＴＣＧＡＧＴＣＴ　ＧＧ　　　　　　　　　　　　　　　　　　　　　　　　　　　　　　　　　　　　　　　　　　２２
（２）配列番号４４の情報
（ｉ）配列の特徴：
（Ａ）配列の長さ：２２塩基対
（Ｂ）配列の型：核酸
（Ｃ）鎖の数：一本鎖
（Ｄ）トポロジー：直線状
（ｉｉ）配列の種類：ＤＮＡ（ゲノム）
（ｉｉｉ）ハイポセティカル：ＮＯ
（ｉｖ）アンチセンス：ＮＯ
（ｘｉ）配列の記載：配列番号４４：
ＡＧＧＴＣＣＡＧＣＴ　ＴＣＴＣＧＡＧＴＣＡ　ＧＧ　　　　　　　　　　　　　　　　　　　　　　　　　　　　　　　　　　　　　　　　　　２２
（２）配列番号４５の情報
（ｉ）配列の特徴：
（Ａ）配列の長さ：２２塩基対
（Ｂ）配列の型：核酸
（Ｃ）鎖の数：一本鎖
（Ｄ）トポロジー：直線状
（ｉｉ）配列の種類：ＤＮＡ（ゲノム）
（ｉｉｉ）ハイポセティカル：ＮＯ
（ｉｖ）アンチセンス：ＮＯ
（ｘｉ）配列の記載：配列番号４５：
ＡＧＧＴＣＣＡＡＣＴ　ＧＣＴＣＧＡＧＴＣＴ　ＧＧ　　　　　　　　　　　　　　　　　　　　　　　　　　　　　　　　　　　　　　　　　　２２
（２）配列番号４６の情報
（ｉ）配列の特徴：
（Ａ）配列の長さ：２２塩基対
（Ｂ）配列の型：核酸
（Ｃ）鎖の数：一本鎖
（Ｄ）トポロジー：直線状
（ｉｉ）配列の種類：ＤＮＡ（ゲノム）
（ｉｉｉ）ハイポセティカル：ＮＯ
（ｉｖ）アンチセンス：ＮＯ
（ｘｉ）配列の記載：配列番号４６：
ＡＧＧＴＣＣＡＡＣＴ　ＧＣＴＣＧＡＧＴＣＡ　ＧＧ　　　　　　　　　　　　　　　　　　　　　　　　　　　　　　　　　　　　　　　　　　２２
（２）配列番号４７の情報
（ｉ）配列の特徴：
（Ａ）配列の長さ：２２塩基対
（Ｂ）配列の型：核酸
（Ｃ）鎖の数：一本鎖
（Ｄ）トポロジー：直線状
（ｉｉ）配列の種類：ＤＮＡ（ゲノム）
（ｉｉｉ）ハイポセティカル：ＮＯ
（ｉｖ）アンチセンス：ＮＯ
（ｘｉ）配列の記載：配列番号４７：
ＡＧＧＴＣＣＡＡＣＴ　ＴＣＴＣＧＡＧＴＣＴ　ＧＧ　　　　　　　　　　　　　　　　　　　　　　　　　　　　　　　　　　　　　　　　　　２２
（２）配列番号４８の情報
（ｉ）配列の特徴：
（Ａ）配列の長さ：２２塩基対
（Ｂ）配列の型：核酸
（Ｃ）鎖の数：一本鎖
（Ｄ）トポロジー：直線状
（ｉｉ）配列の種類：ＤＮＡ（ゲノム）
（ｉｉｉ）ハイポセティカル：ＮＯ
（ｉｖ）アンチセンス：ＮＯ
（ｘｉ）配列の記載：配列番号４８：
ＡＧＧＴＣＣＡＡＣＴ　ＴＣＴＣＧＡＧＴＣＡ　ＧＧ　　　　　　　　　　　　　　　　　　　　　　　　　　　　　　　　　　　　　　　　　　２２
（２）配列番号４９の情報
（ｉ）配列の特徴：
（Ａ）配列の長さ：２２塩基対
（Ｂ）配列の型：核酸
（Ｃ）鎖の数：一本鎖
（Ｄ）トポロジー：直線状
（ｉｉ）配列の種類：ＤＮＡ（ゲノム）
（ｉｉｉ）ハイポセティカル：ＮＯ
（ｉｖ）アンチセンス：ＮＯ
（ｘｉ）配列の記載：配列番号４９：
ＡＧＧＴＮＮＡＮＣＴ　ＮＣＴＣＧＡＧＴＣＷ　ＧＧ　　　　　　　　　　　　　　　　　　　　　　　　　　　　　　　　　　　　　　　　　　２２
（２）配列番号５０の情報
（ｉ）配列の特徴：
（Ａ）配列の長さ：１９塩基対
（Ｂ）配列の型：核酸
（Ｃ）鎖の数：一本鎖
（Ｄ）トポロジー：直線状
（ｉｉ）配列の種類：ＤＮＡ（ゲノム）
（ｉｉｉ）ハイポセティカル：ＮＯ
（ｉｖ）アンチセンス：ＮＯ
（ｘｉ）配列の記載：配列番号５０：
ＧＣＣＣＡＡＧＧＡＴＧＴ　ＧＣＴＣＡＣＣ　　　　　　　　　　　　　　　　　　　　　　　　　　　　　　　　　　　　　　　　　　　　　　１９
（２）配列番号５１の情報
（ｉ）配列の特徴：
（Ａ）配列の長さ：３８塩基対
（Ｂ）配列の型：核酸
（Ｃ）鎖の数：一本鎖
（Ｄ）トポロジー：直線状
（ｉｉ）配列の種類：ＤＮＡ（ゲノム）
（ｉｉｉ）ハイポセティカル：ＮＯ
（ｉｖ）アンチセンス：ＮＯ
（ｘｉ）配列の記載：配列番号５１：
ＣＴＡＴＴＡＡＣＴＡ　ＧＴＡＡＣＧＧＴＡＡ　ＣＡＧＴＧＧＴＧＣＣ　ＴＴＧＣＣＣＣＡ　　　　　　　　　　　　　　　　　　　　　　　　　３８
（２）配列番号５２の情報
（ｉ）配列の特徴：
（Ａ）配列の長さ：１９塩基対
（Ｂ）配列の型：核酸
（Ｃ）鎖の数：一本鎖
（Ｄ）トポロジー：直線状
（ｉｉ）配列の種類：ＤＮＡ（ゲノム）
（ｉｉｉ）ハイポセティカル：ＮＯ
（ｉｖ）アンチセンス：ＮＯ
（ｘｉ）配列の記載：配列番号５２：
ＣＴＣＡＧＴＡＴＧＧ　ＴＧＧＴＴＧＴＧＣ　　　　　　　　　　　　　　　　　　　　　　　　　　　　　　　　　　　　　　　　　　　　　　１９
（２）配列番号５３の情報
（ｉ）配列の特徴：
（Ａ）配列の長さ：２６塩基対
（Ｂ）配列の型：核酸
（Ｃ）鎖の数：一本鎖
（Ｄ）トポロジー：直線状
（ｉｉ）配列の種類：ＤＮＡ（ゲノム）
（ｉｉｉ）ハイポセティカル：ＮＯ
（ｉｖ）アンチセンス：ＮＯ
（ｘｉ）配列の記載：配列番号５３：
ＧＣＴＡＣＴＡＧＴＴ　ＴＴＧＡＴＴＴＣＣＡ　ＣＣＴＴＧＧ　　　　　　　　　　　　　　　　　　　　　　　　　　　　　　　　　　　　　　２６
（２）配列番号５４の情報
（ｉ）配列の特徴：
（Ａ）配列の長さ：３０塩基対
（Ｂ）配列の型：核酸
（Ｃ）鎖の数：一本鎖
（Ｄ）トポロジー：直線状
（ｉｉ）配列の種類：ＤＮＡ（ゲノム）
（ｉｉｉ）ハイポセティカル：ＮＯ
（ｉｖ）アンチセンス：ＮＯ
（ｘｉ）配列の記載：配列番号５４：
ＡＡＴＴＴＴＡＣＴＡ　ＧＴＣＡＣＣＴＴＧＧ　ＴＧＣＴＧＣＴＧＧＣ　　　　　　　　　　　　　　　　　　　　　　　　　　　　　　　　　　３０
（２）配列番号５５の情報
（ｉ）配列の特徴：
（Ａ）配列の長さ：３９塩基対
（Ｂ）配列の型：核酸
（Ｃ）鎖の数：一本鎖
（Ｄ）トポロジー：直線状
（ｉｉ）配列の種類：ＤＮＡ（ゲノム）
（ｉｉｉ）ハイポセティカル：ＮＯ
（ｉｖ）アンチセンス：ＮＯ
（ｘｉ）配列の記載：配列番号５５：
ＴＡＴＧＣＡＡＣＴＡ　ＧＴＡＣＡＡＣＣＡＣ　ＡＡＴＣＣＣＴＧＧＧＣ　ＡＣＡＡＴＴＴＴ　　　　　　　　　　　　　　　　　　　　　　　　３９
（２）配列番号５６の情報
（ｉ）配列の特徴：
（Ａ）配列の長さ：３２塩基対
（Ｂ）配列の型：核酸
（Ｃ）鎖の数：一本鎖
（Ｄ）トポロジー：直線状
（ｉｉ）配列の種類：ＤＮＡ（ゲノム）
（ｉｉｉ）ハイポセティカル：ＮＯ
（ｉｖ）アンチセンス：ＮＯ
（ｘｉ）配列の記載：配列番号５６：
ＣＣＡＧＴＴＣＣＧＡ　ＧＣＴＣＧＴＴＧＴＧ　ＡＣＴＣＡＧＧＡＡＴ　ＣＴ　　　　　　　　　　　　　　　　　　　　　　　　　　　　　　　３２
（２）配列番号５７の情報
（ｉ）配列の特徴：
（Ａ）配列の長さ：３２塩基対
（Ｂ）配列の型：核酸
（Ｃ）鎖の数：一本鎖
（Ｄ）トポロジー：直線状
（ｉｉ）配列の種類：ＤＮＡ（ゲノム）
（ｉｉｉ）ハイポセティカル：ＮＯ
（ｉｖ）アンチセンス：ＮＯ
（ｘｉ）配列の記載：配列番号５７：
ＣＣＡＧＴＴＣＣＧＡ　ＧＣＴＣＧＴＧＴＴＧ　ＡＣＧＣＡＧＣＣＧＣ　ＣＣ　　　　　　　　　　　　　　　　　　　　　　　　　　　　　　　３２
（２）配列番号５８の情報
（ｉ）配列の特徴：
（Ａ）配列の長さ：３２塩基対
（Ｂ）配列の型：核酸
（Ｃ）鎖の数：一本鎖
（Ｄ）トポロジー：直線状
（ｉｉ）配列の種類：ＤＮＡ（ゲノム）
（ｉｉｉ）ハイポセティカル：ＮＯ
（ｉｖ）アンチセンス：ＮＯ
（ｘｉ）配列の記載：配列番号５８：
ＣＣＡＧＴＴＣＣＧＡ　ＧＣＴＣＧＴＧＣＴＣ　ＡＣＣＣＡＧＴＣＴＣ　ＣＡ　　　　　　　　　　　　　　　　　　　　　　　　　　　　　　　３２
（２）配列番号５９の情報
（ｉ）配列の特徴：
（Ａ）配列の長さ：３２塩基対
（Ｂ）配列の型：核酸
（Ｃ）鎖の数：一本鎖
（Ｄ）トポロジー：直線状
（ｉｉ）配列の種類：ＤＮＡ（ゲノム）
（ｉｉｉ）ハイポセティカル：ＮＯ
（ｉｖ）アンチセンス：ＮＯ
（ｘｉ）配列の記載：配列番号５９：
ＣＣＡＧＴＴＣＣＧＡ　ＧＣＴＣＣＡＧＡＴＧ　ＡＣＣＣＡＧＴＣＴＣ　ＣＡ　　　　　　　　　　　　　　　　　　　　　　　　　　　　　　　３２
（２）配列番号６０の情報
（ｉ）配列の特徴：
（Ａ）配列の長さ：３２塩基対
（Ｂ）配列の型：核酸
（Ｃ）鎖の数：一本鎖
（Ｄ）トポロジー：直線状
（ｉｉ）配列の種類：ＤＮＡ（ゲノム）
（ｉｉｉ）ハイポセティカル：ＮＯ
（ｉｖ）アンチセンス：ＮＯ
（ｘｉ）配列の記載：配列番号６０：
ＣＣＡＧＡＴＧＴＧＡ　ＧＣＴＣＧＴＧＡＴＧ　ＡＣＣＣＡＧＡＣＴＣ　ＣＡ　　　　　　　　　　　　　　　　　　　　　　　　　　　　　　　３２
（２）配列番号６１の情報
（ｉ）配列の特徴：
（Ａ）配列の長さ：３２塩基対
（Ｂ）配列の型：核酸
（Ｃ）鎖の数：一本鎖
（Ｄ）トポロジー：直線状
（ｉｉ）配列の種類：ＤＮＡ（ゲノム）
（ｉｉｉ）ハイポセティカル：ＮＯ
（ｉｖ）アンチセンス：ＮＯ
（ｘｉ）配列の記載：配列番号６１：
ＣＣＡＧＡＴＧＴＧＡ　ＧＣＴＣＧＴＣＡＴＧ　ＡＣＣＣＡＧＴＣＴＣ　ＣＡ　　　　　　　　　　　　　　　　　　　　　　　　　　　　　　　３２
（２）配列番号６２の情報
（ｉ）配列の特徴：
（Ａ）配列の長さ：３２塩基対
（Ｂ）配列の型：核酸
（Ｃ）鎖の数：一本鎖
（Ｄ）トポロジー：直線状
（ｉｉ）配列の種類：ＤＮＡ（ゲノム）
（ｉｉｉ）ハイポセティカル：ＮＯ
（ｉｖ）アンチセンス：ＮＯ
（ｘｉ）配列の記載：配列番号６２：
ＣＣＡＧＡＴＧＴＧＡ　ＧＣＴＣＴＴＧＡＴＧ　ＡＣＣＣＡＡＡＣＴＣ　ＡＡ　　　　　　　　　　　　　　　　　　　　　　　　　　　　　　　３２
（２）配列番号６３の情報
（ｉ）配列の特徴：
（Ａ）配列の長さ：３２塩基対
（Ｂ）配列の型：核酸
（Ｃ）鎖の数：一本鎖
（Ｄ）トポロジー：直線状
（ｉｉ）配列の種類：ＤＮＡ（ゲノム）
（ｉｉｉ）ハイポセティカル：ＮＯ
（ｉｖ）アンチセンス：ＮＯ
（ｘｉ）配列の記載：配列番号６３：
ＣＣＡＧＡＴＧＴＧＡ　ＧＣＴＣＧＴＧＡＴＧ　ＡＣＣＣＡＧＧＡＴＧ　ＡＡ　　　　　　　　　　　　　　　　　　　　　　　　　　　　　　　３２
（２）配列番号６４の情報
（ｉ）配列の特徴：
（Ａ）配列の長さ：３２塩基対
（Ｂ）配列の型：核酸
（Ｃ）鎖の数：一本鎖
（Ｄ）トポロジー：直線状
（ｉｉ）配列の種類：ＤＮＡ（ゲノム）
（ｉｉｉ）ハイポセティカル：ＮＯ
（ｉｖ）アンチセンス：ＮＯ
（ｘｉ）配列の記載：配列番号６４：
ＧＣＡＧＣＡＴＴＣＴ　ＡＧＡＧＴＴＴＣＡＧ　ＣＴＣＣＡＧＣＴＴＧ　ＣＣ　　　　　　　　　　　　　　　　　　　　　　　　　　　　　　　３２
（２）配列番号６５の情報
（ｉ）配列の特徴：
（Ａ）配列の長さ：３３塩基対
（Ｂ）配列の型：核酸
（Ｃ）鎖の数：一本鎖
（Ｄ）トポロジー：直線状
（ｉｉ）配列の種類：ＤＮＡ（ゲノム）
（ｉｉｉ）ハイポセティカル：ＮＯ
（ｉｖ）アンチセンス：ＮＯ
（ｘｉ）配列の記載：配列番号６５：
ＣＣＧＣＣＧＴＣＴＡ　ＧＡＡＣＡＣＴＣＡＴ　ＴＣＣＴＧＴＴＧＡＡ　ＧＣＴ　　　　　　　　　　　　　　　　　　　　　　　　　　　　　　３３
（２）配列番号６６の情報
（ｉ）配列の特徴：
（Ａ）配列の長さ：３３塩基対
（Ｂ）配列の型：核酸
（Ｃ）鎖の数：一本鎖
（Ｄ）トポロジー：直線状
（ｉｉ）配列の種類：ＤＮＡ（ゲノム）
（ｉｉｉ）ハイポセティカル：ＮＯ
（ｉｖ）アンチセンス：ＮＯ
（ｘｉ）配列の記載：配列番号６６：
ＣＣＧＣＣＧＴＣＴＡ　ＧＡＡＣＡＴＴＣＴＧ　ＣＡＧＧＡＧＡＣＡＧ　ＡＣＴ　　　　　　　　　　　　　　　　　　　　　　　　　　　　　　３３
（２）配列番号６７の情報
（ｉ）配列の特徴：
（Ａ）配列の長さ：３４塩基対
（Ｂ）配列の型：核酸
（Ｃ）鎖の数：一本鎖
（Ｄ）トポロジー：直線状
（ｉｉ）配列の種類：ＤＮＡ（ゲノム）
（ｉｉｉ）ハイポセティカル：ＮＯ
（ｉｖ）アンチセンス：ＮＯ
（ｘｉ）配列の記載：配列番号６７：
ＧＣＧＣＣＧＴＣＴＡ　ＧＡＡＴＴＡＡＣＡＣ　ＴＣＡＴＴＣＣＴＧＴ　ＴＧＡＡ　　　　　　　　　　　　　　　　　　　　　　　　　　　　　３４
（２）配列番号６８の情報
（ｉ）配列の特徴：
（Ａ）配列の長さ：３８塩基対
（Ｂ）配列の型：核酸
（Ｃ）鎖の数：一本鎖
（Ｄ）トポロジー：直線状
（ｉｉ）配列の種類：ＤＮＡ（ゲノム）
（ｉｉｉ）ハイポセティカル：ＮＯ
（ｉｖ）アンチセンス：ＮＯ
（ｘｉ）配列の記載：配列番号６８：
ＣＴＡＴＴＡＡＣＴＡ　ＧＴＡＡＣＧＧＴＡＡ　ＣＡＧＴＧＧＴＧＣＣ　ＴＴＧＣＣＣＣＡ　　　　　　　　　　　　　　　　　　　　　　　　　３８
（２）配列番号６９の情報
（ｉ）配列の特徴：
（Ａ）配列の長さ：３０塩基対
（Ｂ）配列の型：核酸
（Ｃ）鎖の数：一本鎖
（Ｄ）トポロジー：直線状
（ｉｉ）配列の種類：ＤＮＡ（ゲノム）
（ｉｉｉ）ハイポセティカル：ＮＯ
（ｉｖ）アンチセンス：ＮＯ
（ｘｉ）配列の記載：配列番号６９：
ＡＧＧＣＴＴＡＣＴＡ　ＧＴＡＣＡＡＴＣＣＣ　ＴＧＧＧＣＡＣＡＡＴ　　　　　　　　　　　　　　　　　　　　　　　　　　　　　　　　　　３０
（２）配列番号７０の情報
（ｉ）配列の特徴：
（Ａ）配列の長さ：２９塩基対
（Ｂ）配列の型：核酸
（Ｃ）鎖の数：一本鎖
（Ｄ）トポロジー：直線状
（ｉｉ）配列の種類：ＤＮＡ（ゲノム）
（ｉｉｉ）ハイポセティカル：ＮＯ
（ｉｖ）アンチセンス：ＮＯ
（ｘｉ）配列の記載：配列番号７０：
ＧＣＣＧＣＴＣＴＡ　ＧＡＡＣＡＣＴＣＡＴＴ　ＣＣＴＧＴＴＧＡＡ　　　　　　　　　　　　　　　　　　　　　　　　　　　　　　　　　　　２９
（２）配列番号７１の情報
（ｉ）配列の特徴：
（Ａ）配列の長さ：７９８塩基対
（Ｂ）配列の型：核酸
（Ｃ）鎖の数：二本鎖
（Ｄ）トポロジー：直線状
（ｉｉ）配列の種類：ＤＮＡ（ゲノム）
（ｉｉｉ）ハイポセティカル：ＮＯ
（ｉｖ）アンチセンス：ＮＯ
（ｘｉ）配列の記載：配列番号７１：
2004000238.tif 000024
（２）配列番号７２の情報
（ｉ）配列の特徴：
（Ａ）配列の長さ：１９４塩基対
（Ｂ）配列の型：核酸
（Ｃ）鎖の数：二本鎖
（Ｄ）トポロジー：直線状
（ｉｉ）配列の種類：ＤＮＡ（ゲノム）
（ｉｉｉ）ハイポセティカル：ＮＯ
（ｉｖ）アンチセンス：ＮＯ
（ｘｉ）配列の記載：配列番号７２：
2004000238.tif 000025
（２）配列番号７３の情報
（ｉ）配列の特徴：
（Ａ）配列の長さ：３３３塩基対
（Ｂ）配列の型：核酸
（Ｃ）鎖の数：二本鎖
（Ｄ）トポロジー：直線状
（ｉｉ）配列の種類：ＤＮＡ（ゲノム）
（ｉｉｉ）ハイポセティカル：ＮＯ
（ｉｖ）アンチセンス：ＮＯ
（ｘｉ）配列の記載：配列番号７３：
2004000238.tif 000026
（２）配列番号７４の情報
（ｉ）配列の特徴：
（Ａ）配列の長さ：１５０塩基対
（Ｂ）配列の型：核酸
（Ｃ）鎖の数：二本鎖
（Ｄ）トポロジー：直線状
（ｉｉ）配列の種類：ＤＮＡ（ゲノム）
（ｉｉｉ）ハイポセティカル：ＮＯ
（ｉｖ）アンチセンス：ＮＯ
（ｘｉ）配列の記載：配列番号７４：
2004000238.tif 000027
（２）配列番号７５の情報
（ｉ）配列の特徴：
（Ａ）配列の長さ：３６塩基対
（Ｂ）配列の型：核酸
（Ｃ）鎖の数：一本鎖
（Ｄ）トポロジー：直線状
（ｉｉ）配列の種類：ＤＮＡ（ゲノム）
（ｉｉｉ）ハイポセティカル：ＮＯ
（ｉｖ）アンチセンス：ＮＯ
（ｘｉ）配列の記載：配列番号７５：
ＧＴＧＣＣＣＡＧＧＧ　ＡＴＴＧＴＡＣＴＡＧ　ＴＧＣＴＧＡＧＧＧＴ　ＧＡＣＧＡＴ　　　　　　　　　　　　　　　　　　　　　　　　　　　３６
（２）配列番号７６の情報
（ｉ）配列の特徴：
（Ａ）配列の長さ：３３塩基対
（Ｂ）配列の型：核酸
（Ｃ）鎖の数：一本鎖
（Ｄ）トポロジー：直線状
（ｉｉ）配列の種類：ＤＮＡ（ゲノム）
（ｉｉｉ）ハイポセティカル：ＮＯ
（ｉｖ）アンチセンス：ＮＯ
（ｘｉ）配列の記載：配列番号７６：
ＡＣＴＣＧＡＡＴＴＣ　ＴＡＴＣＡＧＣＴＴＧ　ＣＴＴＴＣＧＡＧＧＴ　ＧＡＡ　　　　　　　　　　　　　　　　　　　　　　　　　　　　　　３３
（２）配列番号７７の情報
（ｉ）配列の特徴：
（Ａ）配列の長さ：２２塩基対
（Ｂ）配列の型：核酸
（Ｃ）鎖の数：一本鎖
（Ｄ）トポロジー：直線状
（ｉｉ）配列の種類：ＤＮＡ（ゲノム）
（ｉｉｉ）ハイポセティカル：ＮＯ
（ｉｖ）アンチセンス：ＮＯ
（ｘｉ）配列の記載：配列番号７７：
ＡＧＧＴＣＣＡＧＣＴ　ＴＣＴＣＧＡＧＴＣＴ　ＧＧ　　　　　　　　　　　　　　　　　　　　　　　　　　　　　　　　　　　　　　　　　　２２
（２）配列番号７８の情報
（ｉ）配列の特徴：
（Ａ）配列の長さ：３３塩基対
（Ｂ）配列の型：核酸
（Ｃ）鎖の数：一本鎖
（Ｄ）トポロジー：直線状
（ｉｉ）配列の種類：ＤＮＡ（ゲノム）
（ｉｉｉ）ハイポセティカル：ＮＯ
（ｉｖ）アンチセンス：ＮＯ
（ｘｉ）配列の記載：配列番号７８：
ＧＴＣＡＣＣＣＴＣＡ　ＧＣＡＣＴＡＧＴＡＣ　ＡＡＴＣＣＣＴＧＧＧ　ＣＡＣ　　　　　　　　　　　　　　　　　　　　　　　　　　　　　　３３
（２）配列番号７９の情報
（ｉ）配列の特徴：
（Ａ）配列の長さ：４８塩基対
（Ｂ）配列の型：核酸
（Ｃ）鎖の数：一本鎖
（Ｄ）トポロジー：直線状
（ｉｉ）配列の種類：ＤＮＡ（ゲノム）
（ｉｉｉ）ハイポセティカル：ＮＯ
（ｉｖ）アンチセンス：ＮＯ
（ｘｉ）配列の記載：配列番号７９：
ＧＡＧＡＣＧＡＣＴＡ　ＧＴＧＧＴＧＧＣＧＧ　ＴＧＧＣＴＣＴＣＣＡ　ＴＴＣＧＴＴＴＧＴＧ　ＡＡＴＡＴＣＡＡ　　　　　　　　　　　　　　４８
（２）配列番号８０の情報
（ｉ）配列の特徴：
（Ａ）配列の長さ：４０塩基対
（Ｂ）配列の型：核酸
（Ｃ）鎖の数：一本鎖
（Ｄ）トポロジー：直線状
（ｉｉ）配列の種類：ＤＮＡ（ゲノム）
（ｉｉｉ）ハイポセティカル：ＮＯ
（ｉｖ）アンチセンス：ＮＯ
（ｘｉ）配列の記載：配列番号８０：
ＴＴＡＣＴＡＧＣＴＡ　ＧＣＡＴＡＡＴＡＡＣ　ＧＧＡＡＴＡＣＣＣＡ　ＡＡＡＧＡＡＣＴＧＧ　　　　　　　　　　　　　　　　　　　　　　　４０
（２）配列番号８１の情報
（ｉ）配列の特徴：
（Ａ）配列の長さ：３６塩基対
（Ｂ）配列の型：核酸
（Ｃ）鎖の数：一本鎖
（Ｄ）トポロジー：直線状
（ｉｉ）配列の種類：ＤＮＡ（ゲノム）
（ｉｉｉ）ハイポセティカル：ＮＯ
（ｉｖ）アンチセンス：ＮＯ
（ｘｉ）配列の記載：配列番号８１：
ＴＡＴＧＣＴＡＧＣＴ　ＡＧＴＡＡＣＡＣＧＡ　ＣＡＧＧＴＴＴＣＣＣ　ＧＡＣＴＧＧ　　　　　　　　　　　　　　　　　　　　　　　　　　　３６
（２）配列番号８２の情報
（ｉ）配列の特徴：
（Ａ）配列の長さ：２７塩基対
（Ｂ）配列の型：核酸
（Ｃ）鎖の数：一本鎖
（Ｄ）トポロジー：直線状
（ｉｉ）配列の種類：ＤＮＡ（ゲノム）
（ｉｉｉ）ハイポセティカル：ＮＯ
（ｉｖ）アンチセンス：ＮＯ
（ｘｉ）配列の記載：配列番号８２：
ＡＣＣＧＡＧＣＴＣＧ　ＡＡＴＴＣＧＴＡＡＴ　ＣＡＴＧＧＴＣ　　　　　　　　　　　　　　　　　　　　　　　　　　　　　　　　　　　　　２７
（２）配列番号８３の情報
（ｉ）配列の特徴：
（Ａ）配列の長さ：３１塩基対
（Ｂ）配列の型：核酸
（Ｃ）鎖の数：一本鎖
（Ｄ）トポロジー：直線状
（ｉｉ）配列の種類：ＤＮＡ（ゲノム）
（ｉｉｉ）ハイポセティカル：ＮＯ
（ｉｖ）アンチセンス：ＮＯ
（ｘｉ）配列の記載：配列番号８３：
ＡＧＣＴＧＴＴＧＡＡ　ＴＴＣＧＴＧＡＡＡＴ　ＴＧＴＴＡＴＣＣＧＣ　Ｔ　　　　　　　　　　　　　　　　　　　　　　　　　　　　　　　　３１
（２）配列番号８４の情報
（ｉ）配列の特徴：
（Ａ）配列の長さ：１８６塩基対
（Ｂ）配列の型：核酸
（Ｃ）鎖の数：二本鎖
（Ｄ）トポロジー：直線状
（ｉｉ）配列の種類：ＤＮＡ（ゲノム）
（ｉｉｉ）ハイポセティカル：ＮＯ
（ｉｖ）アンチセンス：ＮＯ
（ｘｉ）配列の記載：配列番号８４：
2004000238.tif 000028
（２）配列番号８５の情報
（ｉ）配列の特徴：
（Ａ）配列の長さ：６６６塩基対
（Ｂ）配列の型：核酸
（Ｃ）鎖の数：二本鎖
（Ｄ）トポロジー：直線状
（ｉｉ）配列の種類：ＤＮＡ（ゲノム）
（ｉｉｉ）ハイポセティカル：ＮＯ
（ｉｖ）アンチセンス：ＮＯ
（ｘｉ）配列の記載：配列番号８５：
2004000238.tif 000029
（２）配列番号８６の情報
（ｉ）配列の特徴：
（Ａ）配列の長さ：７０８塩基対
（Ｂ）配列の型：核酸
（Ｃ）鎖の数：二本鎖
（Ｄ）トポロジー：直線状
（ｉｉ）配列の種類：ＤＮＡ（ゲノム）
（ｉｉｉ）ハイポセティカル：ＮＯ
（ｉｖ）アンチセンス：ＮＯ
（ｘｉ）配列の記載：配列番号８６：
2004000238.tif 000030
（２）配列番号８７の情報
（ｉ）配列の特徴：
（Ａ）配列の長さ：２０１塩基対
（Ｂ）配列の型：核酸
（Ｃ）鎖の数：二本鎖
（Ｄ）トポロジー：直線状
（ｉｉ）配列の種類：ＤＮＡ（ゲノム）
（ｉｉｉ）ハイポセティカル：ＮＯ
（ｉｖ）アンチセンス：ＮＯ
（ｘｉ）配列の記載：配列番号８７：
2004000238.tif 000031
（２）配列番号８８の情報
（ｉ）配列の特徴：
（Ａ）配列の長さ：８３０塩基対
（Ｂ）配列の型：核酸
（Ｃ）鎖の数：二本鎖
（Ｄ）トポロジー：直線状
（ｉｉ）配列の種類：ＤＮＡ（ゲノム）
（ｉｉｉ）ハイポセティカル：ＮＯ
（ｉｖ）アンチセンス：ＮＯ
（ｘｉ）配列の記載：配列番号８８：
2004000238.tif 000032
（２）配列番号８９の情報
（ｉ）配列の特徴：
（Ａ）配列の長さ：２６０塩基対
（Ｂ）配列の型：核酸
（Ｃ）鎖の数：二本鎖
（Ｄ）トポロジー：直線状
（ｉｉ）配列の種類：ＤＮＡ（ゲノム）
（ｉｉｉ）ハイポセティカル：ＮＯ
（ｉｖ）アンチセンス：ＮＯ
（ｘｉ）配列の記載：配列番号８９：
2004000238.tif 000033
（２）配列番号９０の情報
（ｉ）配列の特徴：
（Ａ）配列の長さ：４６１塩基対
（Ｂ）配列の型：核酸
（Ｃ）鎖の数：二本鎖
（Ｄ）トポロジー：直線状
（ｉｉ）配列の種類：ＤＮＡ（ゲノム）
（ｉｉｉ）ハイポセティカル：ＮＯ
（ｉｖ）アンチセンス：ＮＯ
（ｘｉ）配列の記載：配列番号９０：
2004000238.tif 000034
（２）配列番号９１の情報
（ｉ）配列の特徴：
（Ａ）配列の長さ：２０アミノ酸
（Ｂ）配列の型：アミノ酸
（Ｄ）トポロジー：直線状
（ｉｉ）配列の種類：ペプチド
（ｖ）フラグメント型：中間部フラグメント
（ｘｉ）配列の記載：配列番号９１：
2004000238.tif 000035
（２）配列番号９２の情報
（ｉ）配列の特徴：
（Ａ）配列の長さ：３３塩基対
（Ｂ）配列の型：核酸
（Ｃ）鎖の数：一本鎖
（Ｄ）トポロジー：直線状
（ｉｉ）配列の種類：ＤＮＡ（ゲノム）
（ｉｉｉ）ハイポセティカル：ＮＯ
（ｉｖ）アンチセンス：ＮＯ
（ｘｉ）配列の記載：配列番号９２：
ＣＡＧＣＴＧＣＴＣＧ　ＡＧＣＧＧＡＣＡＣＣ　ＡＧＡＡＡＴＧＣＣＴ　ＧＴＴ　　　　　　　　　　　　　　　　　　　　　　　　　　　　　　３３
（２）配列番号９３の情報
（ｉ）配列の特徴：
（Ａ）配列の長さ：３３塩基対
（Ｂ）配列の型：核酸
（Ｃ）鎖の数：一本鎖
（Ｄ）トポロジー：直線状
（ｉｉ）配列の種類：ＤＮＡ（ゲノム）
（ｉｉｉ）ハイポセティカル：ＮＯ
（ｉｖ）アンチセンス：ＮＯ
（ｘｉ）配列の記載：配列番号９３：
ＡＧＧＣＴＴＡＣＴＡ　ＧＴＴＴＴＣＡＧＣＣ　ＣＣＡＧＡＧＣＧＧＣ　ＴＴＴ　　　　　　　　　　　　　　　　　　　　　　　　　　　　　　３３
（２）配列番号９４の情報
（ｉ）配列の特徴：
（Ａ）配列の長さ：６３塩基対
（Ｂ）配列の型：核酸
（Ｃ）鎖の数：一本鎖
（Ｄ）トポロジー：直線状
（ｉｉ）配列の種類：ＤＮＡ（ゲノム）
（ｉｉｉ）ハイポセティカル：ＮＯ
（ｉｖ）アンチセンス：ＮＯ
（ｘｉ）配列の記載：配列番号９４：
2004000238.tif 000036
（２）配列番号９５の情報
（ｉ）配列の特徴：
（Ａ）配列の長さ：５１塩基対
（Ｂ）配列の型：核酸
（Ｃ）鎖の数：一本鎖
（Ｄ）トポロジー：直線状
（ｉｉ）配列の種類：ＤＮＡ（ゲノム）
（ｉｉｉ）ハイポセティカル：ＮＯ
（ｉｖ）アンチセンス：ＮＯ
（ｘｉ）配列の記載：配列番号９５：
ＧＣＣＧＣＧＴＣＴＡ　ＧＡＣＣＴＡＧＧＧＧ　ＴＧＧＣＧＧＡＧＧＴ　ＡＣＡＣＣＡＧＡＡＡ　ＴＧＣＣＴＧＴＴＣＴＧ　　　　　　　　　　　５１
（２）配列番号９６の情報
（ｉ）配列の特徴：
（Ａ）配列の長さ：３３塩基対
（Ｂ）配列の型：核酸
（Ｃ）鎖の数：一本鎖
（Ｄ）トポロジー：直線状
（ｉｉ）配列の種類：ＤＮＡ（ゲノム）
（ｉｉｉ）ハイポセティカル：ＮＯ
（ｉｖ）アンチセンス：ＮＯ
（ｘｉ）配列の記載：配列番号９６：
ＡＧＧＣＴＴＡＣＴＡ　ＧＴＴＴＴＣＡＧＣＣ　ＣＣＡＧＡＧＣＧＧＣ　ＴＴＴ　　　　　　　　　　　　　　　　　　　　　　　　　　　　　　３３
（２）配列番号９７の情報
（ｉ）配列の特徴：
（Ａ）配列の長さ：１９塩基対
（Ｂ）配列の型：核酸
（Ｃ）鎖の数：一本鎖
（Ｄ）トポロジー：直線状
（ｉｉ）配列の種類：ＤＮＡ（ゲノム）
（ｉｉｉ）ハイポセティカル：ＮＯ
（ｉｖ）アンチセンス：ＮＯ
（ｘｉ）配列の記載：配列番号９７：
ＴＣＣＡＣＴＡＧＴＴ　ＡＧＧＧＴＧＧＴＧ　　　　　　　　　　　　　　　　　　　　　　　　　　　　　　　　　　　　　　　　　　　　　　１９
【図面の簡単な説明】
【図１】図１はλＨｃ２発現ベクターを生産するためにλＺａｐに挿入された二本鎖合成ＤＮＡの配列を示す。二本鎖合成ＤＮＡインサートの調製は実施例１ａ（ｉｉ）に記載されている。ＶＨコードＤＮＡ同族体を発現するためにこのベクターに必要とされる種々の特徴は、シャイン−ダルガーノリボソーム結合部位、Ｍｏｕｖａら，Ｊ．Ｂｉｏｌ．Ｃｈｅｍ．，２５５：２７，１９８０により記載されているような発現タンパク質を周辺質に誘導するリーダー配列、及びＶＨ同族体を発現ベクターに操作により結合するのに使用された種々の制限酵素部位を含む。また、ＶＨ発現ベクター配列は、可変部Ｈ鎖（ＶＨ主鎖）中に典型的に見られるアミノ酸をコードする短い核酸配列を含む。このＶＨ主鎖はＸｈｏ　Ｉクローニング部位及びＳｐｅ　Ｉクローニング部位に操作により結合されているＶＨ　ＤＮＡ同族体としての適当な読みの上流及びその中にある。二本鎖合成ＤＮＡインサートの上部ストランド及び下部ストランドの配列が夫々配列番号１及び配列番号２にリストされる。合成ＤＮＡインサートは制限酵素Ｎｏｔ１及びＸｈｏＩで消化されたλＺａｐ　ＩＩに方向性結合されてλＨｃ２発現ベクターを形成する。
【図２】図２はバクテリアの発現ベクターλＨｃ２　（ＶＨ発現ベクター）の主要な特徴を示す。図３からの合成ＤＮＡ配列が、λＺａｐＩＩからのＬａｃ　Ｚプロモーターと一緒に上部に示される。λＺａｐＩＩ中のインサートの配向が示される。ＶＨ　ＤＮＡ同族体がＸｈｏ　Ｉクローニング部位及びＳｐｅ　Ｉ　クローニング部位に挿入される。転写による読みが、クローニング部位の３’に丁度配置されるデカペプチドエピトープ（ｔａｇ）を生じる。
【図３】図３は、λＬｃ２発現ベクターを生産するためにλＺａｐに挿入された二本鎖合成ＤＮＡの配列を示す。ＶＬコードＤＮＡ同族体を発現するためにこのベクターに必要とされる種々の特徴が、図１に記載される。ＶＬコードＤＮＡ同族体がＳａｃ制限部位及びＸｈｏ　Ｉ制限部位でＬｃ２配列に操作により結合される。二本鎖合成ＤＮＡインサートの上部ストランド及び下部ストランドの配列が夫々配列番号３及び配列番号４にリストされる。合成ＤＮＡインサートは制限酵素Ｓａｃ　Ｉ及びＮｏｔ　Ｉで消化されたλＺａｐ　ＩＩに方向性結合されてλＬｃ２発現ベクターを形成する。
【図４】図４はバクテリアの発現ベクターλＬｃ２（ＶＬ発現ベクター）の主要な特徴を示す。図３からの合成ＤＮＡ配列が、λＺａｐ　ＩＩからのＬａｃ　Ｚプロモーターと一緒に上部に示される。λＺａｐ　ＩＩ中のインサートの配向が示される。ＶＬＤＮＡ同族体がＳａｃ　Ｉクローニング部位及びＸｈｏ　Ｉクローニング部位に挿入される。
【図５】図５はファージミド発現ベクターの形態のジシストロニック（ｄｉｃｉｓｔｒｏｎｉｃ）発現ベクター、ｐＣｏｍｂを示す。ｐＣｏｍｂを生産するために、ファージミドが最初に製造業者の指示（カリフォルニア州、ラ・ジョラにあるストラタゲン）による生体内切除プロトコルを使用して発現ベクター、λＨｃ２及びλＬｃ２から切除された。ｐＣｏｍｂ発現ベクターは、ＶＨコードＤＮＡ同族体またはＶＬコードＤＮＡ同族体を含まないλＨｃ２及びλＬｃ２から調製される。生体内切除プロトコルはクローン化インサートをλＨｃ２ベクター及びλＬｃ２ベクターからファージミドベクターに移動した。得られるファージミドは、抗体フラグメントクローニング及び発現のために親ベクターと同じヌクレオチド配列を含んでいた。Ｈｃ２ファージミド発現ベクター及びＬｃ２ファージミド発現ベクターが別々にＳｃａ　Ｉ及びＥｃｏＲ　Ｉで制限消化された。直線状にされたファージミドがＳｃａ　Ｉ及びＥｃｏＲ　Ｉ付着末端を介して結合されてジシストロニック（結合性）ベクター、ｐＣｏｍｂを形成した。
【図６】図６は、ｐＣＢＡＫ８−２ｂファージミドベクターの組成、Ｆａｂアセンブリーの経路及びファージ外殻中のとり込みの略図を示す。ベクターは、Ｆｄ−ｃｐＶＩＩＩ融合ポリぺプチドをコードするヌクレオチド残基及びカッパー鎖の他にクロラムフェニコールアセチルトランスフェラーゼ（ＣＡＴ）マーカー遺伝子を有する。複製のｆｌファージ開始点は一本鎖ファージミドの発生を促進する。Ｆｄ−ｃｐＶＩＩＩ融合（ＶＨ、ＣＨ１、ｃｐＶＩＩＩ）及びＬ鎖（ＶＬ、ＣＬ）をコードするジシストロニックメッセージの発現はＨ鎖及びＬ鎖の形成をもたらす。夫々の鎖はｐｅｌＢ標的配列により細胞周辺腔に送出され、続いてこれが開裂される。Ｈ鎖はｃｐＶＩＩＩ融合により膜中につなぎ止められ、一方、Ｌ鎖は周辺質に分泌される。Ｌ鎖の存在下のＨ鎖は集合してＦａｂ分子を形成する。ＦａｂはｃｐＶＩＩＩを介してファージ粒子にとり込まれる（黒い点）。
【図７】図７は実施例６及び７に記載されたような本発明のＰｈｏＰｈａｂの略図である。ヘテロダイマーレセプターＦａｂはファージのテールで外殻タンパク質ＩＩＩにつなぎ止められ、一方、アルカリ性ホスファターゼ指示薬タンパク質はファージの長さに沿って外殻タンパク質ＶＩＩＩにつなぎ止められる。
【図８】図８は、下記の操作により結合された要素：ｔａｃプロモーター；Ｅａｇ制限クローニング部位；リボソーム結合部位（ＲＢＳ）；ｐｅｌＢリーダー配列、続いて５アミノ酸残基リンカーをコードするヌクレオチド配列；Ｘｈｏ　Ｉ制限クローニング部位；成熟アルカリ性ホスファターゼタンパク質（ＰｈｏＡ）をコードするヌクレオチド配列（そのアミノ末端アミノ酸及びカルボキシ末端アミノ酸が示される）；Ｓｐｅ　Ｉ制限クローニング部位；アンカーまたは外殻タンパク質ＶＩＩＩ（ｇＶＩＩＩ）、続いて終止コドン並びにＥｃｏＲ　Ｉ及びＸｂａ制限クローニング部位を有する実施例５ａに記載されたようにして調製されたｐＰｈｏ８ｃａｔ発現ベクターの略図である。
【図９】図９は、実施例５ａに記載されたようにして調製された６３４６塩基対ｐＰｈｏ８ｃａｔ発現ベクターの略図である。アルカリ性ホスファターゼ−ｃＰＶＩＩＩ融合タンパク質の発現がｔａｃプロモーターにより誘導される。アルカリ性ホスファターゼをコードするヌクレオチドの領域がＰｈｏとして示される。外殻タンパク質ＶＩＩＩをコードするヌクレオチド配列はＰｈｏ部位に対し３’に配置され、ｇＶＩＩＩとして示される。その構築物は、クロラムフェニコール耐性を与えるためのｃａｔ遺伝子を含む。ｐ１５Ａ開始点及びｆｌ　ｏｒｉの両方がそのベクター中に存在する。種々のエンドヌクレアーゼクローニング部位が示される。
【図１０】図１０は、ｐＰｈｏ８Ｂが実施例５ａに記載されたようにして誘導された親ｐＰｈｏ８ｃａｔベクター中で示されるような複製のｆｌ開始点（ｆｌ　ｏｒｉ）を欠いている５１２７塩基対ｐＰｈｏ８Ｂ発現ベクターの略図である。その構築物の残部は図９に記載されたようなその他の要素を有する。
【図１１】図１１は、実施例５ｂに記載されたようにして調製された６０ヌクレオチドリンカー配列を含む６４０６塩基対ｐＰｈｏＬ８発現ベクターの略図である。その構築物の残部は図９に記載されたようなその他の要素を有する。
【図１２】図１２は、実施例７に記載されたようにして行われたＥＬＩＳＡアッセイの結果を示す棒ブラフである。検出可能なＥＬＩＳＡシグナルが、ウェルを被覆するのに使用されたＸ軸の抗原に対してＹ軸にプロットされた４０５　ｎｍにおける吸光度として示される。下記の抗原の略号が定義される：ＢＳＡ＝ウシ血清アルブミン；　ＦＬ−ＢＳＡ＝フルオレセイン−ＢＳＡ接合体；　ＰＰＣ−ＢＳＡ＝ホスホンアミデートハプテン接合体；　Ｐｒｏｌ−ＢＳＡ＝異なるホスホンアミデートハプテン接合体；かつＴｅｔ−ｔｏｘ＝破傷風トキソイド。抗原と免疫反応するのに使用されたＰｈｏＰｈａｂが差し込みボックス中に示される。下記の略号が定義される：Ｆ１＝フルオレセイン；　Ｐｒｏ及びＰＰＣ＝ホスホンアミデートハプテン；　Ｔｅｔ＝破傷風トキソイド；　Ｔｅｔ　Ｐ３１３ｍｏｎｏ＝破傷風トキソイドライブラリーから単離されたクローン；　Ｔｅｔ　ｎｏ　ｐｈｏ＝アルカリ性ホスファターゼ−ｃｐＶＩＩＩ接合体を含まないＰ３１３　Ｆａｂ−ｃｐＶＩＩＩを露出するファージ；　ｍｏｎｏ＝モノクローナルかつｐｏｌｙ＝Ｆａｂ産生ｐＣｏｍｂ３クローンのポリクローナル混合物。
【図１３】図１３はファージ外殼タンパク質へのバクテリアのアルカリ性ホスファターゼ（ＢＡＰ）ダイマーの付着を示す。図１３Ａは、ダイマーの夫々の半分が外殼タンパク質８（ｇ８ｐ）に直接融合されることを示す。図１３Ｂは、ダイマーの夫々の半分が可撓性リンカーによりｇ８ｐに付着されることを示す。図１３Ｃは、ダイマーの一方の半分がｇ８ｐに融合され、一方、他方の半分が遊離していることを示す。また、図１３ｄは、ダイマーの一方の半分がリンカーによりｇ８ｐに付着され、一方、他方の半分が遊離していることを示す。
【図１４】図１４は、ファージに関するＢＡＰのとり込み試験に使用された発現ベクターを示す。図１４Ａは、ＢＡＰ−ｇ８ｐを生産し、複製のｐ１５Ａ開始点、及びクロラムフェニコール耐性マーカーを有するｐＰｈｏ８Ｂを示す。図１４Ｂは、（ＥＧＧＧＳ）４（配列番号９１）リンカーをコードする配列の挿入以外はｐＰｈｏ８Ｂと同一であるｐＰｈｏＬ８Ｂを示す。また、図１４Ｃは、遊離ＢＡＰを生産し、かつ複製のｃｏｌＥｌ開始点、及びｂ−ラクタマーゼマーカーを有するベクターｐＰｈｏＣを示す。略号：ｔａｃ、ｔａｃプロモーター；ｌａｃ、ｌａｃプロモーター；　ＰｅｌＢ、ＰｅｌＢリーダー配列；　ｒｂｓ、リボソーム結合部位；　ｂｌａ、ｂ−ラクタマーゼ遺伝子；　ＰｈｏＡ、成熟Ｅ．ｃｏｌｉ　ＢＡＰをコードする領域；　ｇＶＩＩＩ、成熟ファージ外殼タンパク質ｇ８ｐをコードする領域。
【図１】
2004000238.tif 000037
【図２】
2004000238.tif 000038
【図３】
2004000238.tif 000039
【図４】
2004000238.tif 000040
【図５】
2004000238.tif 000041
【図６】
2004000238.tif 000042
【図７】
2004000238.tif 000043
【図８】
2004000238.tif 000044
【図９】
2004000238.tif 000045
【図１０】
2004000238.tif 000046
【図１１】
2004000238.tif 000047
【図１２】
2004000238.tif 000048
【図１３】
2004000238.tif 000049
【図１４】
2004000238.tif 000050